(57)【要約】  本発明は、複数のデンタル位置において同時にブラッシングするためのマウスピースのためのブリッスルによってライニングされている凹部壁を製造する方法に関し、また、その方法にしたがって製造される凹部壁およびマウスピースに関する。提供するステップにおいて、複数のブリッスルによってライニングされている第１の側部を有する細長い連続的なブリッスル付きシート部品が提供される。細長いシート部品は、シート部品に対して平行に延在する長さ軸線を画定しており、また、長さ軸線に対して横断方向に見て、所定の断面形状を画定している。提供するステップにおいて得られるシート部品は、初期状態を有しており、初期状態では、断面形状は、初期形状を有しており、長さ軸線は、アーチ形状になっている。変容させるステップにおいて、提供するステップのシート部品は、初期状態から最終状態へ変容させられ、凹部壁を提供する。最終状態では、断面形状は、最終的なＵ字形状を有しており、長さ軸線は、アーチ形状になっており、第１の側部は、最終的なＵ字形状の凹形内側側部である。第１の側部は、最終状態において、初期状態のときよりも凹形になっている。
2021531104.tif 000002
【特許請求の範囲】
【請求項１】
複数のデンタル位置において同時にブラッシングするためのマウスピースのためのブリッスルによってライニングされている連続的な凹部壁を製造する方法であって、前記連続的な凹部壁は、アーチ形状の長さ軸線を有しており、また、前記長さ軸線に対して横断方向に見て、前記複数のデンタル位置を包含するように構成されているＵ字形状の断面を有しており、前記アーチ形状の長さ軸線は、左側の第２小臼歯から右側の第２小臼歯への距離に少なくとも等しい距離に及ぶ長さを有しており；
前記方法は、提供するステップを含み、前記提供するステップでは、複数のブリッスルによってライニングされている第１の側部を有する細長い連続的なブリッスル付きシート部品が提供され、前記細長いブリッスル付きシート部品は、前記ブリッスル付きシート部品に対して平行に延在する長さ軸線を画定しており、また、前記長さ軸線に対して横断方向に見て、所定の断面形状を画定しており、前記提供するステップにおいて得られる前記細長い連続的なブリッスル付きシート部品は、初期状態を有しており、前記初期状態では、
−  前記断面形状は、初期形状を有しており、
−  前記長さ軸線は、アーチ形状になっており；
前記方法は、変容させるステップをさらに含み、前記変容させるステップでは、前記提供するステップにおいて得られる前記細長い連続的なブリッスル付きシート部品が、最終状態を有する前記連続的な凹部壁に変容させられ；
前記最終状態では、
−  前記断面形状は、最終的なＵ字形状を有しており、
−  前記長さ軸線は、アーチ形状になっており、
−  前記第１の側部は、前記最終的なＵ字形状の凹形内側側部であり、
前記第１の側部は、前記最終状態において、前記初期状態のときよりも凹形になっている、方法。
【請求項２】
前記最終状態において、前記Ｕ字形状の断面の対向する側部からの前記ブリッスルが、互いに向けて延在している、請求項１に記載の方法。
【請求項３】
前記最終的なＵ字形状は、２つの脚部および前記２つの脚部を接続する底部によって画定されており、垂直方向の軸線が、前記２つの脚部間の前記底部に対して横断方向に延在するように定義されている、請求項１または２に記載の方法。
【請求項４】
前記最終状態において、一方の前記脚部の上の前記ブリッスル、および、他方の前記脚部の上の前記ブリッスルは、それぞれの前記脚部から互いに向けて延在している、請求項３に記載の方法。
【請求項５】
前記最終状態において、前記２つの脚部の上の前記ブリッスルは、前記垂直方向の軸線に対して所定の角度で提供されており、前記角度は、前記垂直方向の軸線に対して０°から９０°の範囲にあり、たとえば、３０°から９０°などの範囲にある、請求項３または４に記載の方法。
【請求項６】
前記初期状態において、前記ブリッスル付きシート部品の前記第１の側部は、凹形になっているか、平坦になっているか、または凸形になっている、請求項１から５のいずれか一項に記載の方法。
【請求項７】
２つの脚部および前記２つの脚部を接続する底部は、前記最終的なＵ字形状によって画定されており、垂直方向の軸線は、前記底部に対して横断方向に延在するものとして定義されており、前記２つの脚部は、前記脚部の上の前記ブリッスルのそれぞれの根元部において、前記ブリッスル付きシート部品の前記第１の側部の接線を定義しており、前記接線は、前記長さ軸線に対して横断方向の平面の中に延在しており；
前記初期状態において、前記ブリッスルは、前記垂直方向の軸線に対して平行に延在しており；
前記変容させるステップにおいて、前記２つの脚部は、互いに向けて曲げられ、前記垂直方向の軸線に対してｘ°の角度にわたってそれぞれの接線を回転させ、前記それぞれの接線に関連付けられた前記ブリッスルが、前記底部から離れる方を指す方向に、前記垂直方向の軸線に対してｘ°の角度で延在するようになっている、請求項１から６のいずれか一項に記載の方法。
【請求項８】
前記ｘ°は、０°〜９０°の範囲にあり、たとえば、３０°〜６０°の範囲、または、４０°〜５０°などの範囲にある、請求項７に記載の方法。
【請求項９】
前記垂直方向の軸線に対する前記２つの脚部の前記最終的な角度は、０°〜４５°の範囲にあり、たとえば、５°〜２０°などの範囲にある、請求項７または８に記載の方法。
【請求項１０】
アーチ形状の長さ軸線とブリッスルによってライニングされている第１の側部とを有する前記細長い連続的なブリッスル付きシート部品は、前記提供するステップにおいて作製される、請求項１から９のいずれか一項に記載の方法。
【請求項１１】
前記ブリッスルは、根元部端部と、自由端部と、前記根元部端部から前記自由端部へ延在するブリッスル本体部と、を有しており；
前記提供するステップにおいて得られる前記ブリッスル付きシート部品は、タフティングによって作り出され、前記タフティングは、
−  複数のナイロンブリッスルまたはナイロンブリッスルのタフトを第１のシート部品を通して挿入し、前記ブリッスル本体部および自由端部が前記第１のシート部品の表側から延在した状態にし、根元部端部が前記第１のシート部品の裏側に突き出た状態にするステップと；
−  任意選択で、前記第１のシート部品の前記裏側に接触して第２のシート部品を提供するステップと；
−  前記ブリッスルの前記根元部端部を前記第１のシート部品および／または任意選択の前記第２のシート部品と融合させるステップと、
を含む、請求項１から１０のいずれか一項に記載の方法。
【請求項１２】
前記ブリッスル付きシート部品は、前記変容させるステップにおいて、真空形成などのような熱成形によって、前記初期状態から前記最終状態へ変容させられる、請求項１から１１のいずれか一項に記載の方法。
【請求項１３】
前記Ｕ字形状の輪郭に沿った方向に見て、前記ブリッスル付きシート部品は、前記熱成形によって引き伸ばされる、請求項１２に記載の方法。
【請求項１４】
前記最終状態において、および、前記Ｕ字形状の前記輪郭に沿った前記方向に見て、前記ブリッスルは、所定のパターンにしたがって分配されている、請求項１３に記載の方法。
【請求項１５】
前記初期状態において、前記ブリッスル付きシート部品の上の前記ブリッスルの分配は、前記最終状態において、および、前記Ｕ字形状の前記輪郭に沿った前記方向に見て、前記ブリッスルが所定のパターンにしたがって分配されるように構成されている、請求項１３または１４に記載の方法。
【請求項１６】
前記長さ軸線は、前記初期状態において初期の湾曲を有しており、前記最終状態において最終的な湾曲を有しており、前記初期の湾曲は、前記最終的な湾曲よりも広くなっている、請求項１から１５のいずれか一項に記載の方法。
【請求項１７】
前記長さ軸線は、前記初期状態において、前記最終状態のときと同じ湾曲を有している、請求項１から１５のいずれか一項に記載の方法。
【請求項１８】
前記ブリッスル付きシート部品は、２つの境界縁部を有しており、前記２つの境界縁部は、前記長さ軸線に対して横断方向の方向に見て、互いに所定の相互距離において、前記長さ軸線に沿って延在しており；
前記変容させるステップにおいて、前記ブリッスル付きシート部品は、前記２つの境界縁部の間の前記相互距離を低減させることによって変容させられる、請求項１から１７のいずれか一項に記載の方法。
【請求項１９】
−  前記提供するステップにおいて得られる前記ブリッスル付きシート部品は、内側境界縁部および外側境界縁部によって境界を定められており、前記内側境界縁部および外側境界縁部は、前記長さ軸線から所定の距離において前記長さ軸線に沿って延在しており、
−  前記ブリッスル付きシート部品は、舌側フレーム部材および顔側フレーム部材と一体的な部品であり、前記舌側フレーム部材および顔側フレーム部材は、両方とも、それぞれの弓形湾曲に沿って弓形形状になっており、かつ
−  前記ブリッスル付きシート部品は、前記内側境界縁部において内側取り付け部材を含み、前記内側取り付け部材は、前記内側境界縁部に沿って延在し、前記舌側フレーム部材に取り付けられており、前記ブリッスル付きシート部品は、前記外側境界縁部において外側取り付け部材を含み、前記外側取り付け部材は、前記外側境界縁部に沿って延在し、前記顔側フレーム部材に取り付けられている、請求項１から１８のいずれか一項に記載の方法。
【請求項２０】
前記提供するステップは、
−  前記顔側フレーム部材および前記舌側フレーム部材を提供するサブステップと、
−  前記顔側フレーム部材および前記舌側フレーム部材とは別個に、前記内側取り付け部材および前記外側取り付け部材と一体になった前記ブリッスル付きシート部品を提供するサブステップと、
−  前記内側取り付け部材および前記外側取り付け部材を前記舌側フレーム部材および前記顔側フレーム部材それぞれに取り付けるサブステップと、
を含む、請求項１９に記載の方法。
【請求項２１】
前記提供するステップにおいて、前記ブリッスル付きシート部品、前記顔側フレーム部材、および前記舌側フレーム部材は、事前製作された一体部品として提供される、請求項１９に記載の方法。
【請求項２２】
前記ブリッスル付きシート部品、前記顔側フレーム部材、および前記舌側フレーム部材は、前記提供するステップにおいて、マルチ材料射出成形などのような射出成形によって作製される、請求項１９から２１のいずれか一項に記載の方法。
【請求項２３】
前記内側取り付け部材および前記外側取り付け部材は、前記内側境界縁部および前記外側境界縁部それぞれに沿って延在するサイドフラップとして構成されており、前記舌側フレーム部材および前記顔側フレーム部材それぞれに取り付けられるように構成されている、請求項１９から２２のいずれか一項に記載の方法。
【請求項２４】
前記内側取り付け部材および前記外側取り付け部材は、前記内側境界縁部および前記外側境界縁部それぞれに沿って延在するダブルサイドフラップとして構成されており、
前記舌側フレーム部材および前記顔側フレーム部材は、プレート部品を備えて構成されており、
前記ダブルサイドフラップは、第１のフラップ部品および第２のフラップ部品を含み、前記第２のフラップ部品は、前記第１のフラップ部品に対して平行に、前記第１のフラップ部品から所定の距離にあり、前記第１のフラップ部品と前記第２のフラップ部品との間に、ギャップを画定しており、前記ギャップは、前記舌側フレーム部材および前記顔側フレーム部材それぞれの前記プレート部品を受け入れるように構成されている、請求項１９から２３のいずれか一項に記載の方法。
【請求項２５】
前記提供するステップにおいて、２つのブリッスル付きシート部品が得られ、
−  それぞれのブリッスル付きシート部品は、前記内側境界縁部および前記外側境界縁部によって境界を定められており、前記内側境界縁部および前記外側境界縁部は、前記長さ軸線から所定の距離において前記長さ軸線に沿って延在しており、
−  それぞれのブリッスル付きシート部品は、前記舌側フレーム部材および顔側フレーム部材との一体部品であり、前記舌側フレーム部材および前記顔側フレーム部材は、両方とも、それぞれの弓形湾曲に沿って弓形形状になっており、
−  それぞれのブリッスル付きシート部品は、前記内側境界縁部の上に前記内側取り付け部材を含み、前記内側取り付け部材は、前記内側境界縁部に沿って延在し、前記舌側フレーム部材に取り付けられており、それぞれのブリッスル付きシート部品は、前記外側境界縁部の上に前記外側取り付け部材を含み、前記外側取り付け部材は、前記外側境界縁部に沿って延在し、前記顔側フレーム部材に取り付けられており、
前記２つのブリッスル付きシート部品のうちの第１のブリッスル付きシート部品に関連付けられる前記顔側フレーム部材は、第１のスナップ接続のオス型部品またはメス型部品を提供されており、前記２つのブリッスル付きシート部品のうちの第２のブリッスル付きシート部品に関連付けられる前記顔側フレーム部材は、前記第１のスナップ接続の前記メス型部品または前記オス型部品それぞれを提供されており、
前記２つのブリッスル付きシート部品のうちの前記第１のブリッスル付きシート部品に関連付けられる前記舌側フレーム部材は、第２のスナップ接続のオス型部品またはメス型部品を提供されており、前記２つのブリッスル付きシート部品のうちの前記第２のブリッスル付きシート部品に関連付けられる前記顔側フレーム部材は、前記第２のスナップ接続のメス型部品または前記オス型部品それぞれを提供されている、請求項１９から２４のいずれか一項に記載の方法。
【請求項２６】
前記提供するステップにおいて前記ブリッスル付きシート部品によって得られる、前記舌側フレーム部材および前記顔側フレーム部材の前記弓形湾曲は、前記最終的な湾曲よりも広くなっており；
前記変容させるステップにおいて、前記弓形湾曲は、前記最終的な湾曲と対応するように狭くされる、請求項１９から２５のいずれか一項に記載の方法。
【請求項２７】
前記舌側フレーム部材および前記顔側フレーム部材は、弾性になっており、解放状態を有しており、前記解放状態では、前記舌側フレーム部材および前記顔側フレーム部材は、無応力になっており、前記凹部壁の前記最終的な湾曲に対応する弓形湾曲を有しており；
事前付勢するステップが、前記提供するステップの前または間に行われ；
前記事前付勢するステップにおいて、前記舌側フレーム部材および前記顔側フレーム部材は、前記解放状態からプリテンション状態へプリテンションをかけられ、前記プリテンション状態では、前記舌側フレーム部材および前記顔側フレーム部材の前記弓形湾曲は、前記ブリッスル付きシート部品の前記初期の湾曲に対応しており、前記プリテンション状態では、前記舌側フレーム部材および前記顔側フレーム部材は、前記舌側フレーム部材および前記顔側フレーム部材をそれらの解放状態に戻す方向に作用するプリテンションを有しており；
前記変容させるステップにおいて、前記弓形湾曲は、前記舌側フレーム部材および前記顔側フレーム部材の前記プリテンションを解除することによって狭くされる、請求項１９から２６のいずれか一項に記載の方法。
【請求項２８】
前記提供するステップにおいて、２つの前記ブリッスル付きシート部品が得られ、第１および第２のシート部品の前記内側取り付け部材および前記外側取り付け部材は、たとえば熱溶接などによって、互いに取り付けられている、請求項１９から２７のいずれか一項に記載の方法。
【請求項２９】
前記提供するステップにおいて、２つの前記ブリッスル付きシート部品が、前記２つのブリッスル付きシート部品のうちの第１のブリッスル付きシート部品を前記２つのブリッスル付きシート部品のうちの第２のブリッスル付きシート部品と一体的に接続する移行エリアを有する単一部品として得られ；
前記移行エリアは、前記２つのブリッスル付きシート部品が第１の位置から第２の位置へ互いに対して折り畳まれることを可能にするように構成されており、前記第１の位置では、前記２つのブリッスル付きシート部品が整合されており、前記第２の位置では、前記２つのブリッスル付きシート部品が互いに折り重ねられている、請求項１から２８のいずれか一項に記載の方法。
【請求項３０】
折り畳むステップにおいて、前記ブリッスル付きシート部品は、前記第１の位置から前記第２の位置へ互いに対して折り畳まれる、請求項２９に記載の方法。
【請求項３１】
前記長さ軸線の長さは、左側の第１大臼歯から右側の第１大臼歯までの距離に少なくとも等しい距離に及んでおり、たとえば、左側の第２大臼歯から右側の第２大臼歯までの距離に少なくとも等しい距離に及ぶ長さなどに及んでいる、請求項１から３０のいずれか一項に記載の方法。
【請求項３２】
−  前記最終的なＵ字形状は、０ｍｍから２０ｍｍの範囲にある、たとえば、２ｍｍから１２ｍｍなどの範囲にある内部幅を有しており；かつ／または、
−  前記最終的なＵ字形状は、３ｍｍから２０ｍｍの範囲にある、たとえば、５ｍｍから１０ｍｍなどの範囲にある内部高さを有している、請求項１から３１のいずれか一項に記載の方法。
【請求項３３】
前記ブリッスル付きシート部品は、最大で１５ｍｍまでの厚さを有しており、たとえば、０．５ｍｍから３ｍｍなどの範囲にある厚さを有している、請求項１から３２のいずれか一項に記載の方法。
【請求項３４】
少なくとも１つの凹部を提供された本体部を含むタイプのマウスピースを製造する方法であって、前記少なくとも１つの凹部は、複数のブリッスルによってライニングされている凹部壁によって境界を定められており、前記複数のブリッスルは、前記凹部壁から前記凹部の中へ延在しており、前記凹部壁は、アーチ形状の長さ軸線を画定しており、前記長さ軸線に対して横断方向に見て、Ｕ字形状の断面形状を画定しており、また、歯列弓に沿って複数のデンタル位置を包含するように構成されており；
前記凹部壁は、請求項１から３３のいずれか一項に記載の方法によって製造されている、方法。
【請求項３５】
前記本体部は、圧力下で流体を収容するように構成されている少なくとも１つの圧力チャンバをさらに含み、前記本体部は、前記少なくとも１つの圧力チャンバの中の圧力を往復的に増加および減少させることによって、前記凹部壁を変形させるように構成されている、請求項３４に記載の方法。
【請求項３６】
請求項３４または３５に記載の方法によって得られるマウスピース。
【請求項３７】
複数のデンタル位置において同時にブラッシングするためのマウスピースのための凹部壁であって、請求項１から３３のいずれか一項に記載の方法によって得られる、凹部壁。
【請求項３８】
複数のデンタル位置において同時にブラッシングするためのマウスピースであって、前記マウスピースは、少なくとも１つの凹部を提供された本体部を含むタイプのものであり、前記少なくとも１つの凹部は、複数のブリッスルによってライニングされている凹部壁によって境界を定められており、前記複数のブリッスルは、前記凹部壁から前記凹部の中へ延在しており、前記凹部壁は、アーチ形状の長さ軸線を画定しており、前記長さ軸線に対して横断方向に見て、Ｕ字形状の断面形状を画定しており、また、歯列弓に沿って複数のデンタル位置を包含するように構成されており；
前記凹部壁は、請求項１から３３のいずれか一項に記載の方法によって製造されている、マウスピース。
【請求項３９】
前記本体部は、圧力下で流体を収容するように構成されている少なくとも１つの圧力チャンバをさらに含み、前記本体部は、前記少なくとも１つの圧力チャンバの中の圧力を往復的に増加および減少させることによって、前記凹部壁を変形させるように構成されている、請求項３８に記載のマウスピース。
【請求項４０】
複数のデンタル位置において同時にブラッシングするためのデンタルクリーニングデバイスであって、
−  圧力チャンバおよび凹部を有するマウスピースであって、前記凹部は、断面がＵ字形状になっており、可撓性のおよび／または変形可能な凹部壁によって境界を定められており、前記圧力チャンバは、圧力下で流体を収容するように構成されている、マウスピースと；
−  任意選択で、複数のブリッスルであって、その一方の端部によって前記凹部壁にそれぞれ取り付けられており、前記凹部壁から前記凹部の中へ延在している、複数のブリッスルと；
−  前記圧力チャンバに流体連通して配置されているポンプユニットであって、前記ポンプユニットは、前記圧力チャンバの中へおよび前記圧力チャンバから外へそれぞれ所定の体積の流体をポンプ送りすることによって、増加した圧力状態と減少した圧力状態との間で、前記圧力チャンバの中の圧力を往復的に増加および減少させるように構成されており、それによって、前記凹部壁を変形させ、前記凹部壁を往復して移動させ、それぞれ前記凹部を増加および減少させる、ポンプユニットと、
を含む、デンタルクリーニングデバイスにおいて、
前記デンタルクリーニングデバイスは、
−  前記圧力チャンバの中の圧力を表す前記圧力を測定するように構成されており、また、前記圧力を表す圧力信号を作り出すように構成されている、圧力センサと、
−  制御信号を発生させるように構成されているコントローラと、
をさらに含み；
前記圧力センサおよび前記コントローラは、前記コントローラが使用時に前記圧力センサから前記圧力信号を受信するように接続されており、前記コントローラおよびポンプユニットは、前記ポンプユニットが使用時に前記コントローラから前記制御信号を受信するように接続されており；
前記コントローラは、前記圧力信号に基づいて前記制御信号を発生させるように構成されており、かつ、前記ポンプユニットは、前記制御信号に応答して、前記圧力チャンバの中へおよび／または前記圧力チャンバから外へ所定の送達量を提供するように構成されており；
前記コントローラは、前記圧力チャンバの中の前記圧力が所定の上側閾値を超えるときには、前記ポンプユニットの前記送達量を低減させるように構成されていることを特徴とする、デンタルクリーニングデバイス。
【請求項４１】
前記ポンプユニットは、所定の動作周波数を有しており、前記圧力チャンバの中の前記圧力が所定の上側閾値を超えるときに前記ポンプユニットの前記送達量を低減させるために、前記コントローラは、前記動作周波数の変化が防止されるように構成されている、請求項４０に記載のデンタルクリーニングデバイス。
【請求項４２】
前記ポンプユニットは、所定の動作周波数を有しており、
−  前記コントローラは、所定の動作周波数における圧力変化に応答して前記ポンプユニットを動作させるように構成されており、または、
−  前記ポンプユニットは、所定の動作周波数で動作するように構成されている、請求項４０または４１に記載のデンタルクリーニングデバイス。
【請求項４３】
前記ポンプユニットは、前記ポンプユニットをスイッチオンしてから測定される時間の所定の関数にしたがって変化する動作周波数を有している、請求項４０から４２のいずれか一項に記載のデンタルクリーニングデバイス。
【請求項４４】
前記ポンプユニットは、固定された所定の値である動作周波数を有している、請求項４０から４２のいずれか一項に記載のデンタルクリーニングデバイス。
【請求項４５】
前記動作周波数は、０．５Ｈｚから２０Ｈｚの範囲にある、請求項４０から４４のいずれか一項に記載のデンタルクリーニングデバイス。
【請求項４６】
前記上側閾値は、周囲圧力に対して最大でも２ｂａｒであり、たとえば、周囲圧力に対して最大でも１ｂａｒなどである、請求項４０から４５のいずれか一項に記載のデンタルクリーニングデバイス。
【請求項４７】
前記上側閾値は、周囲圧力に対して最大でも０．３ｂａｒであり、たとえば、周囲圧力に対して最大でも０．２ｂａｒなどである、請求項４０から４６のいずれか一項に記載のデンタルクリーニングデバイス。
【請求項４８】
前記コントローラは、前記圧力チャンバの中の前記圧力が所定の下側閾値を下回って降下するときには、前記ポンプユニットの前記送達量を増加させるようにさらに構成されている、請求項４０から４７のいずれか一項に記載のデンタルクリーニングデバイス。
【請求項４９】
前記下側閾値は、前記上側閾値の下方に、最大で１ｂａｒまでの範囲にあり、たとえば、最大で０．４ｂａｒなどまでの範囲にある、請求項４８に記載のデンタルクリーニングデバイス。
【請求項５０】
前記下側閾値は、周囲圧力に対して−０．５ｂａｒから＋０．２ｂａｒの範囲にあり、たとえば、周囲圧力に対して−０．５ｂａｒから０ｂａｒなどの範囲にある、請求項４８または４９に記載のデンタルクリーニングデバイス。
【請求項５１】
複数のデンタル位置において同時にブラッシングするためのデンタルクリーニングデバイスであって、
−  圧力チャンバおよび凹部を有するマウスピースであって、前記凹部は、凹部壁によって境界を定められており、前記凹部壁は、湾曲した長さ方向および前記長さ方向に対して横断方向のＵ字形状の断面を有しており、前記凹部壁は、前記湾曲した長さ方向に見て、少なくとも左側の第２小臼歯から少なくとも右側の第２小臼歯の範囲にある前記デンタル位置を包含するように構成されており、前記圧力チャンバは、圧力下の流体を収容するように構成されている、マウスピースと；
−  任意選択で、複数のブリッスルであって、前記凹部壁に取り付けられている一方の端部をそれぞれ有しており、前記凹部壁から離れるように前記凹部の中へ延在している、複数のブリッスルと；
−  前記圧力チャンバに流体連通して配置されているポンプユニットであって、前記ポンプユニットは、前記圧力チャンバの中へおよび前記圧力チャンバから外へそれぞれ所定の体積の流体をポンプ送りすることによって、増加した圧力状態と減少した圧力状態との間で、前記圧力チャンバの中の圧力を往復的に増加および減少させるように構成されており、それによって、前記凹部壁を変形させ、前記凹部壁を往復して移動させ、それぞれ前記凹部を増加および減少させ、前記ポンプユニットは、動作時に、所定の動作周波数で動作する、ポンプユニットと、
を含む、デンタルクリーニングデバイスにおいて、
前記所定の動作周波数は、０．５Ｈｚから２０Ｈｚの範囲にあることを特徴とする、デンタルクリーニングデバイス。
【請求項５２】
前記所定の動作周波数は、１Ｈｚから１５Ｈｚの範囲にあり、たとえば、３Ｈｚから１０Ｈｚなどの範囲にある、請求項５１に記載のデンタルクリーニングデバイス。
【請求項５３】
前記所定の動作周波数は、固定された周波数である、請求項５１または５２に記載のデンタルクリーニングデバイス。
【請求項５４】
前記所定の動作周波数は、前記ポンプユニットをスイッチオンしてから測定される時間の所定の関数にしたがって変化する、請求項５１または５２に記載のデンタルクリーニングデバイス。
【請求項５５】
使用時に、前記圧力チャンバの中の前記圧力を増加させると、前記ブリッスルが前記使用者の前記デンタル位置に向けて移動し、一方では、前記ブリッスルの端部部分が変形され、前記歯に擦り付けられ、前記端部部分のこのラビング作用が、前記歯をクリーニングする、請求項４０から５４のいずれか一項に記載のデンタルクリーニングデバイス。
【請求項５６】
前記凹部の前記凹部壁、および／または、前記ブリッスルの少なくともいくつかは、２０  Ｓｈｏｒｅ  Ａ〜１００  Ｓｈｏｒｅ  Ａの硬度、たとえば、５０  Ｓｈｏｒｅ  Ａ〜８０  Ｓｈｏｒｅ  Ａなどの硬度を有する材料から作製されている、請求項４０から５５のいずれか一項に記載のデンタルクリーニングデバイス。
【請求項５７】
前記凹部の前記凹部壁、および／または、前記ブリッスルの少なくともいくつかは、５０  Ｓｈｏｒｅ  Ｄ〜１００  Ｓｈｏｒｅ  Ｄの硬度、たとえば、７０  Ｓｈｏｒｅ  Ｄ〜９０  Ｓｈｏｒｅ  Ｄなどの硬度を有する材料から作製されている、請求項４０から５５のいずれか一項に記載のデンタルクリーニングデバイス。
【請求項５８】
前記マウスピースは、２つの前記凹部を有しており、前記２つの凹部は、それぞれ断面がＵ字形状になっており、前記凹部壁によって境界を定められており、前記２つの凹部の前記Ｕ字形状の断面の開口部は、相互に反対側方向に向いている、請求項４０から５７のいずれか一項に記載のデンタルクリーニングデバイス。
【請求項５９】
前記凹部または前記２つの凹部は、それぞれ、細長い湾曲した形状を有しており、使用者の少なくとも５つのデンタル位置、たとえば、左側の第１大臼歯から右側の第１大臼歯までの範囲にある前記デンタル位置などを包含するように構成されている、請求項４０から５８のいずれか一項に記載のデンタルクリーニングデバイス。
【請求項６０】
前記ポンプユニットは、ピストンポンプ、ダイヤフラムポンプ、プランジャーポンプ、膜ポンプ、またはベローズポンプの群から選択されるポンプを含む、請求項４０から５９のいずれか一項に記載のデンタルクリーニングデバイス。
【請求項６１】
前記デンタルクリーニングデバイスは、
−  前記圧力チャンバの中の圧力を表す前記圧力を測定するように構成されており、また、前記圧力を表す圧力信号を作り出すように構成されている、圧力センサと、
−  制御信号を発生させるように構成されているコントローラと、
をさらに含み；
前記圧力センサおよび前記コントローラは、前記コントローラが使用時に前記圧力センサから前記圧力信号を受信するように接続されており、前記コントローラおよびポンプユニットは、前記ポンプユニットが使用時に前記コントローラから前記制御信号を受信するように接続されており；
前記コントローラは、前記圧力信号に基づいて前記制御信号を発生させるように構成されており、かつ、前記ポンプユニットは、前記制御信号に応答して、前記圧力チャンバの中へおよび／または前記圧力チャンバから外へ所定の送達量を提供するように構成されており；
前記コントローラは、前記圧力チャンバの中の前記圧力が所定の上側閾値を超えるときには、前記ポンプユニットの前記送達量を低減させるように構成されている、請求項１５から６０のいずれか一項に記載のデンタルクリーニングデバイス。
【請求項６２】
請求項４６から５０のいずれか一項と組み合わせた請求項５８に記載のデンタルクリーニングデバイス。
【請求項６３】
複数のデンタル位置において同時にブラッシングするためのデンタルクリーニングデバイスを動作させる方法であって、前記クリーニングデバイスは、
−  圧力チャンバおよび凹部を有するマウスピースであって、前記凹部は、凹部壁によって境界を定められており、前記凹部壁は、湾曲した長さ方向および前記長さ方向に対して横断方向のＵ字形状の断面を有しており、前記凹部壁は、前記湾曲した長さ方向に見て、使用者の前記歯列弓の少なくとも一部を包含するように構成されており、前記圧力チャンバは、圧力下の流体を収容するように構成されている、マウスピースと；
−  任意選択で、複数のブリッスルであって、前記凹部壁に取り付けられている一方の端部をそれぞれ有しており、前記凹部壁から離れるように前記凹部の中へ延在している、複数のブリッスルと；
−  前記圧力チャンバに流体連通して配置されているポンプユニットであって、前記ポンプユニットは、前記圧力チャンバの中へおよび前記圧力チャンバから外へそれぞれ所定の体積の流体をポンプ送りすることによって、増加した圧力状態と減少した圧力状態との間で、前記圧力チャンバの中の圧力を往復的に増加および減少させるように構成されており、それによって、前記凹部壁を変形させ、前記凹部壁を往復して移動させ、それぞれ前記凹部を増加および減少させる、ポンプユニットと、
を含み、
−  前記圧力チャンバの中の前記圧力が所定の上側閾値を超えるときに、前記ポンプユニットの送達量が低減され；かつ／または、
−  前記ポンプユニットは、０．５Ｈｚから２０Ｈｚの範囲にある動作周波数で動作される、方法。
【請求項６４】
−  前記圧力チャンバの中の前記圧力が所定の上側閾値を超えるときには、前記ポンプユニットが、前記動作周波数の変化が防止されるように動作され；かつ／または、
−  前記ポンプユニットは、固定された動作周波数で動作され；かつ／または、
−  前記ポンプユニットは、１Ｈｚから１５Ｈｚの範囲にある、たとえば、３Ｈｚから１０Ｈｚなどの範囲にある動作周波数で動作され；かつ／または、
−  前記上側閾値は、周囲圧力に対して、最大でも２ｂａｒ、たとえば、最大でも１ｂａｒなどであり；かつ／または、
−  前記上側閾値は、周囲圧力に対して、最大でも０．３ｂａｒ、たとえば、最大でも０．２ｂａｒなどであり；かつ／または、
−  前記ポンプユニットの前記送達量は、前記圧力チャンバの中の前記圧力が所定の下側閾値を下回って降下するときに増加され：
〇  前記下側閾値は、前記上側閾値の下方に、最大で１ｂａｒまでの範囲にあり、たとえば、最大で０．４ｂａｒなどまでの範囲にあり；かつ／または、
〇  前記下側閾値は、周囲圧力に対して、−０．５ｂａｒから＋０．２ｂａｒの範囲にあり、たとえば、−０．５ｂａｒから０ｂａｒなどの範囲にあり；かつ／または、
−  前記ポンプユニットは、前記ポンプユニットをスイッチオンしてから測定される時間の所定の関数にしたがって変化する動作周波数で動作される、請求項６３に記載の方法。
【請求項６５】
複数のデンタル位置において同時にブラッシングするためのマウスピースであって、
少なくとも１つの凹部を提供されている本体部を含み；
前記少なくとも１つの凹部は、湾曲した長さ方向、および、前記長さ方向に対して横断方向のＵ字形状の断面を有しており、前記湾曲した長さ方向に見て、複数の少なくとも５つのデンタル位置を包含するように構成されており；
前記本体部は、前記凹部ごとに、それぞれの前記凹部の境界を定める可撓性の凹部壁を含み、
前記凹部壁は、任意選択で、複数のブリッスルによってライニングされており、前記複数のブリッスルは、前記凹部壁に取り付けられている一方の端部をそれぞれ有しており、前記凹部壁から前記凹部の中へ延在しており；
前記本体部は、圧力下において流体を収容するように構成されている少なくとも１つの圧力チャンバを提供されており；
前記本体部は、減少した圧力状態と増加した圧力状態との間で、前記少なくとも１つの圧力チャンバの中の圧力を往復的に増加および減少させることによって、前記凹部壁を変形させるように構成されている、マウスピースにおいて、
前記凹部壁は、局所的な変形可能性を有するように構成されており、前記少なくとも１つの圧力チャンバの中の前記圧力を往復的に増加および減少させるときに、前記凹部壁の形状が局所的に変化するようになっており、前記増加した圧力状態では、前記凹部壁の前記形状は、前記凹部壁によって包含される前記デンタル位置の局所的な形状に局所的に調節され、一方、前記減少した圧力状態では、前記凹部壁の前記形状は、前記増加した圧力状態のときよりも、前記凹部壁によって包含される前記デンタル位置の前記局所的な形状に局所的に調節されないことを特徴とする、マウスピース。
【請求項６６】
前記凹部壁によって包含される前記デンタル位置の舌側および顔側に沿って前記長さ方向に見て、前記凹部壁は、前記減少した圧力状態において、前記増加した圧力状態のときよりも少ないレリーフを有している、請求項６５に記載のマウスピース。
【請求項６７】
前記凹部壁の前記局所的な変形可能性は、前記増加した圧力状態と減少した圧力状態との間での前記凹部壁の前記形状の前記局所的な変化が、２ｂａｒまでの範囲にある圧力差、たとえば、０．４ｂａｒなどまでの範囲にある圧力差において起こるように構成されており、前記圧力差は、前記増加した圧力状態における前記圧力チャンバの中の前記圧力から前記減少した圧力状態における前記圧力チャンバの中の前記圧力をマイナスしたものとして定義される、請求項６５または６６に記載のマウスピース。
【請求項６８】
前記減少した圧力状態において、前記少なくとも１つの圧力チャンバの中の前記圧力は、大気圧力よりも高くなっている、請求項６５から６７のいずれか一項に記載のマウスピース。
【請求項６９】
前記増加した圧力状態において、前記少なくとも１つの圧力チャンバの中の前記圧力は、大気圧力に対して最大でも２ｂａｒであり、たとえば、大気圧力に対して最大でも１ｂａｒなどである、請求項６５から６８のいずれか一項に記載のマウスピース。
【請求項７０】
前記増加した圧力状態において、前記少なくとも１つの圧力チャンバの中の前記圧力は、大気圧力に対して最大でも０．３ｂａｒであり、たとえば、大気圧力に対して最大でも０．２ｂａｒなどである、請求項６５から６９のいずれか一項に記載のマウスピース。
【請求項７１】
前記減少した圧力状態において、前記少なくとも１つの圧力チャンバの中の前記圧力は、大気圧力よりも低い、請求項６５から７０のいずれか一項に記載のマウスピース。
【請求項７２】
前記減少した圧力状態において、前記少なくとも１つの圧力チャンバの中の前記圧力は、大気圧力に対して−０．５ｂａｒから＋０．２ｂａｒの範囲にあり、たとえば、大気圧力に対して−０．５ｂａｒから０ｂａｒなどの範囲にある、請求項６５から７１のいずれか一項に記載のマウスピース。
【請求項７３】
複数のデンタル位置において同時にブラッシングするためのマウスピースであって、
ｘ軸、ｙ軸、およびｚ軸を含む、３つの相互に直交する軸線の系が定義され、前記ｚ軸は、歯列弓の輪郭に追従する湾曲した軸線であり、前記ｘ軸およびｙ軸は、互いに垂直になっており、ｘｙ平面を画定しており、前記ｘｙ平面は、平坦になっており、前記湾曲したｚ軸に対して垂直になっており；
前記マウスピースは、少なくとも１つの凹部を提供されている本体部を含み；
前記少なくとも１つの凹部は、前記ｚ軸に対して平行に延在する湾曲した長さ方向、および、前記長さ方向に対して横断方向のＵ字形状の断面を有しており、前記湾曲した長さ方向に見て、複数の少なくとも５つのデンタル位置を包含するように構成されており；
前記本体部は、前記凹部ごとに凹部壁を含み、前記凹部壁は、それぞれの前記凹部の境界を定めており、複数のブリッスルを提供されており；
それぞれのブリッスルは、固定端部を有しており、前記固定端部は、前記凹部壁において、前記本体部に取り付けられており；
それぞれのブリッスルは、前記固定端部から、前記凹部の中へ、その自由端部に向けて延在しており、前記自由端部は、前記凹部の中に配置されており；
前記本体部は、前記複数のデンタル位置が前記凹部の中に包含されているときに、第１の枢動軸線の周りでの第１の往復式の枢動移動、第２の枢動軸線の周りでの第２の往復式の枢動移動、および、並進軸線に沿った往復式の並進移動に、前記ブリッスルの複数の前記固定端部を往復的にさらすように構成されており、前記第１の枢動軸線、前記第２の枢動軸線、および前記並進軸線は、相互に垂直になっており、前記第１の枢動軸線は、前記ｚ軸に対して平行になっており、前記第２の枢動軸線および並進軸線は、前記ｘｙ平面の中に延在している、マウスピース。
【請求項７４】
前記凹部壁の前記局所的な変形可能性は、前記少なくとも１つの圧力チャンバの中の前記圧力を往復的に増加および減少させるときに、および、前記凹部の中に前記複数のデンタル位置を包含するときに、前記凹部壁のそれぞれの場所が、第１の枢動軸線の周りでの第１の往復式の枢動移動、第２の枢動軸線の周りでの第２の往復式の枢動移動、および、並進軸線に沿った往復式の並進移動にさらされるようになっており、前記第１の枢動軸線、前記第２の枢動軸線、および前記並進軸線は、相互に垂直になっている、請求項６５から７３のいずれか一項に記載のマウスピース。
【請求項７５】
それぞれのブリッスルは、前記凹部壁に取り付けられているそれぞれの前記ブリッスルの根元部にあり、前記凹部壁の前記局所的な変形可能性は、前記少なくとも１つの圧力チャンバの中の前記圧力を往復的に増加および減少させるときに、および、前記凹部の中に前記複数のデンタル位置を包含するときに、それぞれのブリッスルの前記根元部が、第１の枢動軸線の周りでの第１の往復式の枢動移動、第２の枢動軸線の周りでの第２の往復式の枢動移動、および、並進軸線に沿った往復式の並進移動にさらされるようになっており、前記第１の枢動軸線、前記第２の枢動軸線、および前記並進軸線は、相互に垂直になっている、請求項６５から７４のいずれか一項に記載のマウスピース。
【請求項７６】
それぞれのブリッスルは、取り付けポイントにおいて前記凹部壁に取り付けられており；
それぞれの取り付けポイントにおいて、３つの相互に直交する軸線の局所的なセットが定義され、前記局所的なセットは、ｘ軸、ｙ軸、およびｚ軸を含み、前記ｚ軸は、前記凹部の前記湾曲した長さ方向によって定義される湾曲した軸線であり、前記ｘ軸およびｙ軸は、前記ｚ軸に対して垂直のｘｙ平面を定義しており；
前記凹部壁の前記局所的な変形可能性は、前記少なくとも１つの圧力チャンバの中の前記圧力を往復的に増加および減少させるときに、および、前記凹部の中に前記複数のデンタル位置を包含するときに、前記取り付けポイントが、第１の枢動軸線の周りでの第１の往復して枢動する移動、第２の枢動軸線の周りでの第２の往復して枢動する移動、および、並進軸線に沿った往復して並進する移動からなる群からの１つまたは複数の移動にさらされるようになっており；
前記第１の枢動軸線は、前記ｚ軸に対して平行になっており、前記第２の枢動軸線および並進軸線は、前記ｘｙ平面の中にあり、相互に垂直になっている、請求項６５から７５のいずれか一項に記載のマウスピース。
【請求項７７】
前記本体部は、２つの前記凹部を提供されており、前記２つの凹部の前記Ｕ字形状の断面の開口部は、相互に反対側方向に向いている、請求項６５から７６のいずれか一項に記載のマウスピース。
【請求項７８】
前記凹部壁は、前記長さ方向に対して横断方向に、前記凹部の前記Ｕ字形状の断面に一致したＵ字形状になっており；
それぞれの凹部壁の前記Ｕ字形状は、凹部壁底部から延在する２つの凹部壁脚部を画定しており、それぞれの脚部は、自由端部を有しており；
前記２つの凹部壁脚部の前記自由端部は、端部ブリッスルを提供されており；
前記本体部は、
−  前記少なくとも１つの圧力チャンバの中の前記圧力を増加させるときに、前記２つの凹部壁脚部の前記自由端部を前記凹部の内側から前記凹部の外側へシフトさせるように構成されており、
−  前記少なくとも１つの圧力チャンバの中の前記圧力を減少させるときに、前記２つの凹部壁脚部の前記上側端部を前記凹部の外側から前記凹部の内側へシフトさせるように構成されており、
前記少なくとも１つの圧力チャンバの中の前記圧力を往復的に増加および減少させるときに、前記端部ブリッスルが、前記長さ方向に対して平行の軸線の周りでの往復式のスイベル移動にさらされるようになっている、請求項６５から７７のいずれか一項に記載のマウスピース。
【請求項７９】
複数のデンタル位置において同時にブラッシングするためのマウスピースであって、
前記マウスピースは、少なくとも１つの凹部を提供されている本体部を含み；
前記少なくとも１つの凹部は、湾曲した長さ方向、および、前記長さ方向に対して横断方向のＵ字形状の断面を有しており、前記湾曲した長さ方向に見て、複数の少なくとも５つのデンタル位置を包含するように構成されており；
前記本体部は、凹部ごとに、それぞれの前記凹部の境界を定める可撓性の凹部壁を含み、
前記凹部壁は、複数のブリッスルによってライニングされており、前記複数のブリッスルは、前記凹部壁に取り付けられている一方の端部をそれぞれ有しており、前記凹部壁から前記凹部の中へ延在しており；
前記本体部は、圧力下において流体を収容するように構成されている少なくとも１つの圧力チャンバを提供されており；
前記本体部は、減少した圧力状態と増加した圧力状態との間で、前記少なくとも１つの圧力チャンバの中の圧力を往復的に増加および減少させることによって、前記凹部壁を変形させるように構成されており、
前記凹部壁は、前記長さ方向に対して横断方向に、前記凹部の前記Ｕ字形状の断面に一致したＵ字形状になっており；
それぞれの凹部壁の前記Ｕ字形状は、凹部壁底部から延在する２つの凹部壁脚部を画定しており、それぞれの脚部は、自由端部を有している、マウスピースにおいて、
前記２つの凹部壁脚部の前記自由端部は、端部ブリッスルを提供されており；
前記本体部は、
−  前記少なくとも１つの圧力チャンバの中の圧力を増加させるときに、前記２つの凹部壁脚部の前記上側端部を前記凹部の内側から前記凹部の外側へシフトさせるように構成されており、
−  前記少なくとも１つの圧力チャンバの中の前記圧力を減少させるときに、前記２つの凹部壁脚部の前記上側端部を前記凹部の外側から前記凹部の内側へシフトさせるように構成されており、
前記少なくとも１つの圧力チャンバの中の前記圧力を往復的に増加および減少させるときに、前記端部ブリッスルが、前記長さ方向に対して平行の軸線の周りでの往復式のスイベル移動にさらされるようになっていることを特徴とする、マウスピース。
【請求項８０】
前記本体部は、前記少なくとも１つの圧力チャンバの中の前記圧力を増加させるときに前記２つの凹部壁脚部を長くし、前記少なくとも１つの圧力チャンバの中の前記圧力を減少させるときに前記２つの凹部壁脚部を短くするように構成されている、請求項７８もしくは７９または請求項６５から７７のいずれか一項に記載のマウスピース。
【請求項８１】
前記本体部は、前記湾曲した長さ方向に対して平行に参照平面を画定しており、前記２つの凹部壁脚部の前記自由端部は、前記参照平面から離れる方を指しており、前記底部の外側側部は、前記参照平面に面しており；
垂直方向の距離は、前記参照平面に対して横断方向の方向に測定される、前記参照平面から前記２つの凹部壁脚部の前記自由端部への距離として定義され；
前記本体部は、
−  前記少なくとも１つの圧力チャンバの中の圧力を増加させるときに前記垂直方向の距離を増加させるようにさらに構成されており、
−  前記少なくとも１つの圧力チャンバの中の前記圧力を減少させるときに前記垂直方向の距離を減少させるようにさらに構成されている、請求項７８から８０のいずれか一項に記載のマウスピース。
【請求項８２】
前記マウスピースは、前記凹部壁に固定されたメッシュワークをさらに含み；
前記メッシュワークは、ノードおよびメッシュ部材によって形成されており、それぞれの前記メッシュ部材は、１つの前記ノードから別の前記ノードへ延在しており、それぞれの前記ノードは、少なくとも３つの前記メッシュ部材を互いに接続しており、それぞれのノードは、前記ブリッスルまたは前記ブリッスルのタフトのうちの１つまたは複数を担持している、請求項６５から８１のいずれか一項に記載のマウスピース。
【請求項８３】
複数のデンタル位置において同時にブラッシングするためのマウスピースであって、
前記マウスピースは、少なくとも１つの凹部を提供されている本体部を含み；
前記少なくとも１つの凹部は、湾曲した長さ方向、および、前記長さ方向に対して横断方向のＵ字形状の断面を有しており、前記湾曲した長さ方向に見て、複数の少なくとも５つのデンタル位置を包含するように構成されており；
前記本体部は、前記凹部ごとに、それぞれの前記凹部の境界を定める凹部壁を含み、
前記凹部壁は、前記凹部壁から前記凹部の中へ延在している複数のブリッスルによってライニングされている、マウスピースにおいて、
前記マウスピースは、メッシュワークをさらに含み、前記メッシュワークは、前記凹部壁に接触して横たわっており、または、前記凹部壁に固定されており；
前記メッシュワークは、ノードおよびメッシュ部材によって形成されており、それぞれの前記メッシュ部材は、１つの前記ノードから別の前記ノードへ延在しており、それぞれの前記ノードは、少なくとも３つの前記メッシュ部材を互いに接続しており、それぞれのノードは、前記ブリッスルまたは前記ブリッスルのタフトのうちの１つまたは複数を担持していることを特徴とする、マウスピース。
【請求項８４】
前記メッシュワークは、前記凹部壁の切り欠きの中に横たわっているか、または、前記凹部壁の材料の中に埋め込まれているか、または、前記凹部壁に接着もしくは糊付けされているか、または、前記圧力チャンバの中に位置決めされており、前記凹部壁の中の孔部と重なっており、前記ブリッスルのタフトが、前記孔部を通って前記凹部壁から外部に延在している、請求項８２または８３に記載のマウスピース。
【請求項８５】
それぞれのメッシュ部材は、２つの前記ノードの間に延在する仮想の真っ直ぐなラインによって定義される長さ方向を有しており、前記２つのノード間に、前記それぞれのメッシュ部材が延在しており；前記メッシュ部材が、その長さ方向に伸縮自在になっており、または、前記メッシュ部材の少なくとも一部が、その長さ方向に伸縮自在になっている、請求項８２から８４のいずれか一項に記載のマウスピース。
【請求項８６】
伸縮自在な前記メッシュ部材は、弾性的に伸縮自在になっている、請求項８５に記載のマウスピース。
【請求項８７】
伸縮自在な前記メッシュ部材は、前記それぞれのメッシュ部材の前記長さ方向に見て、前記伸縮性を提供するように構成されているジグザグ構造を有している、請求項８５または８６に記載のマウスピース。
【請求項８８】
前記メッシュ部材または前記メッシュ部材の少なくとも一部は、前記それぞれのメッシュ部材に作用する所定の力が超えられるときに破断するように構成されている、請求項８２から８７のいずれか一項に記載のマウスピース。
【請求項８９】
前記少なくとも１つの凹部は、その湾曲した長さ方向に見て、中切歯から第１大臼歯までの範囲にある前記デンタル位置を包含するように構成されている、請求項６５から８８のいずれか一項に記載のマウスピース。
【請求項９０】
前記少なくとも１つの凹部は、その湾曲した長さ方向に見て、中切歯から第２大臼歯までの範囲にある前記デンタル位置を包含するように構成されている、請求項６５から８９のいずれか一項に記載のマウスピース。
【請求項９１】
前記少なくとも１つの凹部は、その湾曲した長さ方向に見て、右側の第２小臼歯から左側の第２小臼歯までの範囲にある前記デンタル位置を包含するように構成されている、請求項６５から９０のいずれか一項に記載のマウスピース。
【請求項９２】
前記少なくとも１つの凹部は、その湾曲した長さ方向に見て、右側の第１大臼歯から左側の第１大臼歯までの範囲にある前記デンタル位置を包含するように構成されている、請求項６５から９１のいずれか一項に記載のマウスピース。
【請求項９３】
前記少なくとも１つの凹部は、その湾曲した長さ方向に見て、右側の第２大臼歯から左側の第２大臼歯までの範囲にある前記デンタル位置を包含するように構成されている、請求項６５から９２のいずれか一項に記載のマウスピース。
【請求項９４】
前記ブリッスルは、前記凹部壁に取り付けられているその端部において、前記凹部壁に対して固定されている、請求項６５から９３のいずれか一項に記載のマウスピース。
【請求項９５】
前記凹部壁は、１ｃｍ２当たり少なくとも５本のブリッスル、たとえば、１ｃｍ２当たり少なくとも１０本のブリッスルなどによってライニングされている、請求項６５から９４のいずれか一項に記載のマウスピース。
【請求項９６】
前記凹部壁は、前記長さ方向に対して横断方向に、前記それぞれの凹部の前記Ｕ字形状の断面と一致したＵ字形状になっており；
中心軸線が、前記Ｕ字形状のミラー軸線として定義され、前記凹部の前記Ｕ字形状は、前記中心軸線の方向に延在する２つの脚部を画定しており；
前記２つの脚部は、前記中心軸線に対して０°から９０°の範囲にある角度で延在するブリッスルを提供されている、請求項６５から９５のいずれか一項に記載のマウスピース。
【請求項９７】
前記２つの脚部の前記自由端部は、前記中心軸線に対して３０°から９０°の範囲にある角度で延在するブリッスルを提供されている、請求項９６に記載のマウスピース。
【請求項９８】
前記凹部壁は、弾性的に変形可能である、請求項６５から９７のいずれか一項に記載のマウスピース。
【請求項９９】
前記凹部壁は、少なくとも１Ｈｚの周波数によって、たとえば、１Ｈｚ〜２０Ｈｚなどの範囲にある周波数、または、２０Ｈｚ〜５０Ｈｚ以上などの範囲にある周波数によって、変形可能であるように構成されている、請求項６５から９８のいずれか一項に記載のマウスピース。
【請求項１００】
請求項６５から９９のいずれか一項に記載のマウスピースと、圧力および／または吸引デバイスであって、前記少なくとも１つの圧力チャンバに流体連通しているように構成されており、前記圧力チャンバの中の前記圧力を往復的に増加および減少させるように構成されている、圧力および／または吸引デバイスと、を含むデンタルクリーニングデバイス。
【請求項１０１】
前記圧力および／または吸引デバイスは、そのうえ、
●  ２ｂａｒまでの範囲にある圧力差、たとえば、０．４ｂａｒなどまでの範囲にある圧力差によって、前記少なくとも１つの圧力チャンバの中の前記圧力を往復的に増加および減少させるように構成されており、前記圧力差は、前記増加した圧力状態における前記圧力チャンバの中の前記圧力から前記減少した圧力状態における前記圧力チャンバの中の前記圧力をマイナスしたものとして定義され；かつ／または、
●  大気圧力よりも高い圧力を伴う減少した圧力状態まで、前記少なくとも１つの圧力チャンバの中の前記圧力を減少させるように構成されており；かつ／または、
●  大気圧力に対して最大でも２ｂａｒ、たとえば、大気圧力に対して最大でも１ｂａｒなどの増加した圧力状態まで、前記少なくとも１つの圧力チャンバの中の前記圧力を増加させるように構成されており；かつ／または、
●  大気圧力に対して最大でも０．３ｂａｒ、たとえば、大気圧力に対して最大でも０．２ｂａｒなどの増加した圧力状態まで、前記少なくとも１つの圧力チャンバの中の前記圧力を増加させるように構成されており；かつ／または、
●  大気圧力よりも低い圧力を伴う減少した圧力状態まで、前記少なくとも１つの圧力チャンバの中の前記圧力を減少させるように構成されており；かつ／または、
●  大気圧力に対して−０．５ｂａｒから＋０．２ｂａｒの範囲にある、たとえば、大気圧力に対して−０．５ｂａｒから０ｂａｒなどの範囲にある減少した圧力状態まで、前記少なくとも１つの圧力チャンバの中の前記圧力を減少させるように構成されている、請求項１００に記載のデンタルクリーニングデバイス。
【請求項１０２】
請求項６５から９９のいずれか一項に記載のマウスピースを動作させる方法であって、
●  前記少なくとも１つの圧力チャンバの中の前記圧力は、２ｂａｒまでの範囲にある圧力差、たとえば、０．４ｂａｒなどまでの圧力差によって、往復的に増加および減少され、前記圧力差は、前記増加した圧力状態における前記圧力チャンバの中の前記圧力から前記減少した圧力状態における前記圧力チャンバの中の前記圧力をマイナスしたものとして定義され；かつ／または、
●  前記少なくとも１つの圧力チャンバの中の前記圧力は、往復的に、大気圧力よりも高い圧力を伴う減少した圧力状態まで減少され、前記減少した圧力状態における前記圧力よりも高い圧力まで増加され；かつ／または、
●  前記少なくとも１つの圧力チャンバの中の前記圧力は、往復的に、大気圧力に対して最大でも２ｂａｒ、たとえば、大気圧力に対して最大でも１ｂａｒの増加した圧力状態まで増加され、前記増加した圧力状態における前記圧力よりも低い圧力まで減少され；かつ／または、
●  前記少なくとも１つの圧力チャンバの中の前記圧力は、往復的に、大気圧力に対して最大でも０．３ｂａｒ、たとえば、大気圧力に対して最大でも０．２ｂａｒなどの増加した圧力状態まで増加され、前記増加した圧力状態における前記圧力よりも低い圧力まで減少され；かつ／または、
●  前記少なくとも１つの圧力チャンバの中の前記圧力は、往復的に、大気圧力よりも低い圧力を伴う減少した圧力状態まで減少され、前記減少した圧力状態における前記圧力よりも高い圧力まで増加され；かつ／または、
●  前記少なくとも１つの圧力チャンバの中の前記圧力は、往復的に、大気圧力に対して−０．５ｂａｒから＋０．２ｂａｒの範囲にある、たとえば、大気圧力に対して−０．５ｂａｒから０ｂａｒなどの範囲にある減少した圧力状態まで減少され、前記減少した圧力状態における前記圧力よりも高い圧力まで増加される、方法。
【発明の詳細な説明】
【技術分野】
【０００１】
導入
本出願は、歯および／またはデンタル位置をブラッシングするためのデンタルクリーニングデバイスの分野における複数の発明に関する。より具体的には、複数の発明は、複数のデンタル位置において同時にブラッシングするためのデンタルクリーニングデバイスの分野に関する。
【０００２】
本出願の複数の発明は、３つの章に分割されている。
【０００３】
第１章は、「複数のデンタル位置において同時にブラッシングするためのマウスピースのためのブリッスルによってライニングされている凹部壁を製造する方法、ならびに、その方法によって得られる凹部壁およびマウスピース」という標題の、２０１８年７月１７日に出願された、優先権出願であるオランダ国特許出願第２０２１３３２号に対応している。この標題から分かるように、第１章は、特に、マウスピースのためのブリッスルによってライニングされている凹部壁を製造するための方法に関する。本出願は、オランダ国特許出願第２０２１３３２号の優先権を主張する。
【０００４】
第２章は、「デンタルクリーニングデバイス」という標題の、２０１８年７月１７日に出願された、優先権出願であるオランダ国特許出願第２０２１３３０号に対応している。第２章は、特に、マウスピースがそのブラッシング作用を実施するように、マウスピースを動作させることに関する。本出願は、オランダ国特許出願第２０２１３３０号の優先権を主張する。
【０００５】
第３章は、「複数のデンタル位置においてブラッシングするためのマウスピース、そのようなマウスピースを含むブラッシングデバイス、および、そのようなマウスピースまたはブラッシングデバイスを動作させる方法」という標題の、２０１８年７月１７日に出願された、優先権出願であるオランダ国特許出願第２０２１３３１号に対応している。第３章は、特に、マウスピースまたは凹部壁の特定の構成に関する。本出願は、オランダ国特許出願第２０２１３３１号の優先権を主張する。
【０００６】
第２章のデンタルクリーニングデバイスは、第１章に説明されているような方法によって製造される凹部壁を含むことが可能であるが、これは、必ずしもそうであるとは限らない。また、第２章のクリーニングデバイスの凹部壁は、他の様式で製造され得る。
【０００７】
さらに、第２章のデンタルクリーニングデバイスは、第３章の実施形態のうちの１つにしたがって構成されているマウスピースまたは凹部壁を有することが可能であるが、これは、必ずしもそうであるとは限らない。また、第２章のマウスピースまたは凹部壁は、異なって構成され得る。
【０００８】
第３章のマウスピースは、第１章に説明されているような方法によって製造される凹部壁を含むことが可能であるが、これは、必ずしもそうであるとは限らない。また、第３章のマウスピースの凹部壁は、他の様式で製造され得る。
【０００９】
さらに、第３章のマウスピースは、第２章にしたがって動作され得るが、これは、必ずしもそうであるとは限らない。また、第３章のマウスピースは、異なる様式で動作され得る。
【００１０】
本出願の説明は、本説明にも示されているように、これらの３つの章にしたがって配置されている。請求項は、その請求項がどの章に所属するかということを示すヘッダーを含有している。
【００１１】
各章は、専門用語に対応する同様の特徴を使用する。１つの章の中で使用される専門用語と別の章の中で使用される専門用語との間に食い違いがある場合には、ある章の中で使用される専門用語は、その章の中では、他の章の中の上記専門用語に優先する。
【００１２】
第１章
［発明の名称］複数のデンタル位置において同時にブラッシングするためのマウスピースのためのブリッスルによってライニングされている凹部壁を製造する方法、ならびに、その方法によって得られる凹部壁およびマウスピース
【００１３】
第１章の本発明は、複数のデンタル位置において同時にブラッシングするためのマウスピースを有するデンタルクリーニングデバイスの分野に関し、とりわけ、デンタルクリーニングデバイスであって、マウスピースが、少なくとも１つの凹部を提供された本体部を含むタイプのものであり、少なくとも１つの凹部は複数のブリッスルによってライニングされている凹部壁によって境界を定められており、複数のブリッスルは、凹部壁から凹部の中へ延在しており、凹部壁は、アーチ形状の長さ軸線を画定しており、長さ軸線に対して横断方向に見て、Ｕ字形状の断面形状を画定しており、また、歯列弓に沿って複数のデンタル位置を包含するように構成されている、デンタルクリーニングデバイスに関する。
【背景技術】
【００１４】
［第１章の背景技術］
人間および動物の歯のクリーニングは、口腔衛生および内臓の健康のための必須条件である。たとえば、手動の歯ブラシおよび電動歯ブラシなど、さまざまなデンタルクリーニングデバイスが利用可能である。これらの典型的な歯ブラシでは、効果的にプラークを除去するために、１日に少なくとも２分にわたって所定の方法によって歯をブラッシングすることが勧められている。しかし、平均的な人は、自分の歯をクリーニングするのに所定の時間のすべてを費やすわけではなく、常に効果的な方法にしたがってプラッシングするとは限らない。追加的に、障害者もしくは高齢者または子供にとって、歯ブラシによって歯をプラッシングすることは困難である可能性がある。その理由は、典型的な歯ブラシが歯のさまざまな表面の上でのブラシのブリッスルの精密な位置決めを必要とするからである。
【００１５】
高齢者には頻繁にあるように、いくつかのまたはすべてのデンタル位置において歯が失われている場合には、これらのデンタル位置における歯茎のクリーニングが、依然として、口腔衛生および内臓の健康のための必須条件である。
【００１６】
これらのデンタル位置における歯および／または歯茎をクリーニングするために、それらのデンタル位置における歯および／または歯茎を自動的にブラッシングする必要性が存在しており、それによって、効果的なブラッシングのために必要とされる時間および労力が低減される。加えて、ブラシを慎重に操作することを回避する必要性も存在している。
【００１７】
上顎歯列弓および／または下顎歯列弓をカバーするマウスピースを含むデンタルクリーニングデバイスが知られている。これらのマウスピースは、少なくとも１つの凹部を提供された本体部を含むタイプのものであることが可能であり、少なくとも１つの凹部は、複数のブリッスルによってライニングされている凹部壁によって境界を定められており、複数のブリッスルは、凹部壁から凹部の中へ延在しており、凹部壁は、アーチ形状の長さ軸線を画定しており、長さ軸線に対して横断方向に見て、Ｕ字形状の断面形状を画定しており、また、歯列弓に沿って複数のデンタル位置を包含するように構成されている。歯および／または歯茎のように、ブラッシングされることになるデンタル位置は、少なくとも１つの凹部の中に挿入され、ブリッスルによってライニングされている凹部壁は、凹部壁の上のブリッスルによって、歯および／または歯茎をブラッシングするように動作される。凹部の長さに応じて、上顎歯列弓および／または下顎歯列弓のいくつかのまたはすべてのデンタル位置が、同時にブラッシングされ得る。そのようなマウスピースの例が、出願人によって２０１８年４月２７日に出願された特許文献１に見出され得る。このＰＣＴ出願は、本出願の優先日においてまだ公開されていない。
【００１８】
そのようなマウスピースの一部は、ブリッスルによってライニングされている凹部壁であり、凹部壁は、長さ方向において、アーチ形状になっており、この長さ方向に対して横断方向において、断面がＵ字形状になっており、凹部壁は、Ｕ字形状の内側側部において、ブリッスルを有している。Ｕ字形状の断面の小さい内側スペース、および、アーチ形状の長さは、ブリッスルによってライニングされているそのような凹部壁の製造を非常に困難にする。当然のことながら、ブリッスルによってライニングされているそのような凹部壁は、ブリッスルまたはブリッスルのタフトを１つずつ凹部壁に取り付けることによって手動で作製され得る。しかし、これは、労働集約的であり、時間効率的およびコスト効率的ではない。Ｕ字形状の断面およびＵ字形状の内側側部の上にブリッスルを備えたそのような凹部壁は、凹部壁およびブリッスルを同時に射出成形することによってさらに作製され得るが、Ｕ字形状の小さい内側幅に起因して、成形された凹部壁およびブリッスルをモールドから離型することは、ブリッスルに損傷を与えることなく処理するにはほとんど不可能である。さらに、Ｕ字形状の断面を有する狭いアーチ形状のチャネルの内側壁をタフティングすること(tufting)は、自動化され得ない。
【００１９】
したがって、左側の第２小臼歯から右側の第２小臼歯への距離に少なくとも等しい距離に及ぶアーチに沿って配置されている複数のデンタル位置において同時にブラッシングするためのブリッスルによってライニングされている連続的な凹部壁を製造する方法に対する必要性が存在している。そこでは、凹部壁は、少なくとも左側の第２小臼歯から少なくとも右側の第２小臼歯と関連付けられるデンタル位置を包含するように構成されており、Ｕ字形状の断面と、左側の第２小臼歯から右側の第２小臼歯への距離に少なくとも等しい距離に及ぶアーチ形状の長さ軸線と、を有している。
【先行技術文献】
【特許文献】
【００２０】
【特許文献１】国際出願第ＰＣＴ／ＮＬ２０１８／０５０２７６号
【特許文献２】独国特許出願公開第１０３．０３．５４８号明細書
【発明の概要】
【発明が解決しようとする課題】
【００２１】
［第１章の発明の概要］
第１章の本発明の目的は、複数のデンタル位置において同時にブラッシングするためのマウスピースのための凹部壁を製造する代替的な方法であって、凹部壁は、Ｕ字形状の断面を有する狭いアーチ形状のチャネルを画定しており、左側の第２小臼歯から右側の第２小臼歯への距離に少なくとも等しい長さを有しており、チャネルの内側側部の上のブリッスルによってカバーされている、方法を提供することである。
【課題を解決するための手段】
【００２２】
第１章の本発明の第１の態様によれば、上記の目的のうちの１つまたは複数は、請求項１に記載の方法を提供することによって実現される。
【００２３】
第１章の本発明によれば、複数のデンタル位置において同時にブラッシングするためのマウスピースのためのブリッスルによってライニングされている連続的な凹部壁を製造する方法が提供される。換言すれば、その方法は、同時に複数のデンタル位置においてブラッシングするように構成されている凹部壁を結果として生じさせる。自然のまたは人工の歯のエレメントが、凹部壁の上のブリッスルがブラッシングするデンタル位置に存在している場合には、この歯のエレメントがブラッシングされる。歯のエレメントが、凹部壁の上のブリッスルがブラッシングするデンタル位置に存在していない場合には、歯茎がブラッシングされ得る。
【００２４】
第１章の本発明による方法によって得られる連続的な凹部壁は、アーチ形状の長さ軸線を有しており、また、長さ軸線に対して横断方向に見て、前記複数のデンタル位置を包含するように構成されているＵ字形状の断面を有している。アーチ形状の長さ軸線は、左側の第２小臼歯から右側の第２小臼歯への距離に少なくとも等しい距離に及ぶ長さを有している。さらに、アーチ形状の長さ軸線は、人間の歯列弓の形状と同様の形状を有することが可能である。
【００２５】
第１章の本発明による方法は、提供するステップを含む。この提供するステップでは、複数のブリッスルによってライニングされている第１の側部を有する細長い連続的なブリッスル付きシート部品が提供される。この細長い連続的なブリッスル付きシート部品は、他のどこかで事前製作されたプレハブ部品として提供され得、または、提供するステップにおいて、アーチ形状の長さ軸線およびブリッスルによってライニングされている第１の側部を有する前記細長い連続的なブリッスル付きシート部品は、たとえば、シート部品およびブリッスルを一体部品に組み立てることによって、シート部品およびブリッスルを射出成形することによって、シート部品をモールドの中に射出成形することによって（モールドの中には、（たとえば、ナイロンの）ブリッスルがインサートとして設置されており、成形されたシート部品と一体部品になる）作製され得、もしくは、ブリッスルによってライニングされている第１の側を有するシート部品を得るのに適切な任意の他の様式で作成され得る。提供するステップにおいて得られる細長い連続的なブリッスル付きシート部品は、初期状態を有しており、初期状態は、ブリッスル付きシート部品に対して平行に延在するアーチ形状の長さ軸線を有しており、また、長さ軸線に対して横断方向に見て、断面形状として初期形状を有している。
【００２６】
第１章の本発明による方法は、変容させるステップをさらに含む。この変容させるステップでは、提供するステップにおいて得られるブリッスル付きシート部品が、初期状態から最終状態へ変容させられ、凹部壁が製造されることを結果として生じさせる。最終状態では、断面形状は、最終的なＵ字形状を有しており（それは、製造されることになる凹部壁のＵ字形状の断面に対応することが可能である）、長さ軸線は、アーチ形状になっており、第１の側部は、最終的なＵ字形状の凹形内側側部である。最終状態のさらなる特質は、最終状態において、ブリッスルによってライニングされている（ブリッスル付きシート部品の）第１の側部が初期状態のときよりも凹形になっているということである。
【００２７】
この方法は、提供するステップにおいて提供されることになるブリッスルを備えたブリッスル付きシート部品が他のどこかで事前製作されることを可能にし、または、シート部品の第１の側部（すなわち、ブリッスルによってライニングされることになる側部）がたとえば平坦になっているか、凸形になっているか、または浅い凹形になっているという状態において、ブリッスル付きシート部品が現地で作製されることを可能にし、それがブリッスル付きシート部品を作製するために容易にアクセス可能になるようになっている。初期状態において、ブリッスルは、シート部品から本質的に同じ方向に延在することが可能であり、ブリッスルは、たとえば、互いにほぼ平行に延在することが可能である。また、ブリッスルは、平行なブリッスルの１つまたは複数のグループにグループ化され得、異なるグループのブリッスルは、互いに対して異なる方向に延在している。たとえば、初期状態におけるシート部品の平坦なまたは凸形の第１の側部は、シート部品および／またはブリッスルを射出成形する場合において、成形されたシート部品およびブリッスルを離型するときに（たとえば、特許文献２を参照）、モールド半体が容易に除去されることを可能にし、特許文献２では、従来の歯ブラシのためのブリッスルを備えたシート部品は、いくつかのステップでシート部品を射出成形することによって、および、ブリッスルのタフトをモールド半体の中へ挿入することによって作製される。さらに、初期状態におけるシート部品の平坦なまたは凸形の第１の側部は、また、ブリッスルを備えたシート部品を組み立てるために、ＡＦＴ歯ブラシ技術のようなＧＢ  Ｂｏｕｃｈｅｒｉｅ  ＮＶ，  Ｂｅｌｇｉｕｍによって提供されるオプション、または、アンカーレス歯ブラシのようなＺａｈｏｒａｎｓｋｙ  ＡＧ，  Ｇｅｒｍａｎｙの技術のような、他の技法が使用されることを可能にする。この事前に組み立てられたブリッスル付きシート部品は、その後に、変容させるステップにさらされ、変容させるステップでは、ブリッスル付きシート部品の初期状態が製造されるべき凹部壁に変容させられ、その製造されるべき凹部壁は、最終状態を有する。この変容させるステップにおいて、提供するステップにおいて得られるブリッスル付きシート部品は、その最終的なＵ字形状の断面に持って行かれ、その最終的なＵ字形状の断面では、Ｕ字形状の断面の対向する側部の上のブリッスルが互いに向けて延在しており、互いに交差することが可能である。
【００２８】
第１章の本発明のさらなる実施形態によれば、最終的なＵ字形状は、２つの脚部およびこれらの脚部を接続する底部によって画定され得、垂直方向の軸線が、脚部間の底部に対して横断方向に延在するように定義され得る。この実施形態によれば、最終状態において、一方の脚部の上のブリッスル、および、他方の脚部の上のブリッスルは、それぞれの脚部から互いに向けて延在していることが可能である。さらに、この実施形態によれば、加えてまたは代替的に、および、最終状態において見て、脚部の上のブリッスルは、垂直方向の軸線に対して所定の角度で提供され得、その角度は、垂直方向の軸線に対して３０°から９０°の範囲にある。
【００２９】
第１章の本発明のさらなる実施形態によれば、２つの脚部およびこれらの脚部を接続する底部は、最終的なＵ字形状によって画定されており、垂直方向の軸線は、底部に対して横断方向に延在するものとして定義されており、脚部は、その脚部の上の前記ブリッスルのそれぞれの根元部において、ブリッスル付きシート部品の第１の側部の接線を定義しており、接線は、長さ軸線に対して横断方向の平面の中に延在しており；初期状態において、ブリッスルは、垂直方向の軸線に対して平行に延在することが可能であり、それぞれの前記接線は、垂直方向の軸線に対してそれぞれの所定の初期角度を有することが可能であり；変容させるステップにおいて、脚部は、互いに向けて曲げられ、垂直方向の軸線に対してｘ°の角度にわたってそれぞれの接線を回転させ、それぞれの接線に関連付けられたブリッスルが、底部から離れる方を指す方向に、垂直方向の軸線に対してｘ°の角度で延在するようになっている。脚部を互いに向けて曲げるときに、脚部が真っ直ぐになっており、曲がらない場合には、このさらなる実施形態は、ある実施形態として表現されることも可能であり、その実施形態では、２つの脚部およびこれらの脚部を接続する底部が最終的なＵ字形状によって画定されており、垂直方向の軸線は、底部に対して横断方向に延在するものとして定義されており；ブリッスルは、初期状態において、垂直方向の軸線に対して平行に延在することが可能であり；脚部の上の前記ブリッスルの少なくとも一部は、最終状態において、底部から離れる方を指す方向に、垂直方向の軸線に対してｘ度の角度で延在することが可能であり；脚部は、初期状態において、垂直方向の軸線に対して初期角度を有することが可能であり；脚部は、最終状態において、垂直方向の軸線に対して最終的な角度を有することが可能であり、最終的な角度は、初期角度よりも前記ｘ度大きくなっている。
【００３０】
それを行うことによって、ｉ）事前製作された部品（すなわち、ブリッスル付きシート部品）は、提供するステップにおいて、互いにおよび垂直方向の軸線に対して平行なすべてのブリッスルを提供されており、それは、事前製作された部品を作製することをかなり簡単化する。次に、変容させるステップにおいて、脚部が、垂直方向に対してｘ度の角度にわたって互いに向けて回転され、最終状態において、脚部の上のブリッスルが垂直方向に対してｘ度の角度で延在するようになっている。ｘに関する値は、第１章の本発明によれば、０°〜９０°の範囲にあることが可能であり、たとえば、３０°〜６０°などの範囲にあることが可能であり、たとえば、４０°〜５０°の範囲にあることが可能である。追加的にまたは代替的に、垂直方向の軸線に対する脚部の最終的な角度は、第１章の本発明によれば、０°〜４５°の範囲にあることが可能であり、たとえば、５°〜２０°の範囲にあることが可能である。
【００３１】
第１章の本発明のさらなる実施形態によれば、アーチ形状の長さ軸線とブリッスルによってライニングされている第１の側部とを有する細長い連続的なブリッスル付きシート部品は、提供するステップにおいて作製される。次いで、提供するステップは、事前製作された部品としての（細長い、連続的な）シート部品（依然としてブリッスルを備えていない）によって開始することが可能である。このシート部品は、たとえば、ＴＰＥから、または、この第１章において述べられているかもしくは述べられていない任意の他の適切なシート部品材料から作製され得る。次いで、提供するステップの間に、これは（まだブリッスル付きシート部品ではない）、ブリッスルまたはブリッスルのタフトを提供される。これらのブリッスルおよびタフトのブリッスルそれぞれは、ナイロンもしくはＰＢＴ（ポリブチレンテレフタレート）から、または、この第１章において述べられているかもしくは述べられていない任意の他の適切なブリッスル材料から作製され得る。ブリッスルまたはブリッスルのタフトは、シート部品に固定されることになる。シート部品へのブリッスルのこの固定は、タフティング、接着、融合、または、この第１章において説明されているかもしくは説明されていない任意の他の方法によるものであることが可能である。そのように得られるブリッスル付きシート部品は、その後に、第１章の本発明による方法の変容させるステップにさらされることになる。
【００３２】
第１章の本発明のさらなる実施形態によれば、ブリッスルは、根元部端部と、自由端部と、根元部端部から自由端部へ延在するブリッスル本体部と、を有しており、提供するステップにおいて得られるブリッスル付きシート部品は、（提供するステップにおいて、または、提供するステップの前に）タフティングによって作り出され、タフティングは、
−  複数のナイロンブリッスルまたはナイロンブリッスルのタフトを第１のシート部品を通して挿入し、ブリッスル本体部および自由端部が第１のシート部品の表側から延在した状態にし、根元部端部が第１のシート部品の裏側に突き出た状態にするステップと；
−  任意選択で、第１のシート部品の裏側に接触して第２のシート部品を提供するステップと；
−  ブリッスルの根元部端部を第１のシート部品および／または（存在する場合には）第２のシート部品と融合させるステップと、
を含む。
【００３３】
タフティングは、提供するステップの間に行われ得るが、タフティングされたブリッスル付きシート部品は、また、提供するステップに送達される事前製作された部品であることも可能である。後者の場合において、タフティングは、提供するステップの前に、たとえば、はるかに早い時間に、および／または、提供するステップが行われる場所とは異なる別の場所において、すでに行われていることになる。任意選択の第２のシート部品を提供することは、第１のシート部品の裏側に対して第２のシート部品を射出成形することによるものであることが可能である。代替的に、第２のシート部品は、事前製作された部品であることが可能であり、事前製作された部品は、第１のシート部品の裏側に対して設置されており、根元部を第２のシート部品に融合させるように加熱される。第２のシート部品が存在しないとき、根元部端部は、たとえば、それらを第１のシートに融合させることによって、第１のシートに固定されることになる。任意選択の第２のシートが存在している場合には、根元部は、たとえば、シート部品のうちの一方または両方に根元部を融合させることによって、第１のシート部品および／または第２のシート部品に固定される。そうであるので、タフティングは、すでに知られている方法、たとえば、特許文献２に説明されている方法にしたがって行われ得る。
【００３４】
第１章の本発明のさらなる実施形態によれば、ブリッスル付きシート部品は、変容させるステップにおいて、熱成形によって初期状態から最終状態へ変容させられ得る。熱成形は、たとえば、真空形成によって行われ得る。ブリッスル付きシート部品は、第２の側部がＵ字形状のモールドキャビティの中へ面した状態で、および、ブリッスルを備えた第１の側部がＵ字形状のモールドキャビティとは反対側を向いた状態で、モールドの中に設置され得、その後に、モールドキャビティは真空にされ得、ブリッスル付きシート部品をキャビティの中へ吸引させ、Ｕ字形状のキャビティの形状をとる。初期状態から最終状態へブリッスル付きシート部品を変容させるときには、ブリッスル付きシート部品は、第１章の本発明によれば、熱成形によって引き伸ばされ得る。さらなる実施形態によれば、最終状態において、および、Ｕ字形状の輪郭に沿った方向に見て、ブリッスルは、規則的に分配され得る。さらに、加えてまたは代替的に、初期状態において、ブリッスル付きシート部品の上のブリッスルの分配は、最終状態において、および、Ｕ字形状の輪郭に沿った方向に見て、ブリッスルが規則的に分配されるかまたは所定のパターンにしたがって分配されるように構成され得る。換言すれば、初期状態におけるブリッスルのパターンは、シート部品の引き伸ばしが熱成形の間に起こるということを考慮に入れると、所定のパターン（たとえば、規則的な分配など）が最終状態において得られるように決定される。
【００３５】
第１章の本発明のさらなる実施形態によれば、長さ軸線は、初期状態において、最終状態のときと同じ湾曲を有することが可能であり、すなわち、変容させるステップにおいて、長さ軸線の湾曲は変化されない。
【００３６】
第１章の本発明のさらなる実施形態によれば、ブリッスル付きシート部品の長さ軸線は、初期状態において初期の湾曲を有することが可能であり、最終状態において最終的な湾曲を有することが可能であり、初期の湾曲は、最終的な湾曲よりも広く湾曲している。変容させるステップにおいて、ブリッスル付きシート部品の長さ軸線の湾曲は、広い初期の湾曲から狭い最終的な湾曲へ低減されることになる。長さ軸線の湾曲を低減させることは、それが初期状態のときに有していたものよりも凹形の形状に断面形状が変容することを支持するかまたは促進する。この点に関して、ブリッスル付きシート部品の断面形状が、ブリッスル付きシート部品の第１の側部に関して見て、すでに凹形の形状（それは、最終的な構成のときよりも凹形にはなっていない）を有しているときには、それがより役立つ可能性がある。
【００３７】
第１章の本発明のさらなる実施形態によれば、ブリッスル付きシート部品は、２つの境界縁部を有しており、２つの境界縁部は、（ブリッスル付きシート部品の境界を定めており、また、）長さ軸線に対して横断方向の方向に見て、互いに所定の相互距離において、長さ軸線に沿って延在しており（任意選択で長さ軸線に対して平行になっている）、変容させるステップにおいて、ブリッスル付きシート部品は、２つの境界縁部の間の相互距離を低減させることによって変容させられ得る。フレーム部材を利用して、フレーム部材の弓形湾曲は、初期状態において、ブリッスル付きシート部品の最終的な湾曲よりも広くなっていることが可能であるか、または、ブリッスル付きシート部品の最終的な湾曲に対応することが可能であるかのいずれかである。
【００３８】
第１章の本発明のさらなる実施形態によれば、
−  提供するステップにおいて得られるブリッスル付きシート部品は、内側境界縁部および外側境界縁部によって境界を定められ得、内側境界縁部および外側境界縁部は、長さ軸線から所定の距離において長さ軸線に沿って延在しており、
−  ブリッスル付きシート部品は、舌側フレーム部材および顔側フレーム部材と一体的な部品であることが可能であり、舌側フレーム部材および顔側フレーム部材は、両方とも、それぞれの弓形湾曲に沿って弓形形状になっており、かつ
−  ブリッスル付きシート部品は、内側境界縁部において内側取り付け部材を含み、内側取り付け部材は、内側境界縁部に沿って（たとえば、内側境界縁部全体に沿ってなど）延在し、舌側フレーム部材に取り付けられており、ブリッスル付きシート部品は、外側境界縁部において外側取り付け部材を含み、外側取り付け部材は、外側境界縁部に沿って（たとえば、外側境界縁部全体に沿ってなど）延在し、顔側フレーム部材に取り付けられている。
【００３９】
このさらなる実施形態によれば、顔側フレーム部材および舌側フレーム部材は、ブリッスル付きシート部品とは別個の１つまたは２つの部品として提供され得、それらは、提供するステップにおいて提供した後に、提供するステップにおいて一緒に組み立てられる。次いで、提供するステップは、いくつかのサブステップ：
−  顔側フレーム部材および舌側フレーム部材を提供するサブステップと、
−  顔側フレーム部材および舌側フレーム部材とは別個に、内側取り付け部材および外側取り付け部材と一体になったブリッスル付きシート部品を提供するサブステップと、
−  内側取り付け部材および外側取り付け部材を舌側フレーム部材および顔側フレーム部材それぞれに取り付けるサブステップと、
を含むことが可能である。
【００４０】
代替的に、ブリッスル付きシート部品、顔側フレーム部材、および舌側フレーム部材は、このさらなる実施形態によれば、また、事前製作された一体部品として提供され得、それは、非常に異なる場所において、または、非常に異なる瞬間に作製されていることが可能である。換言すれば、ブリッスル付きシート部品、顔側フレーム部材、および舌側フレーム部材を含む、事前製作された一体部品は、いわば、提供するステップの入力、および、提供するステップの出力（＝得られるブリッスル付きシート部品）であることが可能である。舌側フレーム部材および顔側フレーム部材は、１つの一体的なフレーム部材または２つの別個のフレーム部材部品であることが可能である。
【００４１】
第１章の本発明のさらなる実施形態によれば、ブリッスル付きシート部品、顔側フレーム部材、および舌側フレーム部材は、提供するステップの間にまたは提供するステップの前に、射出成形（たとえば、マルチ材料射出成形）によって作製される。第１の例によれば、ブリッスルのタフト（たとえば、ナイロンブリッスル）が、射出成形モールドの中に設置され得、その後に、シート部品を形成するための材料が、タフトの根元部をオーバーモールドするために射出され得る。第２の例によれば、ブリッスル付きシート部品（たとえば、第１の例にしたがって事前製作されている）が、射出成形モールドの中に設置され得、舌側フレーム部材および顔側フレーム部材のための材料が、シート部品の一部（取り付け部材など）とともにオーバーモールドするためにモールドの中に射出され得る。第３の例によれば、フレーム部材（たとえば、射出成形によって事前製作されている）が、射出成形モールドの中に設置され、ブリッスルおよびシート材料が、フレーム部材とともにオーバーモールドするために射出され得、または、シート材料は、タフトインサート（第１の例による）およびフレーム部材の両方とともにオーバーモールドするために射出され得る。第４の例によれば（それは、第１の例と組み合わせられている可能性がある）、顔側フレーム部材および舌側フレーム部材のためのフレーム材料、ならびに、シート部品および（第１の例にしたがって提供されない場合には）任意選択でブリッスルのためのシート材料が、モールドの中に射出され、フレーム材料およびシート材料を同時にまたはシーケンシャルに射出することによって、シート部品および任意選択でブリッスル、ならびに、舌側フレーム部材および顔側フレーム部材を形成することが可能である。
【００４２】
第１章の本発明のさらなる実施形態によれば、内側取り付け部材および外側取り付け部材は、内側境界縁部および外側境界縁部それぞれに沿って延在するサイドフラップとして構成され得、舌側フレーム部材および顔側フレーム部材それぞれに取り付けられる（たとえば、接着される）ように構成され得る。接着することは、接着剤（もしくはグルー）によるか、テープによるか、熱溶接によるか、または、マルチ材料射出成形技法によるものであることが可能であり、マルチ材料射出成形技法は、射出されたフレーム部材のための材料および射出されたシート部品のための材料が一緒になる場所において、融合されたインターフェース層を引き起こす。
【００４３】
第１章の本発明のさらなる実施形態によれば、内側取り付け部材および外側取り付け部材は、内側境界縁部および外側境界縁部それぞれに沿って延在するダブルサイドフラップとして構成され得、舌側フレーム部材および顔側フレーム部材は、プレート部品を備えて構成されており、ダブルサイドフラップは、第１のフラップ部品および第２のフラップ部品を含み、第２のフラップ部品は、第１のフラップ部品に対して平行に、第１のフラップ部品から所定の距離にあり、第１のフラップ部品と第２のフラップ部品との間に、ギャップを画定しており、ギャップは、舌側フレーム部材および顔側フレーム部材それぞれのプレート部品を受け入れるように構成されている。フラップ間のギャップの中に挿入されるプレート部品は、たとえば、接着することによって、フラップに取り付けられることになる。接着することは、接着剤（もしくはグルー）によるか、テープによるか、熱溶接によるか、または、マルチ材料射出成形技法によるものであることが可能であり、マルチ材料射出成形技法は、射出されたフレーム部材のための材料および射出されたシート部品のための材料が一緒になる場所において、融合されたインターフェース層を引き起こす。
【００４４】
第１章の本発明のさらなる実施形態によれば、提供するステップにおいて、２つの前記ブリッスル付きシート部品が得られ、
−  それぞれのブリッスル付きシート部品は、前記内側境界縁部および前記外側境界縁部によって境界を定められており、内側境界縁部および外側境界縁部は、長さ軸線から所定の距離において長さ軸線に沿って延在しており、
−  それぞれのブリッスル付きシート部品は、前記舌側フレーム部材および顔側フレーム部材との一体部品であり、舌側フレーム部材および顔側フレーム部材は、両方とも、それぞれの弓形湾曲に沿って弓形形状になっており、
−  それぞれのブリッスル付きシート部品は、内側境界縁部の上に前記内側取り付け部材を含み、内側取り付け部材は、内側境界縁部に沿って延在し、舌側フレーム部材に取り付けられており、それぞれのブリッスル付きシート部品は、外側境界縁部の上に前記外側取り付け部材を含み、外側取り付け部材は、外側境界縁部に沿って延在し、顔側フレーム部材に取り付けられており、
前記２つのブリッスル付きシート部品のうちの第１のブリッスル付きシート部品に関連付けられる顔側フレーム部材は、第１のスナップ接続のオス型部品またはメス型部品を提供されており、前記２つのブリッスル付きシート部品のうちの第２のブリッスル付きシート部品に関連付けられる顔側フレーム部材は、前記第１のスナップ接続の嵌合するメス型部品またはオス型部品それぞれを提供されており、
前記２つのブリッスル付きシート部品のうちの第１のブリッスル付きシート部品に関連付けられる舌側フレーム部材は、第２のスナップ接続のオス型部品またはメス型部品を提供されており、前記２つのブリッスル付きシート部品のうちの第２のブリッスル付きシート部品に関連付けられる顔側フレーム部材は、前記第２のスナップ接続の嵌合するメス型部品またはオス型部品それぞれを提供されている。２つのスナップ接続のメス型部品の両方が、一方の前記セットの舌側フレーム部材および顔側フレーム部材の上に提供され得、一方では、２つのスナップ接続の嵌合するオス型部品は、他方の前記セットの舌側フレーム部材および顔側フレーム部材の上に提供される。代替的に、一方のセットの舌側フレーム部材が、第１のスナップ接続のメス型部品を提供され得、一方のセットの顔側フレーム部材が、第２のスナップ接続のオス型部品を提供され得、一方では、他方のセットの舌側フレーム部材が、第１のスナップ接続のオス型部品を提供され得、他方のセットの顔側フレーム部材が、第２のスナップ接続のメス型部品を提供され得る。
【００４５】
第１章の本発明のさらなる実施形態によれば、提供するステップにおいてブリッスル付きシート部品によって得られる、舌側フレーム部材および顔側フレーム部材の弓形湾曲は、最終的な湾曲よりも広くなっていることが可能であり；変容させるステップにおいて、弓形湾曲は、より狭い最終的な湾曲と対応するように低減される。ブリッスル付きシート部品の内側縁部および外側縁部をそれぞれのフレーム部材に取り付けた後に、フレーム部材の弓形湾曲を低減させることは、簡単なアクションであり、それは、自動化するのが容易である。これらの弓形湾曲を低減させることは、ブリッスル付きシート部品の長さ軸線の湾曲を同時に低減させることを結果として生じさせ、それは、ブリッスル付きシート部品の第１の側部の凹面の増加を結果として生じさせる。
【００４６】
第１章の本発明のさらなる実施形態によれば、舌側フレーム部材および顔側フレーム部材は、弾性になっていることが可能であり、解放状態を有することが可能であり、解放状態では、フレーム部材は、無応力になっており、凹部壁の最終的な湾曲に対応する弓形湾曲を有しており；方法は、事前付勢するステップをさらに含むことが可能であり、事前付勢するステップが、提供するステップの前または間に行われ；事前付勢するステップにおいて、フレーム部材は、解放状態からプリテンション状態へプリテンションをかけられ、プリテンション状態では、フレーム部材の弓形湾曲は、ブリッスル付きシート部品の初期の湾曲に対応するように広くされ、プリテンション状態では、フレーム部材は、フレーム部材をそれらの解放状態に戻す方向に作用するプリテンションを有しており；変容させるステップにおいて、弓形湾曲は、フレーム部材のプリテンションを解除することによって低減される（狭くされる）。それを行うことで、フレーム部材の中に蓄積されるプリテンションが、ブリッスル付きシート部品の第１の側部の凹面を増加させるために使用される。
【００４７】
第１章の本発明のさらなる実施形態によれば、２つの前記ブリッスル付きシート部品が得られ得、第１および第２のシート部品の取り付け部材は、たとえば熱溶接によって、互いに取り付けられ得る。取り付け部品は、たとえば熱溶接によって、互いに直接的に取り付けられ得るか、または、中間部品を介して間接的に取り付けられ得、その場合には、熱溶接が同様に使用され得る。
【００４８】
第１章の本発明のさらなる実施形態によれば、製造されることになるマウスピースは、２つの前記凹部を有するタイプのものであり、２つの前記凹部は、前記複数のブリッスルによってライニングされている前記凹部壁によってそれぞれ境界を定められており、前記凹部壁の円弧形状の長さ軸線同士は、平行になっており、Ｕ字形状の断面形状は、対向する方向に開口しており；提供するステップは、第１の前記ブリッスル付きシート部品および第２の前記ブリッスル付きシート部品を、第１のブリッスル付きシート部品を第２のブリッスル付きシート部品と一体的に接続する移行エリアを有する１つの単一部品として提供することが可能であり、移行ゾーンは、２つのブリッスル付きシート部品が第１の位置から第２の位置へ互いに対して折り畳まれることを可能にするように構成されており、第１の位置では、２つのブリッスル付きシート部品が整合されており、第２の位置では、２つのブリッスル付きシート部品が互いに折り重ねられており；方法は、折り畳むステップをさらに含み、折り畳むステップにおいて、ブリッスル付きシート部品は、第１の位置から第２の位置へ互いに対して折り畳まれる。この折り畳むステップは、変容させるステップの前に、変容させるステップの後に、または、変容させるステップの間に行われ得る。
【００４９】
さらなる実施形態によれば、長さ軸線の長さは、左側の第１大臼歯から右側の第１大臼歯までの距離に少なくとも等しい距離に及んでおり、たとえば、左側の第２大臼歯から右側の第２大臼歯までの距離に少なくとも等しい距離に及ぶ長さなどに及んでいる。
【００５０】
さらなる実施形態によれば、提供するステップにおいて得られるブリッスル付きシート部品は、１ｃｍ２当たり少なくとも５本のブリッスル、たとえば、１ｃｍ２当たり少なくとも１０本のブリッスルなどによってライニングされ得る。たとえば、ブリッスル付きシート部品と一緒に射出成形されたエラストマーブリッスルの場合において、ブリッスル付きシート部品は、１ｃｍ２当たり４０本から２００本のブリッスルによってライニングされ得る。たとえばナイロンのブリッスルの場合において、ブリッスル付きシート部品は、１ｃｍ２当たり１０００本から６０００本のブリッスルよってライニングされ得る。
【００５１】
第１章の本発明のさらなる実施形態によれば、最終的なＵ字形状は、０ｍｍから１０ｍｍの範囲にある、たとえば、２ｍｍから１２ｍｍなどの範囲にある内部幅を有することが可能であり；かつ／または、最終的なＵ字形状は、３ｍｍから２０ｍｍの範囲にある、たとえば、５ｍｍから１０ｍｍなどの範囲にある内部高さを有している。
【００５２】
第１章の本発明のさらなる実施形態によれば、ブリッスル付きシート部品は、最大で１５ｍｍまでの厚さを有しており、たとえば、０．５ｍｍから３ｍｍなどの範囲にある厚さを有しており、この厚さは、シート部品自身の厚さとして、すなわち、ブリッスル（の長さ）なしの厚さとして定義される。
【００５３】
第１章の本発明の第２の態様によれば、本発明は、少なくとも１つの凹部を提供された本体部を含むタイプのマウスピースを製造する方法であって、少なくとも１つの凹部は、複数のブリッスルによってライニングされている凹部壁によって境界を定められており、複数のブリッスルは、凹部壁から凹部の中へ延在しており、凹部壁は、アーチ形状の長さ軸線を画定しており、長さ軸線に対して横断方向に見て、Ｕ字形状の断面形状を画定しており、また、歯列弓に沿って複数のデンタル位置を包含するように構成されており；凹部壁は、第１章の本発明の第１の態様による方法によって製造されている、方法に関する。提供するステップにおいて得られるブリッスル付きシート部品は、本体部とは別個の部品として提供され得る。さらに、提供するステップにおいて得られるブリッスル付きシート部品は、たとえば、変容させるステップの前、間、または後に、本体部に取り付けられ、本体部の一体部品になることが可能である。
【００５４】
第１章の本発明のさらなる実施形態によれば、本体部は、圧力下で流体を収容するように構成されている少なくとも１つの圧力チャンバをさらに含むことが可能であり、本体部は、少なくとも１つの圧力チャンバの中の圧力を往復的に増加および減少させることによって、凹部壁を変形させるように構成されている。本体部は、少なくとも１つの圧力チャンバの中の圧力を往復的に（交互に）増加および減少させることによって、凹部壁を変形させるように構成されており、凹部壁およびその凹部壁の上のブリッスルの持続的な繰り返しの往復運動を引き起こす。マウスピースは、特許文献１に説明されているように、流体を充填され得る１つの、２つの、３つの、４つの、５つの、６つの、または任意の他の数の圧力チャンバを含むことが可能であり、その文献は、同じ出願人の名の下にあり、本出願の優先日においてまだ公開されていない。交互に（往復的に）、圧力チャンバのうちの少なくとも１つの圧力を減少した圧力状態から増加した圧力状態へ増加させ、この圧力チャンバの中の圧力を増加した圧力状態から減少した圧力状態へ減少させることによって、および、この往復運動を持続的に繰り返すことによって、任意選択のブリッスルを担持する凹部壁が運動され、凹部壁およびブリッスルそれぞれがデンタル位置において物体（これらのデンタル位置に存在している歯および／または歯茎）に作用して前記物体をクリーニングすることを結果として生じさせる。
【００５５】
第１章の本発明の第３の態様によれば、本発明は、第１章の本発明の第２の態様による方法によって得られるマウスピースに関する。
【００５６】
第１章の本発明の第４の態様によれば、本発明は、複数のデンタル位置において同時にブラッシングするためのマウスピースのための凹部壁であって、第１章の本発明の第１の態様による方法によって得られる、凹部壁に関する。
【００５７】
第１章の本発明の第５の態様によれば、本発明は、複数のデンタル位置において同時にブラッシングするためのマウスピースであって、少なくとも１つの凹部を提供された本体部を含むタイプのものであり、少なくとも１つの凹部は、複数のブリッスルによってライニングされている凹部壁によって境界を定められており、複数のブリッスルは、凹部壁から凹部の中へ延在しており、凹部壁は、アーチ形状の長さ軸線を画定しており、長さ軸線に対して横断方向に見て、Ｕ字形状の断面形状を画定しており、また、歯列弓に沿って複数のデンタル位置を包含するように構成されており；凹部壁は、第１章の本発明の第１の態様による方法によって製造されている、マウスピースに関する。
【００５８】
第１章の本発明によれば、シート部品（ブリッスルなしのブリッスル付きシートの部品）は、プラスチック（たとえば、射出成形可能なまたは押出化加工可能なプラスチック）から作製され得る。プラスチックは、たとえば、熱可塑性のエラストマーであることが可能である。
【００５９】
［第１章の図面の簡単な説明］
第１章の本発明は、図１〜図２０を参照してさらに説明されることになる。
【図面の簡単な説明】
【００６０】
【図１】デンタル位置と、歯列弓を定義する３つの直交する軸線の系と、を伴う下歯列弓を示す図である。
【図２ａ】第１章の本発明による方法によって作製された凹部壁を備えたマウスピースの例であり、斜視図である。
【図２ｂ】第１章の本発明による方法によって作製された凹部壁を備えたマウスピースの例であり、図２ａの中の矢印ＩＩｂによる断面図である。
【図３ａ】第１章の本発明による第１の方法を概略的に示しており、１つの側部においてブリッスルによってライニングされているブリッスル付きシート部品を示す図である。
【図３ｂ】第１章の本発明による第１の方法を概略的に示しており、ブリッスル付きシート部品を塑性変形させるためのモールドを示す図である。
【図３ｃ】第１章の本発明による第１の方法を概略的に示しており、塑性変形させる前にモールドの上に横たわっているブリッスル付きシート部品を示す図である。
【図３ｄ】第１章の本発明による第１の方法を概略的に示しており、塑性変形させた後のブリッスル付きシート部品を示す図である。
【図３ｅ】第１章の本発明による第１の方法を概略的に示しており、図３ｄに示されているような拡大された詳細ＩＩＩｅを示す図である。
【図４】第１章の本発明による方法によって形成された凹部壁の例を概略的に示す図である。
【図５】２つのフレーム部材を提供する、第１章の本発明による方法のさらなる提供するステップを概略的に図示する図である。
【図６】図５のフレーム部材の中に装着された図５の凹部壁を概略的に示しており、第１章の本発明による方法の変容させるステップを行う別の様式を図示する図である。
【図７ａ】図６と同様に、図５のフレーム部材の中に装着された図５の凹部壁を概略的に示しており、第１章の本発明による方法の変容させるステップを行うさらなる他の様式を図示しており、初期状態を示す図である。
【図７ｂ】図６と同様に、図５のフレーム部材の中に装着された図５の凹部壁を概略的に示しており、第１章の本発明による方法の変容させるステップを行うさらなる他の様式を図示しており、最終状態を示す図である。
【図８ａ】図６にしたがって変容させる様式と図７にしたがって変容させる様式との組み合わせを概略的に示しており、その組み合わせは、同時に実施され、初期状態を示す図である。
【図８ｂ】図６にしたがって変容させる様式と図７にしたがって変容させる様式との組み合わせを概略的に示しており、その組み合わせは、同時に実施され、最終状態を示す図である。
【図９ａ】第１の状態（図８ａ）における１つの単一部品として２つのブリッスル付きシート部品を概略的に示す図である。
【図９ｂ】第２の状態（図８ｂ）における１つの単一部品として２つのブリッスル付きシート部品を概略的に示す図である。
【図１０ａ】垂直方向に対するＵ字形状の側部部品の角度と垂直方向に対するブリッスルの角度との間の関係を概略的に示しており、初期状態を示す図である。
【図１０ｂ】垂直方向に対するＵ字形状の側部部品の角度と垂直方向に対するブリッスルの角度との間の関係を概略的に示しており、最終状態を示す図である。
【図１１ａ】初期状態から最終状態へブリッスル付きシート部品を機械的に変容させる２つの様式の効果を概略的に図示しており、初期状態におけるブリッスル付きシート部品を斜視図で示す図である。
【図１１ｂ】初期状態から最終状態へブリッスル付きシート部品を機械的に変容させる２つの様式の効果を概略的に図示しており、最終状態における同じブリッスル付きシート部品を斜視図で示す図である。
【図１１ｃ】初期状態から最終状態へブリッスル付きシート部品を機械的に変容させる２つの様式の効果を概略的に図示しており、初期状態および最終状態における第１の場所の断面図を示す図である。
【図１１ｄ】初期状態から最終状態へブリッスル付きシート部品を機械的に変容させる２つの様式の効果を概略的に図示しており、初期状態および最終状態における第２の場所の断面図を示す図である。
【図１１ｅ】初期状態から最終状態へブリッスル付きシート部品を機械的に変容させる２つの様式の効果を概略的に図示しており、初期状態および最終状態における第３の場所の断面図を示す図である。
【図１２ａ】第１章の本発明による実施形態のさらなる例を断面図で示しており、初期状態を示す図である。
【図１２ｂ】第１章の本発明による実施形態のさらなる例を断面図で示しており、最終状態を示す図である。
【図１２ｃ】第１章の本発明による実施形態のさらなる例を断面図で示しており、一緒に組み立てられることになる２つのブリッスル付きシート部品を示す図である。
【図１２ｄ】第１章の本発明による実施形態のさらなる例を断面図で示しており、組み立てられた状態における図１２ｃの２つのブリッスル付きシート部品を示す図である。
【図１３ａ】第１章の本発明による実施形態のさらなる例を断面図で示しており、初期状態を示す図である。
【図１３ｂ】第１章の本発明による実施形態のさらなる例を断面図で示しており、別の初期状態を示す図である。
【図１３ｃ】第１章の本発明による実施形態のさらなる例を断面図で示しており、最終状態を示す図である。
【図１４ａ】第１章の本発明による実施形態のさらなる例を断面図で示しており、初期状態を示す図である。
【図１４ｂ】第１章の本発明による実施形態のさらなる例を断面図で示しており、最終状態を示す図である。
【図１５ａ】第１章の本発明による実施形態のさらなる例を断面図で示しており、最終状態を示す図である。
【図１５ｂ】第１章の本発明による実施形態のさらなる例を断面図で示しており、どのようにフレーム部材がブリッスル付きシートに取り付けられているかということを示す図である。
【図１５ｃ】第１章の本発明による実施形態のさらなる例を断面図で示しており、フレーム部材がブリッスル付きシートに取り付けられていることを示す図である。
【図１６ａ】最終状態における第１章の本発明による実施形態のさらなる例を断面図で示しており、単一のシート部品アッセンブリを示す図である。
【図１６ｂ】最終状態における第１章の本発明による実施形態のさらなる例を断面図で示しており、どのように２つのそのような単一のシート部品アッセンブリが互いに取り付けられ得るかということを示す図である。
【図１７ａ】最終状態における第１章の本発明による実施形態のさらなる例を断面図で示しており、２つの単一のシート部品アッセンブリを示す図である。
【図１７ｂ】最終状態における第１章の本発明による実施形態のさらなる例を断面図で示しており、どのようにこれらの２つの単一のシート部品アッセンブリが互いに取り付けられ得るかということを示す図である。
【図１８ａ】最終状態における第１章の本発明による実施形態のさらなる例を断面図で示しており、２つの単一のシート部品アッセンブリを示す図である。
【図１８ｂ】最終状態における第１章の本発明による実施形態のさらなる例を断面図で示しており、どのようにこれらの２つの単一のシート部品アッセンブリが互いに取り付けられ得るかということを示す図である。
【図１９ａ】第１章の本発明による実施形態のさらなる例を断面図で示しており、初期状態を示す図である。
【図１９ｂ】第１章の本発明による実施形態のさらなる例を断面図で示しており、最終状態を示す図である。
【図２０ａ】第１章の本発明による実施形態のさらなる例を断面図で示しており、初期状態を示す図である。
【図２０ｂ】第１章の本発明による実施形態のさらなる例を断面図で示しており、最終状態を示す図である。
【発明を実施するための形態】
【００６１】
［第１章の図の詳細な説明］
図１〜図２０は、第１章の本発明の複数の実施形態を示している。実施形態は異なっている可能性があるが、同じまたは類似のアイテムに関して同じ参照数字／符号が、すべてのこれらの図１〜図２０の全体を通して使用されることになる。
【００６２】
図１は、デンタル位置２〜１４を伴う上歯列弓１の一部を非常に概略的に斜視図で示している。それぞれのデンタル位置は、垂直方向の破線によって示されている。それぞれのデンタル位置は、通常、それぞれの歯科医に知られている命名法にしたがって命名されている歯を含む。この命名法を使用して：
−  デンタル位置２は、図１に表されている、左側の「第２大臼歯」の位置である；
−  デンタル位置３は、図１では失われている、左側の「第１大臼歯」の位置である；
−  デンタル位置４は、図１に表されている、左側の「第２小臼歯」の位置である；
−  デンタル位置５は、図１に表されている、左側の「第１小臼歯」の位置である；
−  デンタル位置６は、図１に表されている、左側の「犬歯」の位置である；
−  デンタル位置７は、図１では失われている、左側の「側切歯」の位置である；
−  デンタル位置８は、図１に表されている、左側の「中切歯」の位置である；
−  デンタル位置９は、図１に表されている、右側の「中切歯」の位置である；
−  デンタル位置１０は、図１に表されている、右側の「側切歯」の位置である；
−  デンタル位置１１は、図１に表されている、右側の「犬歯」の位置である；
−  デンタル位置１２は、図１に表されている、右側の「第１小臼歯」の位置である；
−  デンタル位置１３は、図１に表されている、右側の「第２小臼歯」の位置である；
−  デンタル位置１４は、図１に表されている、右側の「第１大臼歯」の位置である；
図１において、右側の「第２大臼歯」のデンタル位置は示されておらず、また、右側および左側の「第３大臼歯」（親知らずとも呼ばれる）のデンタル位置も示されていない。同様に、下顎は、同様の数のデンタル位置を有しており、それらは、前記命名法にしたがって同様に命名されている。
【００６３】
参照数字１５は、デンタル位置の円弧の舌側を示している。舌側１５は、デンタル位置の円弧の内側であり、内側は、舌に面している。参照数字１６は、デンタル位置の円弧の顔側を示している。顔側１６は、デンタル位置の円弧の外側であり、外側は、頬および唇のような、顔に面している。
【００６４】
図１は、ｘ軸Ｘ、ｙ軸Ｙ、およびｚ軸Ｚを含む、３つの相互に直交する軸線の系をさらに示している。ｚ軸Ｚは、歯列弓１の輪郭にしたがった湾曲した軸線である。ｘ軸Ｘおよびｙ軸Ｙは、互いに対して垂直になっており、また、ｘｙ平面を定義しており、ｘｙ平面は、本質的に平坦になっており、歯列弓１に対して垂直になっており、すなわち、ｚ軸の上の所定の場所に交差するそれぞれのｘｙ平面は、その場所において、湾曲したｚ軸Ｚに対して垂直になっている。ｚ軸Ｚは、湾曲した長さ方向を定義している。ｚ軸Ｚおよびｙ軸Ｙは、湾曲したｚｙ平面を定義しており、それは、ｚ軸に沿って見ると、歯列円弧の形状と同様の円弧形状である。さらに、ｚ軸Ｚおよびｘ軸Ｘは、ｚｘ平面を定義している。
【００６５】
図２ａは、第１章の本発明による方法によって作製されたマウスピース２０の例の斜視図を概略的に示している。図２ｂは、図２ａの中の矢印ＩＩｂによって示されるように見た、図２ａのマウスピースの断面を示している。
【００６６】
マウスピース２０は、第１の凹部２２を提供された本体部２１を含む。この第１の凹部２２は、図１のｚ軸に沿って見ると、湾曲した長さ方向を有しており、図１のｘｙ平面の中で見ると、Ｕ字形状の断面を有している。第１の凹部２２は、凹部壁２３によって境界を定められており、凹部壁２３は、ｘｙ平面においてＵ字形状になっている。凹部壁２３は、複数のブリッスル２４によってライニングされており、それぞれが、凹部壁２３に取り付けられている（根元部１９と呼ばれる）一方の端部を有しており、凹部壁２３から第１の凹部２２の中へ延在している。
【００６７】
参照符号２６は、ニップルを示しており、ニップルは、マウスピースをポンピングおよび／または吸引デバイスに接続するように構成されている。マウスピース２０は、右半分２７および左半分２８をさらに有しており、これら半分は、いわばニップル２６において一緒になる。
【００６８】
参照符号２５は、湾曲した分割ラインを示しており、湾曲した分割ラインは、図１に定義されているようなｘｚ平面に対して平行なミラー平面を定義している。図２に示されているようなマウスピースは、いわば、このミラー平面に対してミラー対称的になっており、それは、第１の凹部２２の反対側に第２の凹部（図２ａでは見ることができないが、図２ｂでは見ることができる）が存在しているということを意味しており、この第２の凹部も同様にブリッスルによってライニングされている。デンタル位置の上側および下側の円弧（の歯）が異なる形状を有しているので、第１の凹部は、第２の凹部の形状とは異なる形状を有することが可能であるということが留意される。
【００６９】
凹部２２は、右側の第３大臼歯または第２大臼歯のデンタル位置からそれぞれ左側の第３大臼歯または第２大臼歯のデンタル位置までの歯列弓全体を包含するように構成されている。また、凹部２２は、デンタル位置のアーチの一部を包含するように構成され得、この部分は、たとえば、中切歯のデンタル位置から第２小臼歯のデンタル位置まで、または、第１大臼歯のデンタル位置もしくは第２大臼歯のデンタル位置まで、少なくとも５つのデンタル位置を含む。
【００７０】
図２ｂは、マウスピース２０の右側部品の図２ａの中の矢印ＩＩｂによる断面を示している。
【００７１】
図２ｂにおいて最良に見ることができるように、ブリッスルは、比較的に細いブリッスル２４のタフト２９として提供され得る。それぞれのタフト２９は、ベース３６を有することが可能であり、ベース３６は、それらの根元部１９においてブリッスル２４を担持しており、凹部壁に取り付けられている。
【００７２】
図２ｂにおいて見ることができるように、マウスピース２０は、本体部２１を有しており、本体部２１は、その上側側部において第１の凹部２２を有しており、その下側側部において第２の凹部２２を有している。両方の凹部２２は、可撓性の凹部壁２３によって境界を定められている。図１に定義されているようなｘｙ平面に対して平行の断面において、凹部壁２３は、Ｕ字形状になっており、凹部壁底部３４および２つの凹部壁脚部３３を有しており、２つの凹部壁脚部３３は、凹部底部壁から延在している。凹部壁２３は、凹部壁の脚部３３および／または底部３４の上のブリッスルのタフト２９によってカバーされている。
【００７３】
本体部の内側には、圧力チャンバ３５が提供されており、圧力チャンバ３５は、ニップル２６（図２ａ）を介して、流体によって充填され得る。流体は、空気のようなガス、または、水のような液体であることが可能である。図２に示されているような実施形態において、マウスピースは、１つの圧力チャンバを有している。しかし、マウスピースは、５つの圧力チャンバのような、複数の圧力チャンバを含むことが可能であり、または、任意の他の数の圧力チャンバを含むことが可能であるということが留意される。未公開の特許文献１は、図４、図５、図７、図９、および図１０に、他の数の圧力チャンバの例を示している。複数の圧力チャンバの場合において、すべての圧力チャンバまたは圧力チャンバのグループは、第１章の本発明によれば、未公開の特許文献１の中に説明されているものと同様に、互いに流体連通していることが可能である。
【００７４】
図２ｂにおいて見ることができるように、マウスピースは、凹部壁２３の材料に対してリジッドの材料の内部支持構造体を含むことが可能である。この支持構造体は、舌側プレート３０および顔側プレート３２を含むことが可能であり、その両方が、図１において定義された湾曲したｚｙ平面に沿って延在しており、結果的に、ｚ軸に沿って見て、Ｕ字形状を有している。舌側プレート３０および顔側プレート３２を互いに所定の距離に維持するために、支持構造体は、１つまたは複数のスペーサー３１を含むことが可能である。これらの１つまたは複数のスペーサー３１は、たとえば、複数のバーもしくはワイヤーまたは単一のプレートであることが可能であり、それは、図１に定義されているようなｚｘ平面に対して本質的に平行に延在することが可能である。スペーサーとしての単一のプレートの場合において、このプレートは、圧力チャンバ３５を２つの圧力チャンバ（上側のチャンバおよび下側のチャンバ）に分割することが可能である。これらの２つの圧力チャンバは、プレートを通る１つまたは複数の貫通孔を介して、互いに流体連通していることが可能である。大きい貫通孔および／または多数の貫通孔の場合において、２つの圧力チャンバは、効果的に、１つの単一の圧力チャンバであることが可能である。
【００７５】
図２に示されているようなマウスピースは、複数のデンタル位置を同時にブラッシングするように構成されている。歯が存在している場合には、それぞれのデンタル位置の歯がブラッシングされることになる。歯茎のようなデンタル位置における残部は、歯が失われている可能性がある場合においてブラッシングされ得、失われている歯の場所に隣接する歯は、失われている歯の場所のために意図されたブリッスルによって、追加的にブラッシングされ得る。
【００７６】
単一の圧力チャンバ３５は、第１の凹部２２（図２ｂの中の上側のもの）の境界を定める第１の可撓性の凹部壁２３と、第２の凹部２２（図２ｂの下側のもの）の境界を定める第２の可撓性の凹部壁２３と、を含む。第１および第２の凹部壁は、とりわけ、圧力チャンバ３５の中の圧力を増加または減少させることによって変形可能である。可撓性の凹部壁２３は、ゴムのような材料などのような、弾性的な材料から作製され得る。また、可撓性の凹部壁２３は、非弾性的な材料から作製され得る。可撓性の凹部壁２３の内側側部と外側側部とを横切る圧力差が実質的に存在していないかまたは低い圧力差が存在しているときに、可撓性の凹部壁２３の材料は、所定の形状を維持することが可能である。
【００７７】
マウスピース２０は、ブリッスル２４のタフト２９が歯列弓の歯の歯面に係合するように構成されており、または、歯が失われている可能性のある１つまたは複数のデンタル位置の場合には、少なくとも圧力チャンバ３５の中の圧力が増加されるときに、ブリッスル２４のタフト２９がそれぞれのデンタル位置における歯茎に係合するように構成されている。所定のデンタル位置において歯が失われている可能性のある場合には、特に、凹部壁脚部３３の自由端部におけるブリッスルのタフト２９は、空のデンタル位置における歯茎に係合することになる。
【００７８】
（図１において定義されているような）歯列弓の長さ方向Ｚにおいて見ると、ブリッスル２４のタフト２９は、図２ｂに示されている断面において見たときにほぼ同じ密度で配置され得る。
【００７９】
圧力チャンバ３５の中の圧力が、たとえば、流体を圧力チャンバ３５に給送することによって、または、圧力チャンバ３５の中の流体の量を増加させることによって、増加した圧力状態まで増加されるときには、凹部壁２３は、いわばコンパクト化され、凹部２２を狭くし、それによって、ブリッスル２４（とりわけ、その自由端部）は、しっかりと歯面に係合することが可能であり、かつ／または、歯面に接触して変形され得る。圧力チャンバ３５の中の圧力がその後に減少されるときには、凹部壁は、いわば広げられ、凹部２２を拡大させる。この凹部壁を狭くすることおよび広くすることは小さい可能性があるが、たとえば１Ｈｚから５０Ｈｚの何らかの周波数で往復的に繰り返されるときには、凹部壁を往復的に狭くすることおよび広くすることによってこの凹部壁を往復的に変形させることは、歯面とのよりしっかりした係合と比較的にしっかりしていない係合との間でブリッスルを移動させ、かつ／または、第１の変形状態と第２の変形状態との間でブリッスルを交互にし、それは、歯面に沿ったブリッスルのスイーピングおよび／またはラビングを引き起こす。また、第１章の本発明による方法によって得られる凹部壁は、他のタイプのマウスピース、たとえば、圧力チャンバのないマウスピースにおいても使用され得るということが留意される。第１章の本発明による方法によって得られる凹部壁は、たとえば、マウスピースが全体として機械的に振動されてブリッスルをブラッシング運動させるマウスピースにおいて使用され得る。
【００８０】
圧力チャンバ３５の中の圧力を増加および減少させる適切なサイクルによって、マウスピースの効果的なブラッシング作用が得られ得る。凹部壁底部３４に取り付けられているブリッスル２４は、一般的に、そのようなサイクルの間に上向きおよび下向きの運動を実施し、凹部壁脚部３３におけるブリッスル２４は、一般的に、そのようなサイクルの間に、図１において定義されているようなｘ軸の方向に行ったり来たり横方向の運動を実施する。圧力を往復的に増加および減少させるときに凹部２２が交互に狭くなりおよび広くなることに起因して、凹部壁脚部におけるブリッスル２４は、また、図１において定義されているようなｚ軸の周りに前後に枢動することにさらされる可能性があり、図１において定義されているようなｙ軸の方向へのブリッスルのスイーピングおよび／またはラビング移動を結果として生じさせる。
【００８１】
図１を参照すると、Ｘ方向への歯エレメントの幅は、デンタル位置に応じて、約２ｍｍから１２ｍｍの間で変化する。マウスピースを可能な限り小さく維持することが望まれるということを考慮に入れると、Ｘ方向への凹部壁のＵ字形状の内部幅は、可能な限り小さく維持されるべきであり、それぞれの歯の幅よりも約０ｍｍから２ｍｍ広くなっていることが可能である。寸法の何らかのインディケーションを与えるための例として、凹部壁のＵ字形状の内部幅は、図１のＸ方向に見て、０ｍｍから２０ｍｍの範囲にあることが可能であり、たとえば、２ｍｍ〜１２ｍｍなどの範囲にあることが可能である。ブリッスルは、最大で６ｍｍの長さになっていることが可能である。例の場合において、ブリッスルは、３ｍｍから４ｍｍの長さになっている。これは、対向する凹部壁脚部３３から延在するブリッスル間に、隙間が残っていないということ、または、約２ｍｍ〜４ｍｍの限られた量の隙間が残っているということを意味している。図２において、これらの隙間は誇張されて示されている。さらに、寸法の何らかのインディケーションを与えるための例として、凹部壁のＵ字形状は、図１のＹ方向に見て、３ｍｍから２０ｍｍの範囲にある、たとえば、５ｍｍから１０ｍｍなどの範囲にある内部高さを有することが可能である。これらの内部幅および内部高さの測定値は、成人に関して示すものである。子供に関して、または、動物に関して、これらの測定値は異なる可能性がある。この限られた量の隙間は、経済的な様式で、図２に示されているようなマウスピースを製造することを困難にする。たとえば、対向する凹部壁脚部から延在するブリッスルが本質的にＸ方向（Ｘ方向は、成形後に射出成形モールドが互いに分離され得る方向に対して横断している）に延在するということに起因して、射出成形は困難である。
【００８２】
図３は、第１章の本発明による第１の方法を概略的に示しており、図３ａは、一方の側部１０２においてブリッスル１０４によってライニングされているブリッスル付きシート部品１０１を備えたシート１００を示しており、図３ｂは、ブリッスル付きシート部品１０１を塑性変形させるためのモールド１１０を示しており、図３ｃは、塑性変形する前にモールド１１０の上に横たわっているブリッスル付きシート部品１０１を示しており、図３ｄは、塑性変形した後のブリッスル付きシート部品１０１を示しており、図３ｅは、図３ｄの詳細ＩＩＩｅを拡大して示しており、図３ｃは、軸線１０７の左側にある半分であり、図３ｄは、軸線１０７の右側にある半分である。
【００８３】
図３ａは、シート１００を示しており、シート１００は、熱可塑性のエラストマーから作製され得る。このシート１００のブリッスル付きシート部品１０１は、破線の内側円弧１０５および破線の外側円弧１０６によって示されている。これらの円弧１０５および１０６の形状は、図１に示されているようなデンタル位置の円弧の形状に対応することが可能である。シート１００およびブリッスル付きシート部品１０１は、第１の側部１０２（図３の中の上側側部）および対向する第２の側部１０３（図３の中の下側側部）を有している。ブリッスル付きシート部品１０１の第１の側部１０２は、ブリッスル１０４によってライニングされている。図３（図３は、概略的である）において、ブリッスル１０４は、ブリッスル付きシート部品１０１の左半分に示されているが、実際には、ブリッスル付きシート部品１０１の右半分、および、ブリッスル付きシート部品１０１の上部部品も、同様にブリッスル１０４によってカバーされることになるということが留意される。
【００８４】
図３ａは、提供するステップにおいて得られるブリッスル付きシート部品１０１を示している。この提供するステップにおいて、ブリッスル付きシート部品１０１は、初期状態にある。図３ａに示されているように、ブリッスル１０４は、初期状態において、すべて同じ上向き方向に延在している。ブリッスル１０４は、初期状態において、互いに本質的に平行になっていることが可能である。この初期状態において、ブリッスル付きシート部品１０１は、図１において定義されているようなｘｙ平面の中で見て、「初期形状」と呼ばれる断面形状を有しており、また、図１において定義されているようなｚ軸に沿って見て、アーチ形状の長さ軸線を有している。図３ａにおいて、ブリッスル付きシート部品１０１は、シート１００の一部として示されているが、破線の円弧１０５および１０６の外側のシートの残りの部分は、存在していない可能性があり、たとえば、切り取られている可能性があるということが留意されるべきである。この場合には、円弧形状のブリッスル付きシート部品１０１のみが存在することになり、ブリッスル付きシート部品１０１を含む長方形シート１００は存在しないことになる。
【００８５】
図３に示されているような初期状態において、ブリッスル付きシート部品１０１の断面の前記「初期形状」は平坦になっている。しかし、ブリッスル付きシート部品１０１の第１の側部１０２の初期形状は、凹形（第２の側部１０３が凸形になった状態である）または凸形（第２の側部１０３が凹形になった状態である）になっていてもよい。
【００８６】
図３ｂは、図３ａに示されているような初期状態から最終状態へ熱成形することによって、ブリッスル付きシート部品１０１を変容させるためのモールド１１０を示している。モールド１１０は、その上側側部１１８にキャビティ１１１を有しており、キャビティ１１１は、図１において定義されているようなｘｙ平面の中で、Ｕ字形状になっており（参照番号１１２も参照）、また、キャビティ１１１は、図１において定義されているようなｚ方向において、デンタル位置の円弧と形状が同様の円弧に沿って延在している。いくつかの吸引開口部１１３が、このキャビティ１１１の中へ開口することが可能である（１つの吸引開口部だけが図３ｂに示されているが、キャビティ１１１にわたって分配された複数が存在することも可能である）。キャビティは、その上側側部において、円弧形状の内側縁部１１５および円弧形状の外側縁部１１６を有している。
【００８７】
図３ｃは、軸線１０７の左側にある半分であり、モールド１１０の上に横たわっているシート１００を示しており、ブリッスル付きシート部品１０１がキャビティ１１１と重なった状態になっている。内側円弧１０５および外側円弧１０６は、キャビティの内側縁部１１５および外側縁部１１６のそれぞれの上方に横たわっていることが可能である。しかし、内側円弧１０５および外側円弧１０６は、図１のｘ方向に見て、内側縁部１１５および外側縁部１１６よりも大きい距離を有することが可能であり、内側円弧１０５および外側円弧１０６がモールド１１０の上側表面１１８の上に横たわっていることを結果として生じさせる。
【００８８】
図３ｃに示されているような状態から開始して、吸引力が、吸引開口部１１３またはその他を通して、キャビティ１１１に印加され得る。この吸引力は、図３ａおよび図３ｃに示されているその初期状態から、図３ｄおよび図３ｅに示されているその最終状態へ、ブリッスル付きシート部品１０１を熱成形することによって、ブリッスル付きシート部品１０１を変容させることになり、凹部壁１２０を提供し（図４も参照）、凹部壁１２０は、図２の実施形態の中の凹部壁２３として使用され得る。この最終状態において、ブリッスル付きシート部品１０１の断面形状は、最終的なＵ字形状になっており、長さ軸線は、（依然として）アーチ形状になっており、第１の側部は、最終的なＵ字形状の凹形内側側部になっている。初期状態にある場合において、第１の側部は、すでに凹形になっている可能性があり、ブリッスル付きシート部品１０１の第１の側部は、最終状態において、初期状態のときよりも凹形になることになる。
【００８９】
ブリッスル付きシート部品１０１を塑性変形させるときに、ブリッスル付きシート部品１０１は、Ｕ字形状の輪郭に沿った方向に見て、引き伸ばされ得る。最終状態で見て、および、Ｕ字形状の輪郭に沿った方向に見て、ブリッスルの均一の分配を有することが望まれる場合には、提供するステップにおいて、より高い密度で、および、場合によっては、不均一な分配で（不均一な分配は、変容させるステップの間にそれが均一な分配に変換するように構成されている）、ブリッスルを提供することによって、提供するステップにおいてブリッスル付きシート部品を提供するときに、この引き伸ばしが考慮に入れられ得る。
【００９０】
図３ｅおよび図２ｂを参照すると、最終的なＵ字形状は、２つの脚部部品３３およびこれらの脚部部品を接続する底部部品３４によって画定されており、垂直方向の軸線１１９は、脚部部品３３間に延在するものとして定義されている。
【００９１】
図の明確化のために、図３ｄは、３つの場所におけるブリッスル１０４のみを概略的に示している。しかし、凹部壁全体がブリッスルによってカバーされることになるということが明らかであることになる。これは、たとえば、図１に定義されているｚ軸に沿って見て、図３ｅの詳細に示されているような一連の連続したＵ字形状のブリッスルの弓形であることが可能である。図３ｄおよび図３ｅにおいて見ることができるように、一方の脚部部品３３の上のブリッスル１０４、および、他方の脚部部品３３の上のブリッスル１０４は、それぞれの脚部部品３３から互いに向けて延在している。
【００９２】
図３ａにおいて見ることができるように、ブリッスル付きシート部品は、連続的なシート部品である。それは、初期状態（図３ａ）から最終状態（図３ｄおよび図３ｅ）へブリッスル付きシート部品１０１を変容させることを促進させるカットアウトを有していない。
【００９３】
図４は、第１章の本発明の方法にしたがって製造された凹部壁を示しており、たとえば、図３による方法によって得られた凹部壁１２０を示している。図３ｄと同様に、ブリッスル１０４は、凹部壁の端部および凹部壁の中間にのみ示されているが、図１において定義されているようなＺ軸に沿って見て、凹部壁によって境界を定められている凹部の内側側部は、ブリッスル１０４によって完全にカバーされ得る。
【００９４】
図５は、第１章の本発明による方法の「さらなる提供するステップ」を示している。この「さらなる提供するステップ」において、舌側フレーム部材１２１および顔側フレーム部材１２２が提供される。舌側フレーム部材１２１および顔側フレーム部材１２２の両方は、弓形形状になっており、両方とも上側縁部１２５および１２６をそれぞれ有している。図２ｂを参照すると、舌側フレーム部材１２１は、舌側プレート３０に対応することが可能であり、顔側フレーム部材１２２は、顔側プレート３２に対応することが可能である。
【００９５】
図４と図５との間で太い矢印Ａによって示されているように、凹部壁１２０は、装着するステップにおいて、舌側フレーム部材１２１および顔側フレーム部材１２２に固定され得る。この目的のために、凹部壁１２０の内側縁部１０５（＝図３の破線の内側円弧）は、舌側フレーム部材１２１の上側縁部１２５に固定され、凹部壁１２０の外側縁部１０６（＝図３の破線の外側円弧）は、顔側フレーム部材１２２の上側縁部１２６に固定される。これは、図６の絵を結果として生じさせる。舌側フレーム部材１２１の下側縁部１２３と顔側フレーム部材１２２の下側縁部１２４との間のギャップをクロージャー１２７によって閉じた後に、第１章の本発明によるマウスピースは、顔側フレーム部材１２２、凹部壁１２０、舌側フレーム部材１２１、およびクロージャーによって境界を定められた圧力チャンバを備えて得られる。図１および図４に示されているようなｙ軸の方向に、舌側フレーム部材１２１および顔側フレーム部材１２２の垂直方向の長さが延長されるときには、クロージャーは、さらなる凹部壁であることが可能であり、さらなる凹部壁は、その開口部が下向きに面するように向きを変えられている。したがって、図２に示されているもののようなマウスピースを得る。図２ｂに示されているように、舌側フレーム部材および顔側フレーム部材の外側面は、たとえば、射出成形プロセスにおいて、ブリッスル付きシート部品の材料と同じ材料によってコーティングされ得る。
【００９６】
図６の中の矢印Ｖによって示されているように、舌側フレーム部材１２１および顔側フレーム部材１２２の湾曲は、凹部壁１２０をこれらのフレーム部材に装着した後に、たとえば、弓形形状のフレーム部材の自由端部を圧迫することによって低減され得る。それを行うことは、図１および図４のＹ軸の方向に見て、Ｕ字形状の断面の深さの増加を結果として生じさせることになり、換言すれば、Ｕ字形状の断面の底部は、クロージャー１２７により近づくことになる。これは、図３の方法の熱成形による変容に加えて、または、熱成形による変容の代替として、ブリッスル付きシート部品１０１をその最終状態に変容させるために使用され得る。それが熱成形の代替として使用される場合には、ブリッスル付きシート部品１０１は、図６に示されているような状態にあるときに、（図３ａと同様に）依然として平坦になっているかまたはわずかに湾曲していることが可能である。次いで、変容ステップは、その平坦なまたはわずかに湾曲した初期形状からその最終的なＵ字形状へ断面形状を変容させると同時に、ブリッスル付きシート部品１０１の初期の湾曲をその最終的な湾曲まで低減させるステップを含む。
【００９７】
図６を参照すると、舌側フレーム部材１２１および顔側フレーム部材１２２の湾曲は、また、弾性フレーム部材１２１、１２２を使用することによって現実化され得る。解放状態または無応力状態から（その状態では、フレーム部材は、それらの最終的な湾曲に対応する狭い弓形湾曲を有している）、フレーム部材１２１、１２２は、解放状態からプリテンション状態（その状態では、フレーム部材は、解放状態のときよりも広い弓形湾曲を有しており、そのより広い弓形湾曲は、ブリッスル付きシート部品の初期の湾曲に対応することが可能である）へ事前付勢され得る。このプリテンション状態において、フレーム部材１２１、１２２は、フレーム部材１２１、１２２をそれらの解放状態（それは、最終状態に対応することが可能である）に戻す方向に作用するプリテンションを有している。
【００９８】
図７ｂは、図６と同様の図を示している。図７ａは、図７ｂの中の矢印ＶＩＩａによる側面図を示している。図７ａは、提供するステップにおいてそれが得られるときの、その初期状態で示されているブリッスル付きシート部品１０１を示している。この初期位置において、ブリッスル付きシート部品１０１は平坦になっているが、ブリッスル１０４によってライニングされている第１の側部は、浅い凹形または凸形になっていることも可能である。図７ｂは、その最終状態におけるブリッスル付きシート部品１０１を示している。図７ｂの中の矢印Ｃによって示されているように内側縁部１０５および外側縁部１０６を互いに向けて移動させることによって、図１において定義されているようなおよび図４にも示されているようなｘ軸の方向に見て、ブリッスル付きシート部品１０１の内側縁部１０５（＝図３の破線の内側円弧）と外側縁部１０６（＝図３の破線の外側円弧）との間の距離を、より広いｄ２（図７ａを参照）からより小さいｄ１（図７ｂを参照）へ低減させることによって、ブリッスル付きシート部品１０１は、図７ａに示されている初期状態から図７ｂに示されている最終状態へ変容させられる。それを行うことは、図１および図４のＹ軸の方向に見て、Ｕ字形状の断面の深さの増加を結果として生じさせることになる。これは、熱成形による変容に加えて使用され得、または、熱成形による変容の代替として使用され得、ブリッスル付きシート部品１０１をその最終状態に変容させるようになっている。それが熱成形の代替として使用される場合には、ブリッスル付きシート部品１０１は、図７ａに示されているような状態にあるときに、（図７ａに示されているように）依然として平坦になっているかまたはわずかに湾曲していることが可能である。ブリッスル付きシート部品１０１がフレーム部材１２１および１２２の上側縁部に取り付けられている場合には、変容ステップは、（同様に、図１において定義されているようなおよび図４に示されているような）ｘ軸の方向への顔側フレーム部材１２２と舌側フレーム部材１２１との間の距離を低減させることによって実施され得る。
【００９９】
図６および図７に関連して上記に説明されているメカニズム（要するに、矢印Ｖメカニズム（図６）および矢印Ｃメカニズム（図７）にとして示されている）は、両方とも、基本的に機械的な変容である。また、矢印Ｖメカニズムおよび矢印Ｃメカニズムは、図８に示されているように、組み合わせて、次々に、または同時に使用され得る。図８において、図８ａは、アーチ形状の長さ軸線Ｌ１と、ブリッスル付きシート部品１０１の内側縁部１０５と外側縁部１０６との間の距離ｄ１と、を有する初期状態を示しており、図８ｂは、アーチ形状の長さ軸線Ｌ２と、ブリッスル付きシート部品１０１の内側縁部１０５と外側縁部１０６との間の距離ｄ２と、を有する最終状態を示しており、ここで、ｄ２は、ｄ１よりも小さく、Ｌ２は、Ｌ１よりも強い／狭い湾曲を有している。
【０１００】
図９は、２つのシート部品１０１が単一部品１５０として提供されている例を示している。図９ａは、平坦な状態の単一部品を示している。この単一部品は、ブリッスルによってライニングされている第１の側部を有する２つのブリッスル付きシート部品１０１を含み、この第１の側部にあるブリッスルは、灰色の弓形形状の面として示されている。２つのブリッスル付きシート部品は、移行エリア１５１によって接続されている。これらの移行エリア１５１は、２つのブリッスル付きシート部品１０１が第１の位置から第２の位置へ互いに対して折り畳まれることを可能にするように構成されており、第１の位置では、２つのブリッスル付きシート部品１０１が整合されており（この第１の位置は、図９ａに示されている）、第２の位置では、２つのブリッスル付きシート部品が互いに折り重ねられている（この第２の位置は、図９ｂに示されている）。提供するステップにおいて、単一部品１５０は、図９ａに示されているような状態で、または、図９ｂに示されているような状態で、または、図９ａの状態と図９ｂの状態との間の任意の中間状態で提供され得る。単一部品１５０が図９ａの状態でまたは前記中間状態で提供される場合には、ブリッスル付きシート部品１０１は、折り畳むステップにおいて、第１の位置（図９ａまたは図９ａと図９ｂとの間の中間状態）から第２の位置（図９ｂ）へ折り畳まれ得る。
【０１０１】
図１０は、初期状態（図１０ａ）におけるブリッスル付きシート部品１０１、および、最終状態（図１０ｂ）におけるブリッスル付きシート部品１０１のさらなる例を断面図で示している。ブリッスル付きシート部品１０１の第１の側部１０２は、初期状態において、わずかに凹形になっている。ブリッスル付きシート部品１０１は、底部部品３４によって相互接続された２つの脚部部品３３を有している。垂直方向の軸線１６０は、底部部品３４に対して横断方向に延在している。初期状態において、ブリッスル１０４は、垂直方向の軸線１６０に対して平行に延在している。垂直方向の軸線１６０に対する脚部部品３３の角度αは、初期状態において、たとえば、５５°であることが可能である。変容させるステップにおいて、脚部部品３３が垂直方向の軸線１６０に対してｘ°の角度にわたって互いに向けて回転されるときには、垂直方向の軸線に対する脚部部品３３の結果として生じる角度は、α−ｘ°になることになり、垂直方向の軸線に対する脚部３３の上のそれぞれのブリッスルの角度は、ｘ°になることになる（図１０ｂを参照）。ｘが４５°であり得、αが５５°であり得ると仮定すると、垂直方向の軸線１６０に対する脚部部品３３の最終的な角度α−ｘ°は、１０°になることになる。
【０１０２】
図１０に関して、底部部品３４はブリッスルを示していないが、ブリッスル１０４は底部部品３４の上に同様に存在することも可能であるということが留意される。さらに、図１０の単純化のために、および、図１０の説明のために、脚部部品３３は、真っ直ぐなものとして示されているが、これらの脚部部品３３は、図１０ａおよび図１０ｂにおいて、同様に湾曲していてもよく、または、図１０ａにおいて真っ直ぐから開始して、図１０ｂにおいて湾曲した状態になってもよいということが留意される。
【０１０３】
図１１は、ブリッスル付きシート部品１０１の本質的に機械的な変容によって、変容させるステップにおいて、ブリッスル付きシート部品の長さ軸線の湾曲を狭くすること、および、ブリッスル付きシート部品１０１の境界縁部１０５と境界縁部１０６との間の相互距離ｄ、すなわち、内側縁部１０５と外側縁部１０６との間の距離ｄを減少させることの両方の効果を概略的に図示している。図１１ａは、初期状態におけるブリッスル付きシート部品１０１のブリッスル付きでない側部の斜視図を示しており、図１１ｂは、最終状態におけるブリッスル付きシート部品１０１のブリッスル付きでない側部の斜視図を示している。図１１ａおよび図１１ｂから見ることができるように、ブリッスル付きシート部品１０１の長さ軸線の初期の広い湾曲（図１１ａを参照）は、ブリッスル付きシート部品の長さ軸線の最終的な狭い湾曲（図１１ｂを参照）よりも湾曲が少ない。図１１ｃは、初期状態における（左側）および最終的な状態における（右側）、場所ｍでのブリッスル付きシート部品１０１の断面形状を示している。図１１ｄは、初期状態における（左側）および最終的な状態における（右側）、場所ｎでのブリッスル付きシート部品１０１の断面形状を示している。図１１ｅは、初期状態における（左側）および最終的な状態における（右側）、場所ｏでのブリッスル付きシート部品１０１の断面形状を示している。図１１ｃ、図１１ｄ、および図１１ｅから見ることができるように、境界縁部１０５と境界縁部１０６との間の相互距離は、初期状態におけるｄ１から最終状態における（より小さい）ｄ２へ低減される。この変容は、シート部品１０１を引き伸ばすことなく実施され得る。この変容を実施するときには、長さ軸線の湾曲を狭くすることおよび相互距離の減少が同時に起こり得るということに気付くことになる。図１１ｃに図示されているように、位置ｏにおける断面形状は、比較的に浅くて鈍いＵ字形状から（Ｖ字形状のような）比較的に深くて鋭いＵ字形状へ変容することになる。図１１ｄおよび図１１ｅに図示されているように、位置ｍおよび位置ｎにおける断面形状は、比較的に浅いＵ字形状から比較的に深いＵ字形状へ変容することになる。位置ｍおよび位置ｎは、アーチ形状のブリッスル付きシート部品の比較的に真っ直ぐな部品にあり、位置ｏは、アーチ形状のブリッスル付きシート部品の比較的に最も湾曲した部品にある。最終状態（図１１ｂ、ならびに、図１１ｃ、図１１ｄ、および図１１ｅの右側部品に示されている）において、および、位置ｍから位置ｏの方向に見て、鈍いＵ字形状から鋭いＵ字形状（Ｖ字形状）への断面形状変化は、人間の歯列弓の断面形状の変化に対応している。人間の歯列弓において、中切歯および側切歯は、人間の歯列弓の長さ方向に対して垂直の平面の中で見て、ほぼＶ字形状の断面形状を有することが可能であり、大臼歯および小臼歯は、ほぼＵ字形状の断面形状を有しているが、一方、犬歯は、Ｖ字形状とＵ字形状との間の断面形状を有している。
【０１０４】
図１２〜図１８は、第１章の本発明による実施形態のいくつかのさらなる例を概略的に示している。すべてのこれらの図は、アーチ形状の長さ軸線（図１のｚ軸の方向に延在している）に対して横断方向の断面図（図１において定義されているようなｘｙ平面）になっている。図１２〜図１８の断面図は、図１１の位置ｍにおいてとられている。図１１と同様に、図１２〜図１８に示されているブリッスル付きシート部品１０１の長さ軸線は、アーチ形状になっており、図１１と同様に、図１２〜図１８に示されているブリッスル付きシート部品１０１の断面形状は、最終状態において、アーチ形状の長さ軸線に沿って変化することが可能である。
【０１０５】
図１２の実施形態は、第１章の本発明による方法によってマウスピースに加工された比較的に厚いブリッスル付きシート部品１０１の例を概略的に示している。図１２ａは、提供するステップによって提供されるような、初期状態におけるブリッスル付きシート部品１０１を示している。シート部品の厚さは、シート部品の上のブリッスルを考慮に入れることなく、シート部品自身の厚さとして定義され、図１２ａの中のｇによって示されている。図１２の例において、厚さｇは、約１５ｍｍであるが、一方、他の図１〜図１０および図１２〜図１８の例において、厚さｇは、たとえば、０．５ｍｍから３ｍｍの範囲にあることが可能である。図１２ｂは、最終状態への変容の後のブリッスル付きシート部品１０１を示している（すなわち、得られる凹部壁）。図１２ｃは、Ｕ字形状の底部が互いに向かい合った状態で２つの前記凹部壁がくっつけられていることを示している。Ｕ字形状の底部は、その後に、たとえば、熱溶接によってまたは接着剤（もしくはグルー）によって、１３０において一緒に接合され、図１２ｄに示されているようなマウスピースを結果として生じさせる。図１２ｄに示されているマウスピースは、たとえば、マウスピースをロッド（ロッドは、図１１ｂの場所ｏにおいてマウスピースに取り付けられ得る）の上に装着することによって、および、ロッドの長さ方向への、および／または、１つもしくは２つの相互に垂直の方向（それぞれがロッドに対して垂直になっている）への振動移動にこのロッドをさらすことによって、歯をブラッシングするために使用され得る。
【０１０６】
図１３の実施形態は、２つの変形例によって、第１章の本発明による方法によって凹部壁に加工されたブリッスル付きシート部品アッセンブリ２０１の例を概略的に示している。シート部品アッセンブリ２０１は、アーチ形状の長さ軸線の方向に、内側円弧／（壁）縁部１０５および外側円弧／（壁）縁部１０６によって境界を定められているブリッスル付きシート部品１０１を含む。シート部品アッセンブリ２０１は、内側境界縁部１０５の上に、内側境界縁部１０５全体に沿って延在する内側取り付け部材２３１をさらに含み、また、外側境界縁部１０６の上に、外側境界縁部１０６全体に沿って延在する外側取り付け部材２３２をさらに含む。追加的に、シート部品アッセンブリ２０１は、舌側フレーム部材３０および顔側フレーム部材３２をさらに含む。内側取り付け部材２３１および外側取り付け部材２３２は、図１３に示されているように、内側境界縁部１０５および外側境界縁部１０６それぞれから突き出ているサイドフラップとして形状決めされ得る。舌側フレーム部材３０および顔側フレーム部材３２は、図１３に示されているように、プレートとして形状決めされ得る。
【０１０７】
図１３のシート部品アッセンブリ２０１は、提供するステップにおいて、図１３ａの平坦な初期状態において、または、図１３ｂのＵ字形状の初期状態において、または、フラップ２３１、２３２およびプレート３０、３２がブリッスル付きシート部品１０１に対しておよび／もしくは互いに対して任意の他の位置を有している初期状態において、事前製作された部品として提供され得る。事前製作された部品は、たとえば、射出成形（たとえば、マルチ材料射出成形技法など）によって作製され得る。また、図１３のシート部品アッセンブリは、たとえば射出成形（たとえば、マルチ材料射出成形技法など）によって、提供するステップの間に作製され得る。
【０１０８】
シート部品アッセンブリ２０１が、提供するステップの前に作製された事前製作された部品であろうと、または、提供するステップの間に作製されようと、両方の場合において、それは、射出成形（たとえば、マルチ材料射出成形技法など）によって作製され得る。ブリッスル２４を備えたタフト２９（任意選択で、すでに事前に組み立てられている）が、射出成形モールドの中にインサートとして設置され、タフトの根元部（それは、任意選択で、示されているようにタフトごとにベース３６を提供され得る）は、シート部品１０１が形成されることになる場所においてモールドキャビティの中に突き出ている。モールドを閉じた後に、第１および第２のプラスチック材料が、モールドの中へ射出される。第１の材料は、舌側フレーム部材３０および顔側フレーム部材３２を形成し、第２の材料は、シート部品１０１および内側取り付け部材２３１および外側取り付け部材２３２を形成する。フレーム部材３０、３２と取り付け部材２３１、２３２との間のインターフェース２５０において、フレーム部材３０、３２および取り付け部材２３１、２３２は、そこに形成された融合されたインターフェース層に起因して互いに接着することになる。シート部品１０１を形成する第２の材料は、タフトのベース３６とオーバーモールドし、タフトとシート部品１０１とのしっかりとした結合を生成させる。ベース３６とシート部品との結合は、たとえば、シート部品の中にベースを包み込むことに起因するものである可能性があり、かつ／または、第２の材料およびベース３６のインターフェースにおいて融合することによるものである可能性がある。代替的に、舌側フレーム部材および顔側フレーム部材が事前製作されており、タフトのように、射出成形モールドの中へインサートとして設置されているということも可能である。この場合には、シート部品および取り付け部材を形成するための第２の材料だけが射出されることになり、この材料は、取り付け部材とオーバーモールドすることになり、融合されたインターフェース層が形成されることによって取り付け部材に接着することになる。
【０１０９】
提供するステップにおいて、たとえば図１３ａまたは図１３ｂの初期状態で得られるシート部品アッセンブリ２０１は、その後に、変容させるステップを受ける。この変容させるステップにおいて（それは、たとえば、熱成形および／または機械的な変形によるものであることが可能である（たとえば、シート部品の長さ軸線の湾曲を狭くすることによる、および／または、内側境界縁部１０５と外側境界縁部１０６との間の距離を低減させることによる））、シート部品アッセンブリ２０１は、図１３ｃに示されているようなその最終状態に変容させられる。図１３の実施形態において、変容させるステップは、熱成形することによって行われている。しかし、前述のように、それは、機械的な変形の２つの様式によって、または、これらの２つの様式の組み合わせによって行われ得、また、熱成形および機械的な変形は、変容させるステップにおいて組み合わせられ得る。
【０１１０】
図１３ｃにおいて見ることができるように、タフト２９／ブリッスル２４は、断面平面の中で見て、規則的なパターンで分配されている。また、図１３ａおよび図１３ｂにおいても、タフト２９／ブリッスル２４は、規則的なパターンで分配されている。変容させるステップの間の壁部品１０１の引き伸ばしに起因して、タフト２９／ブリッスル２４間の距離は、図１３ｃにおいて、図１３ａおよび図１３ｂに対して増加されている。この例では、この引き伸ばしは、Ｕ字形状にわたって規則的になっているが、これは、不規則的であってもよい。引き伸ばしを考慮に入れると、タフト／ブリッスルは、図１３ａおよび図１３ｂの初期状態で配置され得、図１３ｃの最終状態において、タフト／ブリッスルが（規則的な分配のように）所定の分配を有するようになっている。
【０１１１】
図１４の実施形態は、第１章の本発明による方法によって凹部壁に加工されたブリッスル付きシート部品アッセンブリ２０１の別の例を概略的に示している。この実施形態は、図１４の実施形態では、射出成形の前に射出成形モールドの中へ挿入されるタフトの代わりに、ブリッスルがシート部品と同じ材料から射出成形されているということを除いて、図１３の実施形態と本質的に同じである。残りの部分に関して、図１３に関連して与えられた解説は、変更すべきところは変更して図１４にも同様に当てはまる。
【０１１２】
図１５の実施形態は、第１章の本発明による方法によって凹部壁に加工されたブリッスル付きシート部品アッセンブリ２０１の別の例を概略的に示している。図１５は、図１３にあるようなタフトを備えて示されているが、図１２にあるような射出成形されたブリッスル２４を備えても同様に上手くいくことが可能である。図１５の実施形態と図１３および図１４の実施形態との間の主な相違は、内側取り付け部材および外側取り付け部材の中にある。
【０１１３】
図１５において、内側取り付け部材および外側取り付け部材は、内側境界縁部１０５および外側境界縁部１０６それぞれに沿って延在するダブルサイドフラップとして形成されている。内側取り付け部材は、第１のフラップ部品２３１および第２のフラップ部品２３３を含み、第２のフラップ部品２３３は、第１のフラップ部品２３１に対して平行になっており、第１のフラップ部品２３１から所定の距離にあり、ギャップ２３５が内側フラップ部品２３１と外側フラップ部品２３３との間に画定されるようになっている。図１５ｂの中で矢印によって示されているように、舌側フレームプレート３０は、このギャップ２３５の中へ挿入され得る。同様に、外側取り付け部材は、第１のフラップ部品２３２および第２のフラップ部品２３４を含み、第２のフラップ部品２３４は、第１のフラップ部品２３２に対して平行になっており、第１のフラップ部品２３２から所定の距離にあり、ギャップ２３６が内側フラップ部品２３２と外側フラップ部品２３４との間に画定されるようになっている。図１５ｂの中で矢印によって示されているように、顔側フレームプレート３２は、このギャップ２３５の中へ挿入され得る。
【０１１４】
図１５ａは、提供するステップにおいて得られる、初期状態におけるシート部品アッセンブリ２０１を示している（フレーム部材３０および３２はまだ含まれていない状態である）。図１５ｂおよび図１５ｃは、最終状態におけるシート部品アッセンブリ２０１を示している。図１５ｂから分かるように、最初に、変容ステップが、フレーム部材３０、３２がない状態で、図１５ａのシート部品アッセンブリに適用され、その後に、舌側フレーム部材３０および顔側フレーム部材３２が、それぞれのギャップ２３５および２３６の中へ挿入される。フレーム部材３０および３２は、接着剤（もしくはグルー）によっておよび／または熱溶接によって、外側フラップ２３１、２３２および内側フラップ２３３、２３４に取り付けられ得る。
【０１１５】
図１５の実施形態に関して、この実施形態は、また、図１３に関連して解説されているような射出成形技法の組み合わせによって作製され得、または、ブリッスルが図１４によるものである場合には、マルチ材料射出成形技法によって（この場合には、シート部品、フラップ、およびフレーム部材が同時にまたはシーケンシャルに１つのモールドの中に射出成形される）、または、オーバーモールドすることによって（この場合には、フレーム部材が、シート部品およびフラップを成形する前に作製されている（もしくは、それとは逆に、この場合には、シート部品およびフラップが、フレーム部材を成形する前に作製されている））作製され得るということが留意される。
【０１１６】
図１６の実施形態は、第１章の本発明による方法によって、第１章の本発明による凹部壁を備えたマウスピースに加工されたブリッスル付きシート部品アッセンブリ２０１の別の例を概略的に示している。図１６の実施形態は、図１４の実施形態と基本的に同じであり、図１４に関する（および、図１３に関する）解説が、変更すべきところは変更して図１６にも同様に当てはまるようになっている。また、図１６の実施形態は、図１５のダブルサイドフラップを使用することが可能であり、図１５に関連する解説が変更すべきところは変更して図１６にも同様に当てはまるようになっているということがさらに留意される。図１３〜図１５の実施形態に対する図１６の実施形態の相違は、舌側フレーム部材３０および顔側フレーム部材３２の中にある。これらのフレーム部材は、２つのシート部品アッセンブリ２０１が一緒に接続されることを可能にするスナップ接続を提供されている。
【０１１７】
図１６ａは、初期状態におけるこれらのシート部品アッセンブリのうちの１つを示している。図１６ｂは、最終状態における両方のシート部品アッセンブリ２０１を示している。図１６ａにおよび図１６ｂの上側半分に示されているシート部品アッセンブリは、舌側フレーム部材３０および顔側フレーム部材３２の自由端部の上に、スナップ接続のメス型部品２３７、２３８を担持している。図１６ｂの下側半分に示されているシート部品アッセンブリは、舌側フレーム部材３０および顔側フレーム部材３２の自由端部の上に、スナップ接続のオス型部品２３９、２４０を担持している。明らかになるように、また、図１６ｂの下側半分に示されているシート部品アッセンブリは、図１６ｂの上側半分に関して図１６ａに示されているものと同様の初期状態で最初に提供されることになる。スナップ接続のオス型部品２３９、２４０、および、スナップ接続のメス型部品２３７、２３８は、互いに嵌合し、スナップ接続が確立され得るようになっている。明らかになるように、示されているスナップ接続のオス型部品および／またはメス型部品は、例として意図されており、異なって形成されることも可能である。
【０１１８】
図１６ｂのシート部品アッセンブリ２０１を一緒に組み立てた後に、第１章の本発明によるマウスピースが得られる。ブラッシング作用は、たとえば、図１２に関連して前に述べられているような振動ロッド（またはハンドル）によって、マウスピース全体を機械的な振動にさらすことによって得られ得る。また、ブラッシング作用は、舌側フレーム部材３０、顔側フレーム部材３２、およびシート部品１０１によって境界を定められているスペースを圧力チャンバとして使用することによって、ならびに、この圧力チャンバの中の圧力を往復的に増加および減少させることによって得られ得る。
【０１１９】
図１７の実施形態は、第１章の本発明による方法によって、第１章の本発明による凹部壁を備えたマウスピースに加工されたブリッスル付きシート部品アッセンブリ２０１の別の例を概略的に示している。図１７の実施形態は、図１６の実施形態と基本的に同じであり、図１６に関する（および、図１３〜図１５に関する）解説が、変更すべきところは変更して図１７にも同様に当てはまるようになっている。また、図１７の実施形態は、図１５のダブルサイドフラップを使用することが可能であり、かつ／または、図１４および図１６にあるものなどのような射出成形されたブリッスル２４を有することも可能であるということがさらに留意される。図１６の実施形態に対する図１７の実施形態の相違は、舌側フレーム部材３０および顔側フレーム部材３２の中にある。これらのフレーム部材は、２つのシート部品アッセンブリ２０１が一緒に接続されることを可能にするスナップ接続を提供されているのではなく、この接続は、異なる様式で確立される。図１７の実施形態において、この接続は、接着することによって確立され、たとえば、接着剤（もしくはグルー）によって、および／または、舌側フレーム部材３０および顔側フレーム部材３２の自由端部、および／または、フラップ２３１、２３２の自由端部、および／または、それぞれのフラップを備えたそれぞれのフレーム部材を一緒に熱溶接して、２５１および２５２においてジョイントを得ることなどによって確立される。
【０１２０】
図１８の実施形態は、第１章の本発明による方法によって、第１章の本発明による凹部壁を備えたマウスピースに加工されたブリッスル付きシート部品アッセンブリ２０１の別の例を概略的に示している。図１８の実施形態は、図１６および図１７の実施形態と基本的に同じであり、図１６および図１７に関する（および、図１３〜図１５に関する）解説が、変更すべきところは変更して図１８にも同様に当てはまるようになっている。また、図１８の実施形態は、図１３、図１４、および図１６のシングルサイドフラップを使用することが可能であり、かつ／または、図１４および図１６にあるものなどのような射出成形されたブリッスル２４を有することも可能であるということがさらに留意される。図１６および図１７の実施形態に対する図１８の実施形態の相違は、舌側フレーム部材３０および顔側フレーム部材３２の中にある。これらのフレーム部材は、２つのシート部品アッセンブリ２０１が一緒に接続されることを可能にするスナップ接続を提供されておらず、また、接着剤または一緒の熱溶接を必要としない。図１８の実施形態において、この接続は、Ｈ字形状のフレーム部材２６０によって確立され、Ｈ字形状のフレーム部材２６０は、スペーサー部材３１によって相互接続された舌側フレームプレート３０および顔側フレームプレート３２を含む。スペーサー部材３１は、プレートであり得、そのプレートは閉じられているか、または、上側半分と下側半分との間の流体接続を提供する通路を提供されている。代替的に、スペーサー部材３１は、複数のロッドまたはワイヤーによって形成され得るか、または、完全に存在していなくてもよい。スペーサー部材３１が完全に存在していない場合には、両方のブリッスル付きシート部品２０１に関して共通の１つの舌側フレーム部材３０だけが残され、また、両方のブリッスル付きシート部品２０１に関して共通の１つの顔側フレーム部材３２だけが残される。
【０１２１】
図１９の実施形態は、第１章の本発明による方法によって凹部壁に加工されたブリッスル付きシート部品アッセンブリ２０１のさらなる例を概略的に示している。図１９ａは、初期位置におけるシート部品を示しており、図１９ｂは、最終状態におけるシート部品を示している。図１９ａおよび図１９ｂは、図１９ａおよび図１９ｂのブリッスル付きシート部品１０１が２つの層（第１の層１０１ａおよび第２の層１０１ｂ）を含むということを除いて、図１３ｂおよび図１３ｃと同一になっている。図１９のブリッスル付き層２０１は、ナイロンブリッスルを備えたタフト２９を含む。第１の層１０１ａは、それぞれのタフトのための通路を提供されており、ブリッスルの根元部が第１の層１０１ａの裏側に到達する（または、第１の層１０１ａの裏側から少し突き出ている）ようになっており、その裏側は、図１９ａおよび図１９ｂにおいて下側側部である。ブリッスルのタフトが通路の中へ挿入された後に、第２の層１０１ｂが提供される。この第２の層がブリッスルを固定する。第２の層を射出成形することは、ブリッスルの根元部端部を第２の層と融合させ、それは、信頼性の高いしっかりとした結合を結果として生じさせる。明らかになるように、図１９ｂのブリッスル付き層２０１は、また、図１３ａに示されているように、平坦な状態で提供され得る。さらに、図１３ａ、図１３ｂ、および図１３ｃに関連する解説は、変更すべきところは変更して図１９にも当てはまるということが明確であることになる。
【０１２２】
図２０の実施形態は、第１章の本発明による方法によって凹部壁に加工されたブリッスル付きシート部品アッセンブリ２０１のさらなる例を概略的に示している。図２０ａは、初期位置におけるシート部品を示しており、図２０ｂは、最終状態におけるシート部品を示している。図２０ａおよび図２０ｂは、図２０ａでは、タフトが不規則的に間隔を置いて配置されており、一方、図２０ｂでは、それらが規則的に間隔を置いて配置されているということを除いて、図１３ｂおよび図１３ｃと同一になっている。図２０ａに示されているように、左から第１のタフトと第２のタフトとの間に隙間Ｓｃ１が存在しており、左から第４のタフトと第５のタフトとの間に隙間Ｓｂ１が存在しており、左から第６のタフトと第７のタフトとの間に隙間Ｓａ１が存在している。図２０ａに示されているように、Ｓａ１は、Ｓｂ１よりも大きくなっていることが可能であり、Ｓｂ１は、Ｓｃ１よりも大きくなっていることが可能である。しかし、隙間Ｓａ１、Ｓｂ１、およびＳｃ１の間の関係は、異なっていてもよく、たとえば、Ｓｂ１は、Ｓｃ１に等しくなっており、Ｓａ１よりも大きくなっていることが可能である。図２０ｂに示されているように、隙間Ｓａ１、Ｓｂ１、およびＳｃ１は、それぞれ、Ｓａ２、Ｓｂ２、およびＳｃ２まで増加されている。この増加は、変容ステップの間のシート部品１０１の引き伸ばしに起因している可能性がある。図２０ｂに示されているように、Ｓａ２は、Ｓｂ２およびＳｃ２に等しくなっていることが可能である。Ｓａ１、Ｓｂ１、およびＳｃ１は、（変容ステップの間のシート部品の引き伸ばしを考慮に入れて）変容するステップの後にＳａ２がＳｂ２およびＳｃ２に等しくなるように選択された可能性がある。
【０１２３】
次の以下の条項１〜３９は、上記に説明された第１章の発明の例、および、これらの第１章の発明のさらなる態様および実施形態を与えている：
１］  複数のデンタル位置において同時にブラッシングするためのマウスピースのためのブリッスルによってライニングされている連続的な凹部壁を製造する方法であって、連続的な凹部壁は、アーチ形状の長さ軸線を有しており、また、長さ軸線に対して横断方向に見て、前記複数のデンタル位置を包含するように構成されているＵ字形状の断面を有しており、アーチ形状の長さ軸線は、左側の第２小臼歯から右側の第２小臼歯への距離に少なくとも等しい距離に及ぶ長さを有しており；
方法は、提供するステップを含み、提供するステップでは、複数のブリッスルによってライニングされている第１の側部を有する細長い連続的なブリッスル付きシート部品が提供され、細長いブリッスル付きシート部品は、ブリッスル付きシート部品に対して平行に延在する長さ軸線を画定しており、また、長さ軸線に対して横断方向に見て、所定の断面形状を画定しており、提供するステップにおいて得られる細長い連続的なブリッスル付きシート部品は、初期状態を有しており、初期状態では、
−  断面形状は、初期形状を有しており、
−  長さ軸線は、アーチ形状になっており；
方法は、変容させるステップをさらに含み、変容させるステップでは、提供するステップにおいて得られる細長い連続的なブリッスル付きシート部品が、最終状態を有する前記連続的な凹部壁に変容させられ；
最終状態では、
−  断面形状は、最終的なＵ字形状を有しており、
−  長さ軸線は、アーチ形状になっており、
−  第１の側部は、最終的なＵ字形状の凹形内側側部であり、
第１の側部は、最終状態において、初期状態のときよりも凹形になっている、方法。
２］  最終状態において、Ｕ字形状の断面の対向する側部からのブリッスルが、互いに向けて延在している、条項１に記載の方法。
３］  最終的なＵ字形状は、２つの脚部およびこれらの脚部を接続する底部によって画定されており、垂直方向の軸線が、２つの脚部間の底部に対して横断方向に延在するように定義されている、条項１または２に記載の方法。
４］  最終状態において、一方の脚部の上のブリッスル、および、他方の脚部の上のブリッスルは、それぞれの脚部から互いに向けて延在している、条項３に記載の方法。
５］  最終状態において、２つの脚部の上のブリッスルは、垂直方向の軸線に対して所定の角度で提供されており、角度は、垂直方向の軸線に対して０°から９０°の範囲にあり、たとえば、３０°から９０°などの範囲にある、条項３または４に記載の方法。
６］  初期状態において、ブリッスル付きシート部品の第１の側部は、凹形になっているか、平坦になっているか、または凸形になっている、条項１から５のいずれか一項に記載の方法。
７］  ２つの脚部およびこれらの脚部を接続する底部は、最終的なＵ字形状によって画定されており、垂直方向の軸線は、底部に対して横断方向に延在するものとして定義されており、２つの脚部は、その脚部の上の前記ブリッスルのそれぞれの根元部において、ブリッスル付きシート部品の第１の側部の接線を定義しており、接線は、長さ軸線に対して横断方向の平面の中に延在しており；
初期状態において、ブリッスルは、垂直方向の軸線に対して平行に延在しており；
変容させるステップにおいて、２つの脚部は、互いに向けて曲げられ、垂直方向の軸線に対してｘ°の角度にわたってそれぞれの接線を回転させ、それぞれの接線に関連付けられたブリッスルが、底部から離れる方を指す方向に、垂直方向の軸線に対してｘ°の角度で延在するようになっている、条項１から６のいずれか一項に記載の方法。
８］  前記ｘ°は、０°〜９０°の範囲にあり、たとえば、３０°〜６０°の範囲、または、４０°〜５０°などの範囲にある、条項７に記載の方法。
９］  垂直方向の軸線に対する２つの脚部の最終的な角度は、０°〜４５°の範囲にあり、たとえば、５°〜２０°などの範囲にある、条項７または８に記載の方法。
１０］  アーチ形状の長さ軸線とブリッスルによってライニングされている第１の側部とを有する細長い連続的なブリッスル付きシート部品は、提供するステップにおいて作製される、条項１から９のいずれか一項に記載の方法。
１１］  ブリッスルは、根元部端部と、自由端部と、根元部端部から自由端部へ延在するブリッスル本体部と、を有しており；
提供するステップにおいて得られるブリッスル付きシート部品は、タフティングによって作り出され、タフティングは、
−  複数のナイロンブリッスルまたはナイロンブリッスルのタフトを第１のシート部品を通して挿入し、ブリッスル本体部および自由端部が第１のシート部品の表側から延在した状態にし、根元部端部が第１のシート部品の裏側に突き出た状態にするステップと；
−  任意選択で、第１のシート部品の裏側に接触して第２のシート部品を提供するステップと；
−  ブリッスルの根元部端部を第１のシート部品および／または任意選択の第２のシート部品と融合させるステップと、
を含む、条項１から１０のいずれか一項に記載の方法。
１２］  ブリッスル付きシート部品は、変容させるステップにおいて、真空形成などのような熱成形によって、初期状態から最終状態へ変容させられる、条項１から１１のいずれか一項に記載の方法。
１３］  Ｕ字形状の輪郭に沿った方向に見て、ブリッスル付きシート部品は、熱成形によって引き伸ばされる、条項１２に記載の方法。
１４］  最終状態において、および、Ｕ字形状の輪郭に沿った方向に見て、ブリッスルは、所定のパターンにしたがって分配されている、条項１３に記載の方法。
１５］  初期状態において、ブリッスル付きシート部品の上のブリッスルの分配は、最終状態において、および、Ｕ字形状の輪郭に沿った方向に見て、ブリッスルが所定のパターンにしたがって分配されるように構成されている、条項１３または１４に記載の方法。
１６］  長さ軸線は、初期状態において初期の湾曲を有しており、最終状態において最終的な湾曲を有しており、初期の湾曲は、最終的な湾曲よりも広くなっている、条項１から１５のいずれか一項に記載の方法。
１７］  長さ軸線は、初期状態において、最終状態のときと同じ湾曲を有している、条項１から１５のいずれか一項に記載の方法。
１８］  ブリッスル付きシート部品は、２つの境界縁部を有しており、２つの境界縁部は、長さ軸線に対して横断方向の方向に見て、互いに所定の相互距離において、長さ軸線に沿って延在しており；
変容させるステップにおいて、ブリッスル付きシート部品は、２つの境界縁部の間の相互距離を低減させることによって変容させられる、条項１から１７のいずれか一項に記載の方法。
１９］  −  提供するステップにおいて得られるブリッスル付きシート部品は、内側境界縁部および外側境界縁部によって境界を定められており、内側境界縁部および外側境界縁部は、長さ軸線から所定の距離において長さ軸線に沿って延在しており、
−  ブリッスル付きシート部品は、舌側フレーム部材および顔側フレーム部材と一体的な部品であり、舌側フレーム部材および顔側フレーム部材は、両方とも、それぞれの弓形湾曲に沿って弓形形状になっており、かつ
−  ブリッスル付きシート部品は、内側境界縁部において内側取り付け部材を含み、内側取り付け部材は、内側境界縁部に沿って延在し、舌側フレーム部材に取り付けられており、ブリッスル付きシート部品は、外側境界縁部において外側取り付け部材を含み、外側取り付け部材は、外側境界縁部に沿って延在し、顔側フレーム部材に取り付けられている、条項１から１８のいずれか一項に記載の方法。
２０］  提供するステップは、
−  顔側フレーム部材および舌側フレーム部材を提供するサブステップと、
−  顔側フレーム部材および舌側フレーム部材とは別個に、内側取り付け部材および外側取り付け部材と一体になったブリッスル付きシート部品を提供するサブステップと、
−  内側取り付け部材および外側取り付け部材を舌側フレーム部材および顔側フレーム部材それぞれに取り付けるサブステップと、
を含む、条項１９に記載の方法。
２１］  提供するステップにおいて、ブリッスル付きシート部品、顔側フレーム部材、および舌側フレーム部材は、事前製作された一体部品として提供される、条項１９に記載の方法。
２２］  ブリッスル付きシート部品、顔側フレーム部材、および舌側フレーム部材は、提供するステップにおいて、マルチ材料射出成形などのような射出成形によって作製される、条項１９から２１のいずれか一項に記載の方法。
２３］  内側取り付け部材および外側取り付け部材は、内側境界縁部および外側境界縁部それぞれに沿って延在するサイドフラップとして構成されており、舌側フレーム部材および顔側フレーム部材それぞれに取り付けられるように構成されている、条項１９から２２のいずれか一項に記載の方法。
２４］  内側取り付け部材および外側取り付け部材は、内側境界縁部および外側境界縁部それぞれに沿って延在するダブルサイドフラップとして構成されており、
舌側フレーム部材および顔側フレーム部材は、プレート部品を備えて構成されており、
ダブルサイドフラップは、第１のフラップ部品および第２のフラップ部品を含み、第２のフラップ部品は、第１のフラップ部品に対して平行に、第１のフラップ部品から所定の距離にあり、第１のフラップ部品と第２のフラップ部品との間に、ギャップを画定しており、ギャップは、舌側フレーム部材および顔側フレーム部材それぞれのプレート部品を受け入れるように構成されている、条項１９から２３のいずれか一項に記載の方法。
２５］  提供するステップにおいて、２つのブリッスル付きシート部品が得られ、
−  それぞれのブリッスル付きシート部品は、前記内側境界縁部および前記外側境界縁部によって境界を定められており、内側境界縁部および外側境界縁部は、長さ軸線から所定の距離において長さ軸線に沿って延在しており、
−  それぞれのブリッスル付きシート部品は、前記舌側フレーム部材および顔側フレーム部材との一体部品であり、舌側フレーム部材および顔側フレーム部材は、両方とも、それぞれの弓形湾曲に沿って弓形形状になっており、
−  それぞれのブリッスル付きシート部品は、内側境界縁部の上に前記内側取り付け部材を含み、内側取り付け部材は、内側境界縁部に沿って延在し、舌側フレーム部材に取り付けられており、それぞれのブリッスル付きシート部品は、外側境界縁部の上に前記外側取り付け部材を含み、外側取り付け部材は、外側境界縁部に沿って延在し、顔側フレーム部材に取り付けられており、
前記２つのブリッスル付きシート部品のうちの第１のブリッスル付きシート部品に関連付けられる顔側フレーム部材は、第１のスナップ接続のオス型部品またはメス型部品を提供されており、前記２つのブリッスル付きシート部品のうちの第２のブリッスル付きシート部品に関連付けられる顔側フレーム部材は、前記第１のスナップ接続のメス型部品またはオス型部品それぞれを提供されており、
前記２つのブリッスル付きシート部品のうちの第１のブリッスル付きシート部品に関連付けられる舌側フレーム部材は、第２のスナップ接続のオス型部品またはメス型部品を提供されており、前記２つのブリッスル付きシート部品のうちの第２のブリッスル付きシート部品に関連付けられる顔側フレーム部材は、前記第２のスナップ接続のメス型部品またはオス型部品それぞれを提供されている、条項１９から２４のいずれか一項に記載の方法。
２６］  提供するステップにおいてブリッスル付きシート部品によって得られる、舌側フレーム部材および顔側フレーム部材の弓形湾曲は、最終的な湾曲よりも広くなっており；
変容させるステップにおいて、弓形湾曲は、最終的な湾曲と対応するように狭くされる、条項１９から２５のいずれか一項に記載の方法。
２７］  舌側フレーム部材および顔側フレーム部材は、弾性になっており、解放状態を有しており、解放状態では、舌側フレーム部材および顔側フレーム部材は、無応力になっており、凹部壁の最終的な湾曲に対応する弓形湾曲を有しており；
事前付勢するステップが、提供するステップの前または間に行われ；
事前付勢するステップにおいて、舌側フレーム部材および顔側フレーム部材は、解放状態からプリテンション状態へプリテンションをかけられ、プリテンション状態では、舌側フレーム部材および顔側フレーム部材の弓形湾曲は、ブリッスル付きシート部品の初期の湾曲に対応しており、プリテンション状態では、舌側フレーム部材および顔側フレーム部材は、舌側フレーム部材および顔側フレーム部材をそれらの解放状態に戻す方向に作用するプリテンションを有しており；
変容させるステップにおいて、弓形湾曲は、舌側フレーム部材および顔側フレーム部材のプリテンションを解除することによって狭くされる、条項１９から２６のいずれか一項に記載の方法。
２８］  提供するステップにおいて、２つの前記ブリッスル付きシート部品が得られ、第１および第２のシート部品の内側取り付け部材および外側取り付け部材は、たとえば熱溶接などによって、互いに取り付けられている、条項１９から２７のいずれか一項に記載の方法。
２９］  提供するステップにおいて、２つの前記ブリッスル付きシート部品が、２つのブリッスル付きシート部品のうちの第１のブリッスル付きシート部品を２つのブリッスル付きシート部品のうちの第２のブリッスル付きシート部品と一体的に接続する移行エリアを有する単一部品として得られ；
移行エリアは、２つのブリッスル付きシート部品が第１の位置から第２の位置へ互いに対して折り畳まれることを可能にするように構成されており、第１の位置では、２つのブリッスル付きシート部品が整合されており、第２の位置では、２つのブリッスル付きシート部品が互いに折り重ねられている、条項１から２８のいずれか一項に記載の方法。
３０］  折り畳むステップにおいて、ブリッスル付きシート部品は、第１の位置から第２の位置へ互いに対して折り畳まれる、条項２９に記載の方法。
３１］  長さ軸線の長さは、左側の第１大臼歯から右側の第１大臼歯までの距離に少なくとも等しい距離に及んでおり、たとえば、左側の第２大臼歯から右側の第２大臼歯までの距離に少なくとも等しい距離に及ぶ長さなどに及んでいる、条項１から３０のいずれか一項に記載の方法。
３２］  最終的なＵ字形状は、０ｍｍから２０ｍｍの範囲にある、たとえば、２ｍｍから１２ｍｍなどの範囲にある内部幅を有しており；かつ／または、
最終的なＵ字形状は、３ｍｍから２０ｍｍの範囲にある、たとえば、５ｍｍから１０ｍｍなどの範囲にある内部高さを有している、条項１から３１のいずれか一項に記載の方法。
３３］  ブリッスル付きシート部品は、最大で１５ｍｍまでの厚さを有しており、たとえば、０．５ｍｍから３ｍｍなどの範囲にある厚さを有している、条項１から３２のいずれか一項に記載の方法。
３４］  少なくとも１つの凹部を提供された本体部を含むタイプのマウスピースを製造する方法であって、少なくとも１つの凹部は、複数のブリッスルによってライニングされている凹部壁によって境界を定められており、複数のブリッスルは、凹部壁から凹部の中へ延在しており、凹部壁は、アーチ形状の長さ軸線を画定しており、長さ軸線に対して横断方向に見て、Ｕ字形状の断面形状を画定しており、また、歯列弓に沿って複数のデンタル位置を包含するように構成されており；
凹部壁は、条項１から３３のいずれか一項に記載の方法によって製造されている、方法。
３５］  本体部は、圧力下で流体を収容するように構成されている少なくとも１つの圧力チャンバをさらに含み、本体部は、少なくとも１つの圧力チャンバの中の圧力を往復的に増加および減少させることによって、凹部壁を変形させるように構成されている、条項３４に記載の方法。
３６］  条項３４または３５に記載の方法によって得られるマウスピース。
３７］  複数のデンタル位置において同時にブラッシングするためのマウスピースのための凹部壁であって、条項１から３３のいずれか一項に記載の方法によって得られる、凹部壁。
３８］  複数のデンタル位置において同時にブラッシングするためのマウスピースであって、マウスピースは、少なくとも１つの凹部を提供された本体部を含むタイプのものであり、少なくとも１つの凹部は、複数のブリッスルによってライニングされている凹部壁によって境界を定められており、複数のブリッスルは、凹部壁から凹部の中へ延在しており、凹部壁は、アーチ形状の長さ軸線を画定しており、長さ軸線に対して横断方向に見て、Ｕ字形状の断面形状を画定しており、また、歯列弓に沿って複数のデンタル位置を包含するように構成されており；
凹部壁は、条項１から３３のいずれか一項に記載の方法によって製造されている、マウスピース。
３９］  本体部は、圧力下で流体を収容するように構成されている少なくとも１つの圧力チャンバをさらに含み、本体部は、少なくとも１つの圧力チャンバの中の圧力を往復的に増加および減少させることによって、凹部壁を変形させるように構成されている、条項３８に記載のマウスピース。
【０１２４】
上記から分かるように、この第１章の全体を通して使用されているような「圧力チャンバ」という用語は、減少した圧力状態と増加した圧力状態との間で圧力が変化されるチャンバである。減少した圧力状態および増加した圧力状態は、両方とも、周囲圧力を下回る圧力であることが可能であり、すなわち、０ｂａｒから１ｂａｒの間の圧力として定義される真空であることが可能である。代替的に、減少した圧力状態および増加した圧力状態は、両方とも、周囲圧力を上回る圧力であることが可能であり、または、これらの圧力状態のうちの一方がほぼ周囲圧力であることが可能であり、一方では、他方が周囲圧力を下回るかもしくは上回っている。
【０１２５】
この第１章において、「圧力チャンバの中の圧力」という専門用語または同様の専門用語が使用される場合、それは、「圧力チャンバの中の流体の圧力」である。それは、凹部壁に作用して局所的な変形を引き起こす流体の圧力である。流体の圧力は、たとえば、追加的な流体を圧力チャンバの中へ供給することによって増加され得、または、流体が圧力チャンバを離れることを可能にすることによって減少され得る。
【０１２６】
この第１章において、「熱溶接」が使用されている場合、これは、熱溶接技法であることが可能であり、
−  ここで、機械的な移動、たとえば、振動溶接および超音波溶接によって、熱が発生され、
−  外部熱源を使用する技法、たとえば、ホットプレート溶接、ホットバー溶接、およびホットガス溶接によって、熱が発生され、
−  電場および／または磁場を使用する技法、たとえば、レーザー溶接、赤外線溶接、誘導溶接、および誘電溶接によって、熱が発生され；
−  ここで、溶接は、プラスチックまたは熱可塑性の材料の成形の間に起こり、たとえば、溶接は、射出成形において、または、圧縮成形の間に起こる。
【０１２７】
この第１章において、マルチ材料射出成形という用語が使用されている場合、これは、インターフェースにおいて一緒に融合することに起因して一体部品を形成する２つ以上の射出成形された材料からアイテムが作製される任意の射出成形技法であることが可能である。これらの材料は、同時にまたはシーケンシャルにモールドの中へ射出され得る。追加的にまたは代替的に、サブアイテムは、第１のモールドキャビティの中に第１の材料を射出成形することによって事前製作され得、その後に、第２のモールドキャビティの中にインサートとして追加され得、第２の材料が、第２のモールドキャビティの中へ射出され、サブアイテムと一体的になり、第１および第２のモールドキャビティは、１つのモールドの中にまたは異なるモールドの中に配置され得る。これらの射出成形技法の多くは、当業者に知られており、同じまたは非常に類似したマルチ材料射出成形技法に関するさまざまな名前の下で頻繁に示されている（たとえば、マルチショット成分射出成形（２つ以上の成分を伴う）、多成分射出成形、共射出成形、およびオーバーモールディング）。これらの名前の中で頻繁に使用される用語「成分」は、「材料」と同じものを意味しているということが留意される。
【０１２８】
この第１章において、「ブリッスル付きシート部品」という専門用語が使用されている場合、これは、複数のブリッスルによってライニングされている第１の側部を有するシート部品を意味している。
【０１２９】
この第１章において、「広い」、「狭い」、「広くする」、および「狭くする」という用語が、湾曲に関連して使用されている場合、広いは、車を運転するときの広いターンと同様の広いベンドを意味しており、狭いは、車を運転するときの狭いターンまたはきついターンと同様の狭いベンドを意味している。さらに、狭くするは、広いから狭いへ行くことを意味しており、一方、広くするは、狭いから広いへ行くことを意味している。
【０１３０】
さまざまなデンタル位置／自然の歯の形状を考慮に入れると、Ｕ字形状の断面の形状は、凹部／凹部壁の長さ方向に沿って変化することが可能である。上側切歯および／または下側切歯の領域において、Ｕ字形状の断面は、たとえば、Ｖ字形状になっていることが可能である。
【０１３１】
第２章
［発明の名称］デンタルクリーニングデバイス
【０１３２】
第２章の本発明は、デンタルクリーニングデバイスに関し、とりわけ、凹部を有するマウスピースを含むタイプのデンタルクリーニングデバイスであって、凹部は、断面がＵ字形状になっており、所定の湾曲した長さ方向を有することが可能である、デンタルクリーニングデバイスに関する。
【０１３３】
［第２章の背景技術］
人間および動物の歯をクリーニングすることは、口腔衛生および内臓の健康のための必須条件である。たとえば、手動の歯ブラシおよび電動歯ブラシなど、さまざまなデンタルクリーニングデバイスが利用可能である。これらの典型的な歯ブラシでは、効果的に歯のプラークを除去するために、１日に少なくとも２分にわたって所定の方法によって歯をブラッシングすることが勧められている。しかし、平均的な人は、自分の歯をクリーニングするのに所定の時間のすべてを費やすわけではなく、かつ／または、常に効果的な方法にしたがってプラッシングするとは限らない。
【０１３４】
人は、たとえば、歯をブラッシングする間に歯のブリッスルに過度の圧力を働かせる可能性があり、それによって、ブリッスルが急速かつ過度に摩耗するだけでなく、ブラッシングプロセスは効果的でなくなり、歯が損傷を受ける可能性があり、歯茎が後退する可能性があり、それは、歯の健康に有害な影響を与える。
【０１３５】
したがって、改善されたデンタルクリーニングデバイスに対する必要性が存在している。より具体的には、過度の圧力によるブラッシングが防止されるデンタルクリーニングデバイスに対する必要性が存在している。さらに、非効果的にブラッシングすることをほとんど不可能にするために、ブラッシング作用のより高い程度の制御を伴うデンタルクリーニングデバイスに対する必要性が存在している。
【０１３６】
特許文献１は、１つの実施形態では、ブリッスルが取り付けられている壁の移動を制限するための物理的なストップ部を開示している。ストップ部は、過度の圧力が使用者の歯に印加されることを防止する。別の実施形態では、特許文献１は、調節可能な圧力設定バルブの使用を開示している。バルブは、最大限に許容される圧力が超えられるときに、チャンバの中の圧力を解放する。
【０１３７】
特許文献２は、１対のバルブを使用し、チャンバの中の圧力を制御する。第１のバルブが開けられるときに、過少圧力（部分的な真空）が膜の下に生成される。第２のバルブが開けられるときに、過大圧力が前記膜の下に生成される。
【０１３８】
同じ出願人による特許文献３は、デンタルクリーニングデバイスのチャンバの中の圧力を制御するように構成されている電子バルブを開示している。この特許文献３は、本出願の優先日においてまだ公開されていない。
【０１３９】
しかし、より効率的なおよび／または改善されたデンタルクリーニングデバイスに対する必要性が残っている。
［先行技術文献］
［特許文献］
【０１４０】
［特許文献１］米国特許第４７９５３４７号明細書
［特許文献２］国際公開第２０１０／０７６７０２号パンフレット
［特許文献３］国際出願第ＰＣＴ／ＮＬ２０１８／０５０２７６号
【０１４１】
［第２章の発明の概要］
第２章の本発明の第１の態様によれば、改善されたデンタルクリーニングデバイスが提供され、デンタルクリーニングデバイスは、
−  圧力チャンバおよび凹部を有するマウスピースであって、凹部は、断面がＵ字形状になっており、可撓性の変形可能な凹部壁によって境界を定められており、圧力チャンバは、圧力下で流体を収容するように構成されている、マウスピースと；
−  任意選択で、複数のブリッスルであって、その一方の端部によって凹部壁にそれぞれ取り付けられており、前記凹部壁から凹部の中へ延在している、複数のブリッスルと；
−  前記圧力チャンバに流体連通して配置されているポンプユニットであって、圧力チャンバの中へおよび圧力チャンバから外へそれぞれ所定の体積の流体をポンプ送りすることによって、増加した圧力状態と減少した圧力状態との間で、圧力チャンバの中の圧力を往復的に増加および減少させるように構成されており、それによって、凹部壁を変形させ、凹部壁を往復して移動させ、それぞれ凹部を増加および減少させる、ポンプユニットと；
−  圧力チャンバの中の圧力を表す圧力を測定するように構成されており、また、前記圧力を表す圧力信号を作り出すように構成されている、圧力センサと；
−  制御信号を発生させるように構成されているコントローラと；
を含み；
圧力センサおよびコントローラは、コントローラが使用時に圧力センサから圧力信号を受信するように接続されており、コントローラおよびポンプユニットは、ポンプユニットが使用時にコントローラから制御信号を受信するように接続されており；
コントローラは、圧力信号に基づいて制御信号を発生させるように構成されており、かつ、ポンプユニットは、制御信号に応答して、圧力チャンバの中へおよび／または圧力チャンバから外へ所定の送達量を提供するように構成されており；
コントローラは、圧力チャンバの中の圧力が所定の上側閾値を超えるときには、ポンプユニットの送達量を低減させるように構成されている。
【０１４２】
第２章の本発明によれば、デンタルクリーニングデバイスは、圧力センサおよびコントローラを含む。圧力センサは、圧力チャンバの中の圧力を表す圧力を測定するように構成されている。圧力センサは、たとえば、圧力チャンバの中に配置され得、圧力センサは、前記圧力を直接的に測定する。代替的に、圧力センサは、ポンプユニットと圧力チャンバとの間に配置されている入口部チューブの中に（たとえば、圧力チャンバの近くに）配置され得、圧力センサは、圧力チャンバに進入する流体の圧力を測定する。前記圧力から、圧力チャンバの中の圧力が、計算および／または推定され得る。さらに代替的に、圧力センサは、ポンプユニットと圧力チャンバとの間に配置されている入口部チューブの中に（たとえば、ポンプの近くに）配置され得、圧力センサは、ポンプユニットを退出する流体の圧力を測定する。前記圧力から、圧力チャンバの中の圧力が計算および／または推定され得る。さらに代替的に、圧力センサは、ポンプユニットと一体化され得、圧力センサは、ポンプユニットを退出する流体の圧力を測定する。前記圧力から、圧力チャンバの中の圧力が計算および／または推定され得る。
【０１４３】
圧力チャンバの中の圧力を測定する間に、前記圧力は、参照圧力（たとえば、周囲圧力など）と比較され得る。次いで、相対圧力が測定され得、測定された圧力は、参照圧力（周囲圧力）に対するものである。代替的に、絶対圧力測定が行われ得、圧力チャンバの中の圧力の絶対的な値を測定する。
【０１４４】
第２章の本発明によれば、圧力センサおよびコントローラが接続されている。すなわち、圧力センサおよびコントローラは、互いに通信して配置されており、信号が、圧力センサからコントローラへ（および／または、その逆もまた同様）送られ得る。接続は、たとえば、ワイヤード接続またはワイヤレス接続であることが可能である。圧力センサは、圧力センサによって測定される（圧力チャンバの中の）圧力を表す圧力信号を作り出す。この圧力信号は、デンタルクリーニングデバイスの使用時に、コントローラに送られ、このコントローラが、前記信号を受信する。
【０１４５】
第２章の本発明によれば、コントローラは、圧力信号に基づいて制御信号を発生させるように構成されている。たとえば、制御信号は、圧力チャンバの中の圧力が高過ぎるか、所定の境界の中にあるか、または低過ぎるかということを示すことが可能である。制御信号は、連続的に発生され得る。たとえば、圧力チャンバの中の圧力が高過ぎるということを圧力信号が示すときには（圧力が事前設定された上側閾値を超えるときには）、制御信号は、圧力チャンバの中の圧力が所定の境界内にあるときに発生される制御信号に対して変化することが可能である。したがって、制御信号の変化は、デンタルクリーニングデバイスの機能が望まれるようなものになっていないということを示すことが可能である。圧力チャンバの中の圧力が事前設定された上側閾値を下回っているということを圧力信号が示すときには、制御信号は、他の特質を有することが可能である。たとえば、圧力が事前設定された上側閾値を下回っているときに発生される制御信号は、デンタルクリーニングデバイスが所望の通りに機能しているということをポンプユニットに示すことが可能である。
【０１４６】
制御信号は、代替的に、スイッチタイプの信号であることが可能であり、スイッチタイプの信号は、圧力が所定の閾値を超えるときにのみ発生されるか、または、スイッチタイプの信号は、圧力が所望の境界内にあるときにのみ発生される。したがって、制御信号は、連続的に発生されない場合がある。
【０１４７】
第２章の本発明によれば、コントローラおよびポンプユニットは接続されている。すなわち、コントローラおよびポンプユニットは、互いに通信して配置されており、信号が、コントローラからポンプユニットへ（および／または、その逆もまた同様）送られ得る。接続は、たとえば、ワイヤード接続またはワイヤレス接続であることが可能である。コントローラが制御信号を作り出すときには、前記信号は、デンタルクリーニングデバイスの使用時に、ポンプユニットに送られ、このポンプユニットが、前記信号を受信する。前記制御信号に応答して、ポンプユニットは、圧力チャンバの中へおよび／または圧力チャンバから外へ所定の送達量を提供する。
【０１４８】
したがって、その仕事を行うと、ポンプユニットは、たとえば、０リットル毎分から４リットル毎分の間の送達量で、圧力チャンバの中へおよび圧力チャンバから外へ流体を送達する。ポンプユニットは、圧力チャンバの中へおよび圧力チャンバから外へ、事前設定された流体の送達量（リットル毎分）を送達するように構成され得る。次いで、制御信号を受信するときには、ポンプユニットは、それぞれ、現在の送達量でその作業を継続するか、その送達量を低下させるか、または、その送達量を増加させることが可能である。低過ぎる圧力が圧力チャンバの中に測定される場合には、送達量が増加され得る。圧力信号に基づいて制御信号を発生させることは、圧力が所定の上側閾値を下回って維持されることを保証することが可能である。代替的に、制御信号は、前記上側閾値が到達されるときに変化することが可能であり、ポンプユニットの送達量が変更されるべきであるということを示している。
【０１４９】
第２章の本発明によれば、デンタルクリーニングデバイスのコントローラは、所定の上側閾値を超えると、送達量を低減させるように構成されている。すなわち、コントローラは、圧力チャンバの中の圧力が上側閾値を超えるときにポンプユニットによって圧力チャンバの中へポンプ送りされる空気の量を低減させるように構成され得る。ポンプの送達量を低減させる結果として、圧力チャンバの中の圧力が降下し、デンタルクリーニングデバイスをより効率的に動作させながら（たとえば、電力消費がより少なく、それは、バッテリーを再充電する頻度が少なくなることを結果として生じさせることが可能である）、したがって、その作業を改善しながら、過度の圧力によって使用者使用者の歯または歯茎をブラッシングすることを防止する。
【０１５０】
さらに、圧力測定に基づいて制御信号を介してポンプの送達量を制御することによって、過度の圧力によって歯をブラッシングすることが防止される。
【０１５１】
第２章の本発明によるデンタルクリーニングデバイスは、少なくとも１つの凹部を有するマウスピースを含み、少なくとも１つの凹部は、たとえば、１つまたは２つの凹部であることが可能である。この少なくとも１つの凹部は、断面がＵ字形状になっている。マウスピースは、前記凹部ごとに、それぞれの凹部の境界を定める凹部壁を含む。凹部壁は、可撓性および／または変形可能であることが可能である。凹部壁は、シートから形成され得、シートは、たとえば、熱可塑性のエラストマー、シリコーンエラストマー、またはシリコンポリマーから作製され得る。凹部壁は、任意選択で、複数のブリッスルによってライニングされており、複数のブリッスルは、凹部壁に取り付けられている一方の端部をそれぞれ有しており、凹部壁から凹部の中へ延在している。換言すれば、マウスピースは、凹部を有しており、凹部の凹部壁は、凹部の壁にわたって分配されているブリッスルによってカバーされ得る。少なくとも１つのデンタル位置（この位置の歯のエレメント、または、そのデンタル位置の場所において顎骨をカバーしている歯茎など）が、凹部の中に受け入れられ得、また、存在する場合には、凹部の中のブリッスルは、舌側（使用者の舌に面している）および顔側（使用者の唇／頬に面している）の両方において、ならびに、好ましくは、歯の自由端部面（反対側の顎骨に面する咀嚼表面／刃先）においても、少なくとも１つのデンタル位置をブラッシングすることができることになる。代替的に説明されると、使用中のブリッスル（存在する場合には）は、使用者の歯の方を向いている。ブリッスルは、ナイロン、エラストマー、または、任意の他の適切な材料から作製され得る。歯のない歯列弓の場合において、歯茎の残りのアーチが、同様にトリートメントを必要とする場合がある。この場合には、歯茎は、ブリッスルの有無にかかわらず凹部壁によってマッサージされ得る。改善された歯茎のクリーニングのために、クリーニング流体が、ブリッスルを備えないそのようなマウスピースにおいて使用され得る。
【０１５２】
第２章の本発明によるマウスピースは、圧力下において流体を収容するように構成されている少なくとも１つの圧力チャンバを有しており、その圧力は、増加および減少され得る。本体部は、少なくとも１つの圧力チャンバの中の圧力を往復的に（交互に）増加および減少させることによって、凹部壁を変形させるように構成されており、凹部壁および（存在する場合には）その凹部壁の上のブリッスルの持続的な繰り返しの往復運動を引き起こす。マウスピースは、特許文献３に説明されているように、流体を充填され得る１つの、２つの、３つの、４つの、５つの、６つの、または任意の他の数の圧力チャンバを含むことが可能であり、その文献は、同じ出願人の名の下にあり、本出願の優先日においてまだ公開されていない。交互に（往復的に）、圧力チャンバのうちの少なくとも１つの中の圧力を減少した圧力状態から増加した圧力状態へ増加させ、この圧力チャンバの中の圧力を増加した圧力状態から減少した圧力状態へ減少させることによって、および、この往復運動を持続的に繰り返すことによって、任意選択のブリッスルを担持する凹部壁が運動され、凹部壁およびブリッスルそれぞれがデンタル位置において物体（これらのデンタル位置に存在している歯および／または歯茎）に作用して前記物体をクリーニングすることを結果として生じさせる。
【０１５３】
凹部は、凹部壁によって境界を定められている。たとえば、同様に圧力チャンバの一部の境界を定めることができる可撓性の変形可能な凹部壁は、すなわち、また、圧力チャンバの壁であることが可能である。しかし、代替的に、凹部壁は、１つまたは複数の硬い圧力プレートによって形成されていることも可能である。
【０１５４】
「増加した圧力状態」および「減少した圧力状態」という専門用語に関して、これらの状態は、互いに関連しており、すなわち、減少した圧力状態では、圧力が、増加した圧力に対して（より低く）減少されており、その逆もまた同様であるということが留意される。両方の状態において、圧力は、周囲圧力よりも低くなっていることが可能である。
【０１５５】
マウスピースの長さ（Ｕ字形状の断面に対して横断方向の方向に、使用者の歯列弓に沿って測定される）は、人間または動物の歯の幅におおよそ等しくなっていることが可能である。次いで、デンタルクリーニングデバイスの使用者は、ブラッシングされることになる歯列弓に沿って（たとえば、最初に、下顎歯列弓に沿っておよび上顎歯列弓に沿って、または、その逆もまた同様）それを移動させることが可能である。代替的に、マウスピースの長さは、少なくとも５つの歯の長さであることが可能であり、少なくとも５つのデンタル位置が同時にブラッシングされ得るようになっている。たとえば、マウスピースの長さ（Ｕ字形状の断面に対して横断方向の方向に、使用者の歯列弓に沿って測定される）は、以下の長さを測定し得る：
−  人間（たとえば、成人など）の歯列弓の左側の第２小臼歯から右側の第２小臼歯への距離に少なくとも等しい距離に及ぶ長さ；
−  人間（たとえば、成人など）の歯列弓の左側の第１大臼歯から右側の第１大臼歯への距離に少なくとも等しい距離に及ぶ長さ；または、
−  歯列弓全体が同時にブラッシングされ得るように、使用者の歯列弓の実質的に全長さの距離（すなわち、少なくとも左側の第２大臼歯から右側の第２大臼歯へのアーチ）に及ぶ長さ。
【０１５６】
さらに加えて、アーチ形状の長さ軸線は、人間の歯列弓の形状と同様の形状、または、人間の歯列弓の形状の少なくとも一部と同様の形状を有することが可能である。
【０１５７】
第２章の本発明によるデンタルクリーニングデバイスは、前記圧力チャンバに流体連通して配置されているポンプユニットをさらに含み、ポンプユニットは、圧力チャンバの中へおよび圧力チャンバから外へそれぞれ所定の体積の流体をポンプ送りすることによって、増加した圧力状態と減少した圧力状態との間で、圧力チャンバの中の圧力を往復的に増加および減少させるように構成されており、それによって、凹部壁を変形させ、凹部壁を往復して移動させ、それぞれ凹部を増加および減少させる。したがって、ポンプユニットは、ポンピング作用を有しており、ポンピング作用は、圧力チャンバの中の圧力を増加および減少させることを持続的に繰り返す。たとえば、ポンプユニットは、圧力チャンバの中に流体をポンプ送りするように構成されているポンピングデバイスと、圧力チャンバから外へ流体を吸い出すように構成されている吸引デバイスと、を含み、前記増加した圧力状態と前記減少した圧力状態との間で、圧力チャンバの中の圧力を交互に（往復的に）増加および減少させることが可能である。凹部壁を往復して交互に移動させ、凹部をそれぞれ増加および減少させることによって、使用者の歯および／または歯茎がブラッシングされ、使用者の口腔衛生を改善する。
【０１５８】
第２章の本発明の第１の態様のさらなる実施形態において、ポンプは、所定の動作周波数で（たとえば、この所定の動作周波数の周りの狭い周波数範囲内などで）動作するように構成され得る。代替的に、コントローラは、所定の動作周波数で（たとえば、この所定の動作周波数の周りの狭い周波数範囲内などで）ポンプを動作させるように構成され得る。さらに、代替的にまたは追加的に、「圧力チャンバの中の圧力が所定の上側閾値を超えるときにポンプユニットの送達量を低減させるように」コントローラを構成することは、動作周波数の変化が防止されるようになっている。
【０１５９】
ブリッスル長さ、ブリッスルの剛性、可撓性の変形可能な凹部壁の特質などのような設計パラメーターに応じて、デンタルクリーニングデバイスのブラッシング／クリーニング作用は、特定の動作周波数において最適になることが可能である。好ましくは、デンタルクリーニングデバイスは、デンタルクリーニングデバイスを使用しているときに、また、上側圧力閾値が到達されているということを制御信号が示した後に、その動作周波数において動作される（圧力チャンバの中の圧力を往復的に増加および減少させることが、その動作周波数で起こる）。たとえば、圧力チャンバの中の流体がガスである場合には、圧力チャンバの中の圧力を往復的に増加および減少させることは、より高い周波数において、凹部壁を運動させるのに非効果的になり、使用者にとって不快になる可能性がある。これは、流体が液体である場合にも当てはまる。さらに、可撓性の変形可能な凹部壁が使用されている場合には、凹部壁は、より高い周波数で圧力チャンバの中の圧力を往復的に増加および減少させることに応答して変形しない可能性がある。
【０１６０】
したがって、前記インディケーションの後にデンタルクリーニングデバイスの作業を変更するときに、動作周波数（ポンプユニットはその動作周波数で動作するか、または、その動作周波数において動作される）は、このさらなる実施形態によれば、ポンプが所定の動作周波数で動作するように変更されない。
【０１６１】
前記所定の動作周波数は、たとえば８Ｈｚの固定された値であることが可能である。第２章の本発明によれば、それは、ポンプの動作周波数に影響を与えることなくポンプの送達量を制御する意図である可能性があるが、制御作用の副作用として、動作周波数の中のリップルが起こる可能性があり、たとえば、８Ｈｚの固定された所定の動作周波数では、±０．５Ｈｚから±１Ｈｚの範囲にあるリップルが起こる可能性がある。
【０１６２】
また、前記所定の動作周波数は、時間の関数として変化することが可能である。換言すれば、ポンプユニットは、ポンプをスイッチオンしてから測定される時間の所定の関数にしたがって変化する動作周波数を有することが可能である。式では、これは、ｆｔ＝ｘ（ｔ）として読み取れる。ポンプがスイッチオンされるたびに、所定の関数が、ｔ＝０において再び開始することになる。ｘ（ｔ）は、所定の連続的なまたは非連続的な時間の関数である。たとえば、動作周波数は、ｔ＝０において、低い周波数で開始し、次いで、より高い周波数に上昇し、最後に（たとえば、２０秒〜３０秒後に）、より低い周波数に減速することが可能である。低い周波数で開始することは、ポンプをスイッチオンするときに使用者が驚きの反応を与えることを防止することが可能であり、低い周波数で終了することは、ブラッシングがほとんど完了したというインディケーションを使用者に与えることが可能であり、一方では、その周波数の間にあることが、良好なブラッシング結果にとって最適である可能性がある。また、ここで、第２章の本発明によれば、それは、ポンプの動作周波数に影響を与えることなくポンプの送達量を制御する意図である可能性があるが、制御作用の副作用として、動作周波数の中のリップルが起こる可能性があり、たとえば、±０．５Ｈｚから±１Ｈｚの範囲にあるリップルが起こる可能性があるということが留意される。
【０１６３】
前記所定の動作周波数は、固定された動作周波数の場合および時間とともに変化する動作周波数の場合の両方において、０．５Ｈｚから２０Ｈｚの範囲にあることが可能である。
【０１６４】
第２章の本発明の第１の態様の別のさらなる実施形態において、上側閾値は、周囲圧力に対して最大でも２ｂａｒであり、たとえば、周囲圧力に対して最大でも１ｂａｒなどである。圧力チャンバの中の高過ぎる圧力は、デンタルクリーニングデバイスの使用者にとって不快な使用者経験を結果として生じさせる可能性があり、過度のブラッシング力を結果として容易に生じさせる可能性がある。追加的に、高過ぎる圧力は、凹部壁の破裂を引き起こす可能性があり、場合によっては、使用者に害を及ぼすこと、および／または、デンタルクリーニングデバイスの経済的損失を結果として生じさせる。周囲圧力に対して最大でも２ｂａｒの上述の上側閾値は、これらの悪影響を除外するために十分に低い可能性がある。好ましくは、上側閾値は、周囲圧力に対して最大でも０．３ｂａｒ（周囲圧力の１．３倍）であり、たとえば、周囲圧力に対して最大でも０．２ｂａｒ（周囲圧力の１．２倍）などである。そのような圧力において、デンタルクリーニングデバイスのブラッシング作用は、依然として十分であるが、一方では、使用者の歯茎を傷付けるリスク、および、述べられている他の悪影響を低下させる。
【０１６５】
直接的な圧力測定（そこでは、絶対圧力が測定される）は、第２章の本発明によるデンタルクリーニングデバイスにおいて実現することが困難である可能性があるということが留意される。絶対圧力を測定する代わりに、参照圧力（たとえば、周囲圧力）との比較が、圧力チャンバの中の圧力を決定するために行われるということが予見される。したがって、たとえば、「周囲圧力に対して０．３ｂａｒ」という表現は、行われる特定の測定に応じて、代替的に、「周囲圧力のおおよそ１．３倍」または「おおよそ１．３ｂａｒの圧力」を意味することが可能である。周囲圧力は、たとえば、地理的な場所、高さ、および気象条件に依存し、地球上のどこでも約１ｂａｒであるということが一般に知られている。
【０１６６】
第２章の本発明の第１の態様のさらに別のさらなる実施形態において、コントローラは、たとえば、増加した圧力状態および／または減少した圧力状態において、圧力チャンバの中の前記圧力が所定の下側閾値を下回って降下するときには、ポンプユニットの送達量を増加させるようにさらに構成され得る。圧力チャンバの中の圧力が高過ぎる状況と同様に、低過ぎる圧力も、デンタルクリーニングデバイスの作業に悪影響を与える可能性がある。たとえば、圧力が低過ぎるときには、デンタルクリーニングデバイスのブリッスルは、十分な力によって使用者の歯に擦り付けることができない可能性があり、歯の不十分なクリーニング／ブラッシングを結果として生じさせる。したがって、この別のさらなる実施形態によれば、送達量（したがって、圧力チャンバの中の圧力も）は、圧力チャンバの中の圧力が前記下側閾値を下回って降下するときに増加される。
【０１６７】
この別のさらなる実施形態の詳細において、下側閾値の値は、上側閾値の値を１ｂａｒ以下下回っていることが可能である。すなわち、圧力チャンバの中の最大圧力差（コントローラによって許容される）は、１ｂａｒ以下であることが可能である。たとえば、上側閾値が１．３ｂａｒ（周囲圧力プラス０．３ｂａｒ）であるときには、下側閾値は、０．３ｂａｒ（周囲圧力マイナス０．７ｂａｒ）であることが可能である。たとえば、上側閾値の値と下側閾値の値との間の差は、０．４ｂａｒであることが可能である。しかし、減少した圧力状態と増加した圧力状態との間の公称圧力差は、上側閾値の値と下側閾値の値との間の差よりも小さいかまたは実質的に小さくなっていることが可能である。すなわち、上側閾値および下側閾値は、加圧サイクルごとに到達されるとは限らない可能性がある。たとえば、上側閾値の値と下側閾値の値との間の差が０．４ｂａｒであるときには、増加した圧力状態と減少した圧力状態との間の公称圧力差は、わずか０．１ｂａｒまたは０．２ｂａｒであることが可能である。
【０１６８】
この別のさらなる実施形態の別の詳細において、下側閾値は、周囲圧力に対して−０．５ｂａｒから＋０．２ｂａｒ（周囲圧力の０．５倍〜１．２倍）の範囲にあることが可能であり、たとえば、周囲圧力に対して−０．５ｂａｒから０ｂａｒ（周囲圧力の０．５倍〜１倍）などの範囲にあることが可能である。したがって、圧力チャンバの中の圧力は、減少した圧力状態において、周囲圧力を下回っていることが可能であり、一方では、圧力チャンバの中の圧力は、減少した圧力状態において、周囲圧力を上回っていることが可能である。
【０１６９】
第２章の本発明の第２の態様によれば、複数のデンタル位置において同時にブラッシングするためのデンタルクリーニングデバイスが提供され、デンタルクリーニングデバイスは、
−  圧力チャンバおよび凹部を有するマウスピースであって、凹部は、凹部壁によって境界を定められており、凹部壁は、可撓性で変形可能であることが可能であり、凹部は、湾曲した長さ方向および長さ方向に対して横断方向のＵ字形状の断面を有しており、凹部は、湾曲した長さ方向に見て、少なくとも左側の第２小臼歯から少なくとも右側の第２小臼歯へ延在する使用者の歯列弓のその一部を包含するように構成されており、圧力チャンバは、圧力下の流体を収容するように構成されている、マウスピースと；
−  任意選択で、複数のブリッスルであって、凹部壁に取り付けられている一方の端部をそれぞれ有しており、凹部壁から離れるように凹部の中へ延在している、複数のブリッスルと；
−  前記圧力チャンバに流体連通して配置されているポンプユニットであって、圧力チャンバの中へおよび圧力チャンバから外へそれぞれ所定の体積の流体をポンプ送りすることによって、増加した圧力状態と減少した圧力状態との間で、圧力チャンバの中の圧力を往復的に増加および減少させるように構成されており、それによって、凹部壁を変形させ、凹部壁を往復して移動させ、それぞれ凹部を増加および減少させ、前記ポンプユニットは、動作時に、所定の動作周波数で動作する、ポンプユニットと、
を含み、
動作周波数は、０．５Ｈｚから２０Ｈｚの範囲にある。
【０１７０】
第２章の本発明の第２の態様によるデンタルクリーニングデバイスのマウスピースは、第２章の本発明の第１の態様によるデンタルクリーニングデバイスのマウスピースと同様である。追加的に、前記マウスピースの凹部は、湾曲した長さ方向を有しており、湾曲した長さ方向に見て、使用者の歯列弓の実質的な部分（たとえば、実質的に歯列弓全体など）を包含するように構成されている。たとえば、凹部は、少なくとも左側の第１大臼歯から少なくとも右側の第１大臼歯までの範囲にあるデンタル位置を包含するように構成され得、または、少なくとも左側の第２大臼歯から少なくとも右側の第２大臼歯までの範囲にあるデンタル位置を包含するように構成され得る。次いで、使用者の歯列弓のすべての歯またはほとんどすべての歯が、デンタルクリーニングデバイスによって同時にブラッシングされ得る。
【０１７１】
第２章の本発明の第２の態様によるデンタルクリーニングデバイスは、任意選択で、第２章の本発明の第１の態様によるデンタルクリーニングデバイスのブリッスルと同様の複数のブリッスルを有している。
【０１７２】
第２章の本発明の第２の態様によるデンタルクリーニングデバイスは、第２章の本発明の第１の態様によるデンタルクリーニングデバイスのポンプユニットと同様のポンプユニットを含む。
【０１７３】
第２章の本発明の第２の態様によれば、前記ポンプユニットは、０．５Ｈｚから２０Ｈｚの範囲にある動作周波数で動作する。
【０１７４】
公知のデンタルクリーニングデバイス（それは、かなり高い周波数で動作する）とは対照的に、第２章の本発明の第２の態様によるデンタルクリーニングデバイスは、（先行技術からのデバイスと比較して）比較的に低い周波数で動作する。たとえば、特許文献２のデンタルクリーニングデバイスは、１００Ｈｚから３００Ｈｚの間の周波数で動作する。この高周波数移動は、ブリッスル（それは、特許文献２では、ナイロンから作製されており、膜に取り付けられている）がジャックハンマーとして機能することを可能にし、そのジャックハンマー機能性は、デンタルクリーニングデバイスの使用者の歯から歯のプラークを除去するために必要とされる。しかし、そのような高い周波数によってブリッスルを移動させることは困難をもたらす。実際に、特許文献２は、合計流体体積の慣性、および、ポンプ作用によって生成される流体の中のキャビテーション効果を克服することの困難性に言及している。特許文献２は、これらの問題を解決する仕方を教示している。ジャックハンマーのように動作するデンタルクリーニングデバイスに関して、（これらの公知の困難性にかかわらず）高い周波数が必要とされるということが一般に知られている。その理由は、そうでなければ、歯のクリーニングに時間がかかりすぎ、デンタルクリーニングデバイスの使用者が彼らの歯を十分にクリーニングすることができないからである。
【０１７５】
第２章の本発明の第２の態様によるデンタルクリーニングデバイスは、特許文献２と比較して、根本的に異なるアプローチをとる。非常に高い周波数によってブリッスルを移動させるのに適切な方式を見出す代わりに、第２章の本発明によるデンタルクリーニングデバイスは、０．５Ｈｚから２０Ｈｚのかなり低い動作周波数によって歯をブラッシングする。高い動作周波数よりも低い動作周波数によって圧力チャンバの中の圧力を往復的に増加および減少させることは、はるかによりエネルギー効率的である。第２章の本発明の第２の態様によるデンタルクリーニングデバイスは、凹部を含むマウスピースを提供し、凹部は、使用者の実質的に歯列弓全体を包含するように構成されており、Ｕ字形状の断面を有しているので、（ほとんど）すべての歯、および、それぞれの歯のすべての側部が、第２章の本発明の第２の態様によるデンタルクリーニングデバイスによって同時にブラッシングされ得る。より低い周波数においてブリッスルを動作させるときには、ジャックハンマーとして働く代わりに、ブリッスルは、いわば、ウィンドスクリーンワイパーとして働くことが可能であり、それが歯に向けて移動されるときに使用者の歯に擦り付け、そのラビング作用によって歯のプラークを除去する。前記ラビング作用は、０．５Ｈｚ〜２０Ｈｚの範囲にある比較的に低い周波数でのみ効果的に実施され得る。ブリッスルの移動周波数が高過ぎるときには、ラビング作用が存在するのではなく、ジャックハンマー（チッピング）作用が存在しており、２０Ｈｚよりもはるかに高い周波数が必要とされる。移動周波数が０．５Ｈｚよりも低いときには、移動が遅過ぎ、ラビングは満足に実施され得るが、合計のブラッシング時間があまりにも増加され過ぎる。
【０１７６】
第２章の本発明の第２の態様によるデンタルクリーニングデバイスによって、歯列弓の実質的にすべてのデンタル位置において同時に、歯を擦って歯のプラークを取り除くことによって、歯列弓のクリーニングが依然として満足のいく時間の量で実施され得る状態で、凹部壁およびブリッスルの非常に効率的な交互の移動が結果として生じる。
【０１７７】
比較的に低い動作周波数で動作し、歯を擦ることによって使用者の歯列弓の実質的にすべての歯を同時にブラッシングする、提案されたデンタルクリーニングデバイスによって、誤った使用および歯の非効果的なブラッシングは、ほとんど不可能にされる。
【０１７８】
さらに追加的に、比較的に低い動作周波数によって歯をブラッシングすることは、デンタルクリーニングデバイスを使用するときに、より快適な口の感触を結果として生じさせることが可能である。
【０１７９】
第２章の発明の第２の態様のさらなる実施形態において、前記動作周波数は、１Ｈｚから１５Ｈｚの範囲にあり、たとえば、３Ｈｚから１０Ｈｚなどの範囲にある。これらの動作周波数範囲は、一方では所望のブラッシング時間と他方では実現されるブラッシング結果との間に、最適なトレードオフを提供する。
【０１８０】
第２章の発明の第２の態様の別のさらなる実施形態において、前記動作周波数は、所定の周波数であることが可能であり、所定の周波数は、固定されているか、または、時間の関数として変化する。第２章の本発明の第１の態様に関連して説明されているように、ポンプが所定の動作周波数で動作するように構成されていることに起因して、または、コントローラが所定の動作周波数でポンプを動作させるように構成されていることに起因して、この所定の周波数は、たとえば、圧力変化に応答するときに維持され得る。
【０１８１】
第２章の本発明の第１のおよび／または第２の態様のさらなる実施形態において、凹部壁は、ＩＳＯ  ７６１９−１：２０１０にしたがって測定される２０  Ｓｈｏｒｅ  Ａから１００  Ｓｈｏｒｅ  Ａの硬度を有する材料から作製される。たとえば、凹部壁は、熱可塑性のエラストマーまたはシリコーンエラストマーのような、エラストマーから作製され得る。２０  Ｓｈｏｒｅ  Ａから１００  Ｓｈｏｒｅ  Ａの硬度、たとえば、５０  Ｓｈｏｒｅ  Ａから８０  Ｓｈｏｒｅ  Ａの硬度を有する材料は、連続的に繰り返される変形のときに、可撓性、変形可能性、剛性、および耐久性の間で最適なトレードオフを提供することが可能である。
【０１８２】
このさらなる実施形態の詳細において、複数のブリッスルのうちの少なくともいくつかは、２０  Ｓｈｏｒｅ  Ａから１００  Ｓｈｏｒｅ  Ａの硬度を有する材料から作製され得る。たとえば、ブリッスルは、熱可塑性のエラストマーもしくはシリコーンエラストマーのような、エラストマー、または、シリコンポリマーから作製され得る。この範囲は、剛性、可撓性、および変形可能性の間の最適なトレードオフをブリッスルに提供することが可能である。一方では、ブリッスルの耐久性を高めるために、かつ、実際に歯をクリーニングするのに十分な力によって歯を擦るために、ブリッスルは比較的に硬いことが望まれる。他方では、デンタルクリーニングデバイスの使用者の歯を擦って前記歯をクリーニングするために（歯に損傷を与える代わりに）、かつ、より硬いブリッスルでは到達することが困難なスポットに到達するために、ブリッスルが容易に変形することが望まれる。
【０１８３】
第２章の本発明の第１のおよび／または第２の態様の別の実施形態において、凹部壁は、ＩＳＯ７６１９−１：２０１０にしたがって測定される５０  Ｓｈｏｒｅ  Ｄから１００  Ｓｈｏｒｅ  Ａの硬度を有する材料から作製されている。たとえば、凹部壁は、薄いプラスチック、たとえば、ポリエチレン、ポリブチレンテレフタレート、ポリプロピレン、ポリエステル、またはナイロンなどから作製され得る。５０  Ｓｈｏｒｅ  Ｄから１００  Ｓｈｏｒｅ  Ｄの硬度、たとえば、７０  Ｓｈｏｒｅ  Ｄから９０  Ｓｈｏｒｅ  Ｄの硬度を有する材料（薄い凹部壁の中に使用される）は、連続的に繰り返される変形のときに、可撓性、変形可能性、剛性、および耐久性の間の最適なトレードオフを提供することが可能である。
【０１８４】
このさらなる実施形態の詳細において、複数のブリッスルのうちの少なくともいくつかは、５０  Ｓｈｏｒｅ  Ｄから１００  Ｓｈｏｒｅ  Ｄの硬度を有する材料から作製され得る。たとえば、ブリッスルは、プラスチック、たとえば、ポリエチレン、ポリブチレンテレフタレート、ポリプロピレン、ポリエステル、またはナイロンなどから作製され得る。この範囲は、適切な剛性、可撓性、および変形可能性を備えたより細いブリッスルの間の最適なトレードオフをブリッスルに提供することが可能である。一方では、ブリッスルの耐久性を高めるために、かつ、実際に歯をクリーニングするのに十分な力によって歯を擦るために、ブリッスルは比較的に硬いことが望まれる。他方では、デンタルクリーニングデバイスの使用者の歯を擦って前記歯をクリーニングするために（歯に損傷を与える代わりに）、かつ、より硬いブリッスルでは到達することが困難なスポットに到達するために、ブリッスルが容易に変形することが望まれる。
【０１８５】
このさらなる実施形態の別の詳細において、ブリッスルおよび凹部壁は、同じ材料から作製されている。代替的に、ブリッスルは、７０  Ｓｈｏｒｅ  Ｄよりも著しく高い硬度を有するナイロン材料から作製され得、一方では、凹部壁は、たとえば、４０  Ｓｈｏｒｅ  Ａから１００  Ｓｈｏｒｅ  Ａの範囲にある硬度を有する熱可塑性のエラストマーまたはシリコーンエラストマーから作製されている。
【０１８６】
第２章の本発明の第１のおよび／または第２の態様の別のさらなる実施形態において、デンタルクリーニングデバイスのマウスピースは、２つの前記凹部を有しており、２つの凹部は、それぞれ断面がＵ字形状になっており、前記凹部壁によって境界を定められており、２つの凹部のＵ字形状の断面の開口部は、相互に反対側方向に向いている。これは、下顎歯列弓および上顎歯列弓の歯および／または歯茎を同時にブラッシングすることを可能にする。
【０１８７】
第２章の本発明の第１のおよび／または第２の態様の別のさらなる実施形態において、１つの凹部または２つの凹部は、細長い湾曲した形状を有しており、使用者の少なくとも５つのデンタル位置、たとえば、左側の第１大臼歯から右側の第１大臼歯までの範囲にあるデンタル位置などを包含するように構成されている。これは、有利には、複数のデンタル位置を同時にブラッシングすることを可能にする。次いで、満足のいく歯のブラッシングが、より短い凹部を有するデンタルクリーニングデバイスと比較して、より少ない時間で実現され得る。凹部は、左側の第２大臼歯から右側の第２大臼歯までの範囲にあるデンタル位置を包含するように構成され得る。マウスピースは、第３大臼歯（親知らず）を含むかまたは含まない、使用者の実質的に歯列弓全体に及ぶことが可能である。
【０１８８】
第２章の本発明の第１のおよび／または第２の態様の別のさらなる実施形態において、デンタルクリーニングデバイスの使用時に、圧力チャンバの中の圧力を増加させると、デンタルクリーニングデバイスのブリッスルは、前記ブリッスルの端部部分が変形されて（曲げられて）前記歯に擦り付けられた状態で、使用者のデンタル位置に向けて移動し、前記端部部分のこのラビング作用が、前記歯をクリーニングする。したがって、公知の自動的なデンタルクリーニングデバイスとは対照的に、第２章の本発明によるデンタルクリーニングデバイスは、ジャックハンマーとして機能するのではなく、その代わりに、使用者の歯から歯のプラークを除去するためのクリーニングメカニズムとしてブリッスルと歯との間の摩擦を使用して、歯を擦る。
【０１８９】
第２章の本発明の第１のおよび／または第２の態様のある実施形態において、流体は、ガス、好ましくは、空気であることが可能である。空気は、容易に利用可能であり、たとえば、デンタルクリーニングデバイスを動作させている間に、環境から抽出され得る。別の流体を使用することは、閉ループの流体システムの使用を必要とする可能性があり、それは、生産するのにより高価で手間がかかる可能性がある。流体として空気を使用するときには、開ループのまたは部分的な開ループのシステムが使用され得、そこでは、流体は、たとえば、圧力チャンバからデンタルクリーニングデバイスの外側へ退出することを許容される。
【０１９０】
第２章の本発明の第２の態様のある実施形態では、デンタルクリーニングデバイスは、圧力チャンバの中の圧力を表す圧力を測定するように構成されており、また、測定された圧力を表す圧力信号を作り出すように構成されている、圧力センサと、制御信号を発生させるように構成されているコントローラと、をさらに含み；圧力センサおよびコントローラは、コントローラが使用時に圧力信号を受信するように接続されており、コントローラおよびポンプユニットは、ポンプユニットが使用時に制御信号を受信するように接続されており；コントローラは、圧力信号に基づいて制御信号を発生させるように構成されており、かつ、ポンプユニットは、制御信号に応答して、圧力チャンバの中へおよび／または圧力チャンバから外へ往復的に所定の送達量を提供するように構成されており；コントローラは、第２章の本発明の第１の態様にしたがって説明されているように、圧力チャンバの中の圧力が所定の上側閾値を超えるときには、ポンプユニットの送達量を低減させるように構成されている。
【０１９１】
第２章の本発明の第１のおよび／または第２の態様のある実施形態において、凹部壁は、長さ軸線に対して横断方向のＵ字形状の断面の平面の中で見て、２ｍｍから１０ｍｍの範囲にある、たとえば、３ｍｍから７ｍｍなどの範囲にある、Ｕ字形状の脚部間の内部幅を有することが可能であり；かつ／または、Ｕ字形状は、５ｍｍから１５ｍｍの範囲にある、たとえば、５ｍｍから１０ｍｍなどの範囲にある内部高さを有することが可能である。これらの測定値は、成人に関して示すものである。子供または動物に関して、これらの測定値は、異なっている可能性がある。
【０１９２】
第２章の本発明の第３の態様によれば、複数のデンタル位置において同時にブラッシングするためのデンタルクリーニングデバイスを動作させる方法であって、クリーニングデバイスは、
−  圧力チャンバおよび凹部を有するマウスピースであって、凹部は、凹部壁によって境界を定められており、凹部は、湾曲した長さ方向および長さ方向に対して横断方向のＵ字形状の断面を有しており、凹部は、湾曲した長さ方向に見て、使用者の歯列弓の少なくとも一部を包含するように構成されており、圧力チャンバは、圧力下の流体を収容するように構成されている、マウスピースと；
−  任意選択で、複数のブリッスルであって、凹部壁に取り付けられている一方の端部をそれぞれ有しており、凹部壁から離れるように凹部の中へ延在している、複数のブリッスルと；
−  前記圧力チャンバに流体連通して配置されているポンプユニットであって、圧力チャンバの中へおよび圧力チャンバから外へそれぞれ所定の体積の流体をポンプ送りすることによって、増加した圧力状態と減少した圧力状態との間で、圧力チャンバの中の圧力を往復的に増加および減少させるように構成されており、それによって、凹部壁を変形させ、凹部壁を往復して移動させ、それぞれ凹部を増加および減少させる、ポンプユニットと、
を含み、
−  圧力チャンバの中の圧力が所定の上側閾値を超えるときに、ポンプユニットの送達量が低減され；かつ／または、
−  ポンプユニットは、０．５Ｈｚから２０Ｈｚの範囲にある動作周波数で動作される、方法が提供される。
【０１９３】
第２章の本発明の第３の態様による方法によって、
−  圧力チャンバの中の圧力が所定の上側閾値を超えるときには、ポンプが、動作周波数の変化が防止されるように動作され得；かつ／または、
−  ポンプは、固定された動作周波数で動作され得；かつ／または、
−  ポンプは、１Ｈｚから１５Ｈｚの範囲にある、たとえば、３Ｈｚから１０Ｈｚなどの範囲にある動作周波数で動作され得；かつ／または、
−  上側閾値は、周囲圧力に対して、最大でも２ｂａｒ、たとえば、最大でも１ｂａｒなどであることが可能であり；かつ／または、
−  上側閾値は、周囲圧力に対して、最大でも０．３ｂａｒ、たとえば、最大でも０．２ｂａｒなどであることが可能であり；かつ／または、
−  ポンプユニットの送達量は、圧力チャンバの中の圧力が所定の下側閾値を下回って降下するときに増加され得：
〇  下側閾値は、上側閾値の下方に、最大で１ｂａｒまでの範囲にあることが可能であり、たとえば、最大で０．４ｂａｒなどまでの範囲にあることが可能であり；かつ／または、
〇  下側閾値は、周囲圧力に対して、−０．５ｂａｒから＋０．２ｂａｒの範囲にあることが可能であり、たとえば、−０．５ｂａｒから０ｂａｒなどの範囲にあることが可能であり；かつ／または、
−  ポンプは、ポンプをスイッチオンしてから測定される時間の所定の関数にしたがって変化する動作周波数で動作される。
【０１９４】
［第２章の図面の簡単な説明］
第２章の本発明は、図２１〜図２６を参照してさらに説明されることになる。
【０１９５】
［図２１］人の歯列弓の一部を概略的に示す図である。
［図２２］第２章の本発明によるデンタルクリーニングデバイスのマウスピースの実施形態を概略的に示す図である。
［図２３ａ］その減少した圧力状態における図２２のマウスピースの断面を概略的に示す図である。
［図２３ｂ］その増加した圧力状態における図２２のマウスピースの断面を概略的に示す図である。
［図２４］第２章の本発明によるデンタルクリーニングデバイスの実施形態を概略的に示す図である。
［図２５］時間の関数として圧力チャンバの中の圧力のグラフを概略的に示す図である。
［図２６］第２章の本発明の実施形態によるデンタルクリーニングデバイスのブリッスルによる歯のラビングを概略的に示す図である。
【０１９６】
［第２章の図の詳細な説明］
図２１は、デンタル位置３０２〜３１４を伴う上歯列弓または上顎歯列弓３０１の一部を非常に概略的に斜視図で示している。それぞれのデンタル位置は、垂直方向の破線によって示されている。それぞれのデンタル位置は、通常、それぞれの歯科医に知られている命名法にしたがって命名されている歯を含む。この命名法を使用して：
−  デンタル位置３０２は、図２１に表されている、左側の「第２大臼歯」の位置である；
−  デンタル位置３０３は、図２１では失われている、左側の「第１大臼歯」の位置である；
−  デンタル位置３０４は、図２１に表されている、左側の「第２小臼歯」の位置である；
−  デンタル位置３０５は、図２１に表されている、左側の「第１小臼歯」の位置である；
−  デンタル位置３０６は、図２１に表されている、左側の「犬歯」の位置である；
−  デンタル位置３０７は、図２１では失われている、左側の「側切歯」の位置である；
−  デンタル位置３０８は、図２１に表されている、左側の「中切歯」の位置である；
−  デンタル位置３０９は、図２１に表されている、右側の「中切歯」の位置である；
−  デンタル位置３１０は、図２１に表されている、右側の「側切歯」の位置である；
−  デンタル位置３１１は、図２１に表されている、右側の「犬歯」の位置である；
−  デンタル位置３１２は、図２１に表されている、右側の「第１小臼歯」の位置である；
−  デンタル位置３１３は、図２１に表されている、右側の「第２小臼歯」の位置である；
−  デンタル位置３１４は、図２１に表されている、右側の「第１大臼歯」の位置である。
【０１９７】
図２１において、右側の「第２大臼歯」のデンタル位置は示されておらず、また、右側および左側の「第３大臼歯」（親知らずとも呼ばれる）のデンタル位置も示されていない。同様に、下側（下顎）歯列弓（顎）は、同様の数のデンタル位置を有しており、それらは、前記命名法にしたがって同様に命名されている。
【０１９８】
図２１は、ｘ軸Ｘ、ｙ軸Ｙ、およびｚ軸Ｚを含む、３つの相互に直交する軸線の系をさらに示している。ｚ軸Ｚは、歯列弓３０１の輪郭にしたがった湾曲した軸線である。ｘ軸Ｘおよびｙ軸Ｙは、互いに対して垂直になっており、また、ｘｙ平面を定義しており、ｘｙ平面は、本質的に平坦になっており、歯列弓３０１に対して垂直になっており、すなわち、ｚ軸の上の所定の場所に交差するそれぞれのｘｙ平面は、その場所において、湾曲したｚ軸Ｚに対して垂直になっている。ｚ軸Ｚは、湾曲した長さ方向を定義している。ｚ軸Ｚおよびｙ軸Ｙは、湾曲したｚｙ平面を定義しており、それは、ｚ軸に沿って見ると、歯列弓の形状と同様の円弧形状である。さらに、ｚ軸Ｚおよびｘ軸Ｘは、ｚｘ平面を定義している。
【０１９９】
図２２は、第２章の本発明の第１のおよび／または第２の態様によるマウスピース３２０またはデンタルクリーニングデバイスの例の斜視図を概略的に示している。図２３ａおよび図２３ｂは、図２２の中の矢印ＸＸＩＩＩによって示されるように見た、図２２のマウスピースの断面を示している。図２３ａの断面において、圧力チャンバは、相対的に減少した圧力状態になっており、一方、圧力チャンバは、図２３ｂにおいて、相対的に増加した圧力状態になっている。
【０２００】
マウスピース３２０は、第１の凹部３２２を含む。この第１の凹部３２２は、図２１のｚ軸に沿って見ると、湾曲した長さ方向を有しており、図２１のｘｙ平面の中で見ると、Ｕ字形状の断面を有している。第１の凹部３２２は、可撓性のおよび／または変形可能な凹部壁３２３によって境界を定められており、可撓性のおよび／または変形可能な凹部壁３２３は、ｘｙ平面においてＵ字形状になっている。凹部壁３２３は、複数のブリッスル３２４によってライニングされており、それぞれが、可撓性の凹部壁３２３に取り付けられている（根元部３１９と呼ばれる）一方の端部を有しており、凹部壁３２３から第１の凹部３２２の中へ延在している。
【０２０１】
ここで、凹部３２２は、細長い湾曲した形状を有しており、実質的に使用者の歯列弓全体を包含するように構成されている。第２章の本発明の第１の態様によるデンタルクリーニングデバイスに関して、凹部３２２は、はるかに短くなっていることが可能であり、たとえば、単一のデンタル位置のみ、または、少なくとも５つのデンタル位置（たとえば、顎の左側にある第１大臼歯から顎の右側にある第１大臼歯までの範囲など）に及んでいる。
【０２０２】
参照符号３２６は、ニップルを示しており、ニップルは、下記に図２４を参照してより詳細に説明されることになるように、マウスピースをポンピングおよび／または吸引デバイスに接続するように構成されている。マウスピース３２０は、右半分３２７および左半分３２８をさらに有しており、これら半分は、いわばニップル３２６において一緒になる。
【０２０３】
参照符号３２５は、湾曲した分割ラインを示しており、湾曲した分割ラインは、図２１に定義されているようなｘｚ平面に対して平行なミラー平面を定義している。図２２に示されているようなマウスピースは、いわば、このミラー平面に対してミラー対称的になっており、それは、第１の凹部３２２の反対側に第２の凹部（図２２では見ることができないが、図２３ａおよび図２３ｂでは見ることができる）が存在しているということを意味しており、この第２の凹部も同様にブリッスルによってライニングされている。デンタル位置の上側および下側のアーチ（の歯）が一般的に異なる形状を有しているので、第１の凹部は、第２の凹部の形状とは異なる形状を有することが可能であるということが留意される。
【０２０４】
凹部３２２は、たとえば、右側の第３大臼歯または第２大臼歯のデンタル位置からそれぞれ左側の第３大臼歯または第２大臼歯のデンタル位置までの実質的に歯列弓全体を包含するように構成されている。第２章の本発明の第１の態様に関して、凹部３２２は、また、デンタル位置のアーチの一部を包含するように構成され得、この一部は、たとえば、単一のデンタル位置だけを含む。
【０２０５】
図２３ａおよび図２３ｂは、マウスピース３２０の右側部品の図２２の中の矢印ＸＸＩＩＩによる断面を示しており、圧力チャンバの中の圧力は、図２３ｂにおいて（図２３ａの状況に対して）増加されており、圧力チャンバの中の圧力は、図２３ａの状況において（図２３ｂの状況に対して）減少されている。
【０２０６】
図２３ａおよび図２３ｂにおいて最良に見ることができるように、ブリッスルは、比較的に細いブリッスル３２４のタフト３２９として提供され得る。それぞれのタフト３２９は、ベース３３６を有することが可能であり、ベース３３６は、それらの根元部３１９においてブリッスル３２４を担持しており、可撓性の凹部壁３２３に取り付けられている。
【０２０７】
図２３ａおよび図２３ｂにおいて見ることができるように、マウスピース３２０は、その上側側部において第１の凹部３２２を有しており、その下側側部において第２の凹部３２２を有しており、上側凹部３２２および下側凹部３２２は、互いに対して相互に反対側方向に向いている。両方の凹部３２２は、可撓性の凹部壁３２３によって境界を定められている。図２１に定義されているようなｘｙ平面に対して平行の断面において、凹部壁３２３は、Ｕ字形状になっており、凹部壁底部３３４および２つの凹部壁脚部３３３を有しており、２つの凹部壁脚部３３３は、凹部底部壁から延在している。凹部壁３２３は、凹部壁の脚部３３３および／または底部３３４の上のブリッスルのタフト３２９によってカバーされている。
【０２０８】
マウスピースの内側には、圧力チャンバ３３５が提供されており、圧力チャンバ３３５は、ニップル３２６（図２２）を介して、流体によって充填され得る。流体は、空気のようなガス、または、水のような液体であることが可能である。図２２に示されているような実施形態において、マウスピースは、１つの圧力チャンバを有している。しかし、マウスピースは、５つの圧力チャンバのような、複数の圧力チャンバを含むことが可能であり、または、任意の他の数の圧力チャンバを含むことが可能であるということが留意される。未公開の特許文献３は、図４、図５、図７、図９、および図１０に、他の数の圧力チャンバの例を示している。複数の圧力チャンバの場合において、すべての圧力チャンバまたは圧力チャンバのグループは、第２章の本発明によれば、未公開の特許文献３の中に説明されているものと同様に、互いに流体連通していることが可能である。
【０２０９】
図２３ａおよび図２３ｂにおいて見ることができるように、マウスピースは、可撓性の凹部壁３２３の材料に対してリジッドの材料の内部支持構造体を含むことが可能である。この支持構造体は、舌側プレート３３０および顔側プレート３３２を含むことが可能であり、その両方が、図２１において定義された湾曲したｚｙ平面に沿って延在しており、結果的に、ｚ軸に沿って見て、Ｕ字形状を有している。舌側プレート３３０および顔側プレート３３２を互いに所定の距離に維持するために、支持構造体は、１つまたは複数のスペーサー３３１を含むことが可能である。これらの１つまたは複数のスペーサー３３１は、たとえば、複数のバーもしくはワイヤーまたは単一のプレートであることが可能であり、それは、図２１に定義されているようなｚｘ平面に対して本質的に平行に延在することが可能である。スペーサーとしての単一のプレートの場合において、このプレートは、圧力チャンバ３３５を２つの圧力チャンバ（上側のチャンバおよび下側のチャンバ）に分割することが可能である。これらの２つの圧力チャンバは、プレートを通る１つまたは複数の貫通孔を介して、互いに流体連通していることが可能である。大きい貫通孔および／または多数の貫通孔の場合において、２つの圧力チャンバは、効果的に、１つの単一の圧力チャンバであることが可能である。
【０２１０】
図２２に示されているようなマウスピースは、複数のデンタル位置を同時にブラッシングするように構成されている。歯が存在している場合には、それぞれのデンタル位置の歯がブラッシングされることになる。歯茎のようなデンタル位置における残部は、歯が失われている可能性がある場合においてブラッシングされ得、失われている歯の場所に隣接する歯は、失われている歯の場所のために意図されたブリッスルによって、追加的にブラッシングされ得る。
【０２１１】
単一の圧力チャンバ３３５は、第１の凹部３２２（図２３ａおよび図２３ｂの中の上側のもの）の境界を定める第１の可撓性の凹部壁３２３と、第２の凹部３２２（図２３ａおよび図２３ｂの下側のもの）の境界を定める第２の可撓性の凹部壁３２３と、を含む。第１および第２の凹部壁３２３は、とりわけ、圧力チャンバ３３５の中の圧力を増加または減少させることによって変形可能である。可撓性の凹部壁３２３は、ゴムのような材料などのような、弾性的な材料から作製され得る。また、可撓性の凹部壁３２３は、非弾性的な材料から作製され得る。可撓性の凹部壁３２３の内側側部と外側側部とを横切る圧力差が実質的に存在していないかまたは低い圧力差が存在しているときに（圧力チャンバの中の圧力が周囲圧力に実質的に等しいときに）、可撓性の凹部壁３２３の材料は、所定の形状を維持することが可能である。
【０２１２】
マウスピース４００は、タフト３２９またはブリッスル３２４が歯列弓の歯の歯面に係合するように構成されており、または、歯が失われている可能性のある１つまたは複数のデンタル位置の場合には、少なくとも圧力チャンバ３３５の中の圧力が増加されるときに、タフト３２９またはブリッスル３２４がそれぞれのデンタル位置における歯茎に係合するように構成されている。所定のデンタル位置において歯が失われている可能性のある場合には、特に、凹部壁脚部３３３の自由端部におけるブリッスルのタフト３２９は、空のデンタル位置における歯茎に係合することになる。
【０２１３】
（図２１において定義されているような）歯列弓の長さ方向Ｚにおいて見ると、ブリッスル３２４のタフト３２９は、図２３ａおよび図２３ｂに示されている断面において見たときにほぼ同じ密度で配置され得る。
【０２１４】
図２３ａおよび図２３ｂを参照すると、圧力チャンバ３３５の中の圧力が、たとえば、流体を圧力チャンバ３３５に給送することによって、または、圧力チャンバ３３５の中の流体の量を増加させることによって、増加した圧力状態まで増加されるときには、凹部壁３２３は、いわばコンパクト化され、凹部３２２を狭くし、それによって、ブリッスル３２４（とりわけ、その自由端部）は、しっかりと歯面に係合することが可能であり、かつ／または、歯面に接触して変形され得る；図２３ｂの状況（歯は示されていない）。圧力チャンバ３３５の中の圧力がその後に減少されるときには、凹部壁は、いわば広げられ、凹部３２２を拡大させる；図２３ａの状況（繰り返しになるが、歯は示されていない）。この凹部壁を狭くすることおよび広くすることは小さい可能性があるが、たとえば０．５Ｈｚ〜２０Ｈｚの何らかの周波数で交互に繰り返されるときには、凹部壁を交互に狭くすることおよび広くすることによってこの凹部壁を交互に変形させることは、歯面とのよりしっかりした係合と比較的にしっかりしていない係合との間でブリッスルを移動させ、かつ／または、第１の変形状態と第２の変形状態との間でブリッスルを交互にし、それは、歯面に沿ったブリッスルのスイーピングおよび／またはラビングを引き起こす。
【０２１５】
圧力チャンバ３３５の中の圧力を増加および減少させる適切なサイクルによって、マウスピースの効果的なブラッシング作用が得られ得る。凹部壁底部３３４に取り付けられているブリッスル３２４は、一般的に、そのようなサイクルの間に上向きおよび下向きの運動を実施し、凹部壁脚部３３３におけるブリッスル３２４は、一般的に、そのようなサイクルの間に、図２１において定義されているようなｘ軸の方向に使用者の歯を行ったり来たり横方向の運動を実施する。
【０２１６】
寸法の何らかのインディケーションを与えるための単なる例として、および、図２１を参照すると、成人に関して、Ｘ方向への歯エレメントの幅は、デンタル位置に応じて、約２ｍｍから１２ｍｍの間で変化する。マウスピースを可能な限り小さく維持することが望まれるということを考慮に入れると、Ｘ方向への凹部壁のＵ字形状の内部幅は、可能な限り小さく維持されるべきであり、それぞれの歯の幅よりも約０ｍｍから４ｍｍ広くなっていることが可能である。寸法の何らかのインディケーションを与えるための例として、凹部壁のＵ字形状の内部幅は、図２１のＸ方向に見て、０ｍｍから２０ｍｍの範囲にあることが可能であり、たとえば、２ｍｍ〜１２ｍｍなどの範囲にあることが可能である。ブリッスルは、最大で６ｍｍの長さになっていることが可能である。例の場合において、ブリッスルは、３ｍｍから４ｍｍの長さになっており、これは、対向する凹部壁脚部３３３から延在するブリッスル間に、隙間が残っていないということ、または、約２ｍｍ〜４ｍｍの限られた量の隙間が残っているということを意味している。図２３において、これらの隙間は誇張されて示されている。さらに、寸法の何らかのインディケーションを与えるための例として、凹部壁のＵ字形状は、図２１のＹ方向に見て、３ｍｍから２０ｍｍの範囲にある、たとえば、５ｍｍから１０ｍｍなどの範囲にある内部高さを有することが可能である。これらの内部幅および内部高さの測定値は、成人に関して示すものである。子供に関して、または、動物に関して、これらの測定値は異なる可能性がある。
【０２１７】
圧力チャンバ３３５の中の圧力を増加および減少させることは、ポンプユニットによって実現される。異なるポンプユニットおよびバルブの組み合わせが可能である。ここで、１つの可能な実施形態が、図２４を参照して説明される。図２４は、ハンドル部材５０２と、それに連結されているマウスピース４００（たとえば、上記に説明されているようなマウスピース）と、を含むデンタルクリーニングデバイス５００を部分的に切り欠かれた斜視図で概略的に示している。ハンドル部材５０２は、ハンドルインターフェースを提供されており、マウスピース４００は、マウスピースインターフェースを提供されており、マウスピースインターフェースは、ハンドルインターフェースに取り外し可能に連結されるように構成されている。ハンドル部材５０２は、電気エネルギーを貯蔵するためのバッテリー５１０を含み、電気エネルギーは、バッテリー充電インターフェース５１２を通してバッテリー５１０に給送され得る。バッテリー５１０は、プリント回路基板（ＰＣＢ）５１４に、モーター５１６と、トランスミッション５１８と、クランクピストン５２０と、ピストンポンプ５２２と、を含むメインポンプユニット５０４に、および、任意選択で、マウスウォッシュポンプ５２４に、エネルギーを提供する。マウスウォッシュ液体を収容するマウスウォッシュカプセル５３０は、ハンドル部材５０２の中に除去可能に収容され得る。ピストンポンプ５２２は、空気圧式のポンプであることが可能である。ピストンポンプの代わりに、また、ダイヤフラムポンプ、プランジャーポンプ、膜ポンプ、またはベローズポンプも使用され得る。マウスウォッシュポンプ５２４は、液圧ポンプであることが可能である。
【０２１８】
デンタルクリーニングデバイス４００は、圧力センサ５４０をさらに含み、圧力センサ５４０は、ここで、非常に概略的に図示されており、ダクト５４２の近くに位置決めされている。圧力センサ５４０は、圧力チャンバの中の圧力を表す圧力を測定するように構成されており、また、前記圧力を表す圧力信号を作り出すように構成されている。したがって、ダクト５４２の進入口における流体の圧力から、圧力センサ５４０は、圧力チャンバの中の圧力を推定または決定することができる。圧力センサ５４０は、コントローラ５２４（ここでは、ＰＣＢ５１４と一体化されている）と通信することができ、コントローラ５２４が圧力センサ５４０から圧力信号を受信することができるようになっている。
【０２１９】
すでに述べられたように、デンタルクリーニングデバイス４００は、コントローラ５２４をさらに含み、コントローラ５２４は、ここでは、ＰＣＢ５１４と一体化されている。コントローラ５２４は、それが圧力センサ５４０から受信する圧力信号に基づいて、制御信号を発生させるように構成されている。コントローラ５２４は、ポンプユニット５０４と通信することができ、ポンプユニット５０４がコントローラ５２４から制御信号を受信するようになっている。コントローラ５２４から受信された制御信号に応答して、ポンプユニット５０４は、圧力チャンバの中へおよび／または圧力チャンバから外へ送達量（リットル毎分）を提供し、その送達量は、圧力チャンバの中の圧力を増加および減少させる。圧力チャンバの中の圧力が事前決定された上側閾値を超えているということを制御信号が示すときには、ポンプユニット５０４の送達量が低減され、圧力チャンバの中の圧力が再び減少することおよび閾値を下回って降下することを可能にする。
【０２２０】
したがって、デンタルクリーニングデバイス５００の動作は、ＰＣＢ５１４によって制御され、ＰＣＢ５１４は、コントローラ５２４を含む。ＰＣＢ５１４は、モーター５１６を含むポンプユニット５０４の動作を制御する。ＰＣＢ５１４は、デンタルクリーニングデバイス５００を制御し、ポンプユニット５０４によって圧力チャンバの中へのおよび圧力チャンバから外への流体の送達量を制御することによって、マウスピース５０４の中に提供される少なくとも１つの圧力チャンバの中の圧力を交互に増加および減少させる。
【０２２１】
所定の送達量を提供することによる圧力チャンバの中の圧力のこの制御は、図２５を参照してよりグラフィカルに説明されている。図２５に見ることができるのは、正弦波ラインであり、その正弦波ラインは、圧力チャンバの中の圧力が往復的に増加および減少されることに起因して変動していることを表すことが可能である。水平方向のラインによって示されているのは、上側閾値ＴＵおよび下側閾値ＴＬである。上側閾値ＴＵは、たとえば、周囲圧力に対して最大でも２ｂａｒであることが可能であり、たとえば、周囲圧力の上方に最大でも１ｂａｒ、最大でも０．３ｂａｒ、または最大でも０．２ｂａｒなどであることが可能である。下側閾値ＴＵは、たとえば、上側閾値ＴＵに対して最大で−１ｂａｒであることが可能であり、たとえば、上側閾値ＴＵに対して最大で−０．４ｂａｒなどであることが可能である。周囲圧力に対して、下側閾値ＴＬは、−０．５ｂａｒから＋０．２ｂａｒまで（たとえば、０ｂａｒまで）の範囲にあることが可能である。第２章の本発明によれば、圧力が上側閾値ＴＵを超えるときには、ポンプの送達量が低減される。圧力降下が下側閾値ＴＬを下回るときには、ポンプの送達量が増加され得る。
【０２２２】
図２５の左側から開始して、タイムスタンプｔ０において、流体は、圧力チャンバの中にポンプ送りされており、その中の圧力を増加させる。おおよそ２つの通常の加圧サイクルが示されており、その中では、圧力が上側閾値ＴＵと下側閾値ＴＬとの間にある。ポンプは、周波数ｆで動作しており、この周波数ｆは、２つの連続した圧力ピーク間の時間から導出され得る（ポンプの通常の動作のとき）。通常の送達の量Ｄ１は、下側圧力ピークと上側圧力ピークとの間に圧力チャンバの中へポンプ送りされる流体の量を表している（ポンプの通常の動作のとき）。たとえば、使用者の歯列弓（の部分）に対するデンタルクリーニングデバイスのフィット、および、使用者によって働かされる咬合圧力に応じて、圧力は、常に上側閾値ＴＵと下側閾値ＴＬとの間に留まっている。実際に、このシナリオは、最初の２つの加圧サイクルに関して示されている。しかし、上側閾値ＴＵおよび下側閾値ＴＬに対する正確な圧力は、矢印Ｂによって示されているように、個々の使用者ごとに変化する可能性がある。
【０２２３】
タイムスタンプｔ１において、圧力チャンバの中の圧力が、突然、急激に増加する。これは、たとえば、切歯（それらは、典型的に比較的に狭い）の近くの位置から臼歯（それらは、典型的に比較的に広い）の近くの位置に向けてのデンタルクリーニングデバイスの移動によって引き起こされ得る。凹部の間の歯がより広くなると、圧力チャンバのサイズを低減させ、その中の圧力を増加させる。代替的に、そのような突然の圧力の増加は、たとえば、使用者の咬合圧力の増加、および／または、デンタルクリーニングデバイスが使用者によって歯の上に押し付けられる力の増加に起因して引き起こされ得る。
【０２２４】
しばらくすると、デンタルクリーニングデバイスは、ポンプの送達量Ｄ２を低減させることによって、この圧力の増加に応答する。本例において、送達量の低減は、（１つの加圧サイクル内で）上側閾値ＴＵのすぐ下に圧力を持って行くのに十分になっているが、これは、２つ以上の、たとえば、２つの、３つの、または４つの加圧サイクルを要するということも考えられる。ポンプユニットの応答は、ここで、圧力増加の発生よりもいくらか遅れているということがさらに留意される。
【０２２５】
送達量Ｄ２を１度低減させ、上側閾値ＴＵの下方に圧力を低減させる所望の効果を実現した後に、タイムスタンプｔ１前と同じ送達量Ｄ１によって、通常の動作が再び継続される。
【０２２６】
図２５の例では、タイムスタンプｔ２において、圧力チャンバの中の圧力の鋭い降下が観察される。これは、たとえば、デンタルクリーニングデバイスが臼歯の近くの位置から切歯の近くの位置に向けて移動されるときに、および／または、使用者によって働かされる印加圧力が低減されるときに、および／または、使用者によって印加される咬合圧力が低減されるときに、起こる可能性がある。
【０２２７】
デンタルクリーニングデバイスは、ポンプの送達量Ｄ３を増加させることによって、この圧力の減少に応答する。本例では、送達量の増加は、圧力を下側閾値ＴＬの十分に上方に即座に持って行くには不十分である。したがって、圧力チャンバの中の圧力が再び十分なレベルになるまで、増加した送達量Ｄ３が維持されている。本例では、ポンプユニットの応答は、ここで、減少した圧力の発生よりもいくらか遅れており、圧力が下側閾値ＴＬを大幅に下回って降下したときにのみ応答する。反応がより速くなっており、圧力の鋭い降下が気付かれたときに（恐らく下側閾値が到達される前でさえ）すでに応答しているということが考えられる。
【０２２８】
図２５の実施形態において、加圧サイクルにおいて経験される最低の圧力が下側閾値ＴＬを上回るまで、圧力が増加される。場合によっては、圧力は、単に、加圧サイクルの間の最大圧力が上側閾値ＴＵと下側閾値ＴＬとの間にあるレベルにまで増加される。その場合には、１つだけの増加した送達量Ｄ３が必要とされる可能性がある。
【０２２９】
好適には、ポンプユニットの動作周波数は、送達量が変更するときに変化しないということが留意される。ポンプユニットの動作周波数は、所定の周波数に留まっており、所定の周波数は、０．５Ｈｚから２０Ｈｚの範囲にあることが可能であり、それは、固定された値であることが可能であり、または、時間の関数として変化することが可能である。
【０２３０】
図２６は、圧力チャンバの中の圧力を増加させた後に、どのようにデンタルクリーニングデバイスの壁５３３およびブリッスルが使用者の歯の方向に移動されるかということを非常に概略的に示している。ブリッスルの端部部分は、変形されており、歯をこすり、このラビング作用が、歯から歯のプラークを取り除く。
【０２３１】
次の以下の条項４０〜６４は、上記に説明された第２章の発明の例、および、これらの第２章の発明のさらなる態様および実施形態を与えている：
４０］  複数のデンタル位置において同時にブラッシングするためのデンタルクリーニングデバイスであって、
−  圧力チャンバおよび凹部を有するマウスピースであって、凹部は、断面がＵ字形状になっており、可撓性のおよび／または変形可能な凹部壁によって境界を定められており、圧力チャンバは、圧力下で流体を収容するように構成されている、マウスピースと；
−  任意選択で、複数のブリッスルであって、その一方の端部によって凹部壁にそれぞれ取り付けられており、前記凹部壁から凹部の中へ延在している、複数のブリッスルと；
−  前記圧力チャンバに流体連通して配置されているポンプユニットであって、圧力チャンバの中へおよび圧力チャンバから外へそれぞれ所定の体積の流体をポンプ送りすることによって、増加した圧力状態と減少した圧力状態との間で、圧力チャンバの中の圧力を往復的に増加および減少させるように構成されており、それによって、凹部壁を変形させ、凹部壁を往復して移動させ、それぞれ凹部を増加および減少させる、ポンプユニットと、
を含み、
デンタルクリーニングデバイスは、
−  圧力チャンバの中の圧力を表す圧力を測定するように構成されており、また、前記圧力を表す圧力信号を作り出すように構成されている、圧力センサと、
−  制御信号を発生させるように構成されているコントローラと、
をさらに含み；
圧力センサおよびコントローラは、コントローラが使用時に圧力センサから圧力信号を受信するように接続されており、コントローラおよびポンプユニットは、ポンプユニットが使用時にコントローラから制御信号を受信するように接続されており；
コントローラは、圧力信号に基づいて制御信号を発生させるように構成されており、かつ、ポンプユニットは、制御信号に応答して、圧力チャンバの中へおよび／または圧力チャンバから外へ所定の送達量を提供するように構成されており；
コントローラは、圧力チャンバの中の圧力が所定の上側閾値を超えるときには、ポンプユニットの送達量を低減させるように構成されている、デンタルクリーニングデバイス。
４１］  ポンプユニットは、所定の動作周波数を有しており、圧力チャンバの中の圧力が所定の上側閾値を超えるときにポンプユニットの送達量を低減させるために、コントローラは、動作周波数の変化が防止されるように構成されている、条項４０に記載のデンタルクリーニングデバイス。
４２］  ポンプユニットは、所定の動作周波数を有しており、
−  コントローラは、所定の動作周波数における圧力変化に応答してポンプユニットを動作させるように構成されており、または、
−  ポンプユニットは、所定の動作周波数で動作するように構成されている、条項４０または４１に記載のデンタルクリーニングデバイス。
４３］  ポンプユニットは、ポンプユニットをスイッチオンしてから測定される時間の所定の関数にしたがって変化する動作周波数を有している、条項４０から４２のいずれか一項に記載のデンタルクリーニングデバイス。
４４］  ポンプユニットは、固定された所定の値である動作周波数を有している、条項４０から４２のいずれか一項に記載のデンタルクリーニングデバイス。
４５］  前記動作周波数は、０．５Ｈｚから２０Ｈｚの範囲にある、条項４０から４４のいずれか一項に記載のデンタルクリーニングデバイス。
４６］  前記上側閾値は、周囲圧力に対して最大でも２ｂａｒであり、たとえば、周囲圧力に対して最大でも１ｂａｒなどである、条項４０から４５のいずれか一項に記載のデンタルクリーニングデバイス。
４７］  前記上側閾値は、周囲圧力に対して最大でも０．３ｂａｒであり、たとえば、周囲圧力に対して最大でも０．２ｂａｒなどである、条項４０から４６のいずれか一項に記載のデンタルクリーニングデバイス。
４８］  コントローラは、圧力チャンバの中の圧力が所定の下側閾値を下回って降下するときには、ポンプユニットの送達量を増加させるようにさらに構成されている、条項４０から４７のいずれか一項に記載のデンタルクリーニングデバイス。
４９］  前記下側閾値は、上側閾値の下方に、最大で１ｂａｒまでの範囲にあり、たとえば、最大で０．４ｂａｒなどまでの範囲にある、条項４８に記載のデンタルクリーニングデバイス。
５０］  前記下側閾値は、周囲圧力に対して−０．５ｂａｒから＋０．２ｂａｒの範囲にあり、たとえば、周囲圧力に対して−０．５ｂａｒから０ｂａｒなどの範囲にある、条項４８または４９に記載のデンタルクリーニングデバイス。
５１］  複数のデンタル位置において同時にブラッシングするためのデンタルクリーニングデバイスであって、
−  圧力チャンバおよび凹部を有するマウスピースであって、凹部は、凹部壁によって境界を定められており、凹部壁は、湾曲した長さ方向および長さ方向に対して横断方向のＵ字形状の断面を有しており、凹部壁は、湾曲した長さ方向に見て、少なくとも左側の第２小臼歯から少なくとも右側の第２小臼歯の範囲にあるデンタル位置を包含するように構成されており、圧力チャンバは、圧力下の流体を収容するように構成されている、マウスピースと；
−  任意選択で、複数のブリッスルであって、凹部壁に取り付けられている一方の端部をそれぞれ有しており、凹部壁から離れるように凹部の中へ延在している、複数のブリッスルと；
−  前記圧力チャンバに流体連通して配置されているポンプユニットであって、圧力チャンバの中へおよび圧力チャンバから外へそれぞれ所定の体積の流体をポンプ送りすることによって、増加した圧力状態と減少した圧力状態との間で、圧力チャンバの中の圧力を往復的に増加および減少させるように構成されており、それによって、凹部壁を変形させ、凹部壁を往復して移動させ、それぞれ凹部を増加および減少させ、前記ポンプユニットは、動作時に、所定の動作周波数で動作する、ポンプユニットと、
を含み、
所定の動作周波数は、０．５Ｈｚから２０Ｈｚの範囲にある、デンタルクリーニングデバイス。
５２］  所定の動作周波数は、１Ｈｚから１５Ｈｚの範囲にあり、たとえば、３Ｈｚから１０Ｈｚなどの範囲にある、条項５１に記載のデンタルクリーニングデバイス。
５３］  所定の動作周波数は、固定された周波数である、条項５１または５２に記載のデンタルクリーニングデバイス。
５４］  所定の動作周波数は、ポンプユニットをスイッチオンしてから測定される時間の所定の関数にしたがって変化する、条項５１または５２に記載のデンタルクリーニングデバイス。
５５］  使用時に、圧力チャンバの中の圧力を増加させると、ブリッスルが使用者のデンタル位置に向けて移動し、一方では、前記ブリッスルの端部部分が変形され、前記歯に擦り付けられ、前記端部部分のこのラビング作用が、前記歯をクリーニングする、条項４０から５４のいずれか一項に記載のデンタルクリーニングデバイス。
５６］  凹部の凹部壁、および／または、ブリッスルの少なくともいくつかは、２０  Ｓｈｏｒｅ  Ａ〜１００  Ｓｈｏｒｅ  Ａの硬度、たとえば、５０  Ｓｈｏｒｅ  Ａ〜８０  Ｓｈｏｒｅ  Ａなどの硬度を有する材料から作製されている、条項４０から５５のいずれか一項に記載のデンタルクリーニングデバイス。
５７］  凹部の凹部壁、および／または、ブリッスルの少なくともいくつかは、５０  Ｓｈｏｒｅ  Ｄ〜１００  Ｓｈｏｒｅ  Ｄの硬度、たとえば、７０  Ｓｈｏｒｅ  Ｄ〜９０  Ｓｈｏｒｅ  Ｄなどの硬度を有する材料から作製されている、条項４０から５５のいずれか一項に記載のデンタルクリーニングデバイス。
５８］  マウスピースは、２つの前記凹部を有しており、２つの凹部は、それぞれ断面がＵ字形状になっており、前記凹部壁によって境界を定められており、２つの凹部のＵ字形状の断面の開口部は、相互に反対側方向に向いている、条項４０から５７のいずれか一項に記載のデンタルクリーニングデバイス。
５９］  凹部または２つの凹部は、それぞれ、細長い湾曲した形状を有しており、使用者の少なくとも５つのデンタル位置、たとえば、左側の第１大臼歯から右側の第１大臼歯までの範囲にあるデンタル位置などを包含するように構成されている、条項４０から５８のいずれか一項に記載のデンタルクリーニングデバイス。
６０］  ポンプユニットは、ピストンポンプ、ダイヤフラムポンプ、プランジャーポンプ、膜ポンプ、またはベローズポンプの群から選択されるポンプを含む、条項４０から５９のいずれか一項に記載のデンタルクリーニングデバイス。
６１］  デンタルクリーニングデバイスは、
−  圧力チャンバの中の圧力を表す圧力を測定するように構成されており、また、前記圧力を表す圧力信号を作り出すように構成されている、圧力センサと、
−  制御信号を発生させるように構成されているコントローラと、
をさらに含み；
圧力センサおよびコントローラは、コントローラが使用時に圧力センサから圧力信号を受信するように接続されており、コントローラおよびポンプユニットは、ポンプユニットが使用時にコントローラから制御信号を受信するように接続されており；
コントローラは、圧力信号に基づいて制御信号を発生させるように構成されており、かつ、ポンプユニットは、制御信号に応答して、圧力チャンバの中へおよび／または圧力チャンバから外へ所定の送達量を提供するように構成されており；
コントローラは、圧力チャンバの中の圧力が所定の上側閾値を超えるときには、ポンプユニットの送達量を低減させるように構成されている、条項１５から６０のいずれか一項に記載のデンタルクリーニングデバイス。
６２］  条項４６から５０のいずれか一項と組み合わせた条項５８に記載のデンタルクリーニングデバイス。
６３］  複数のデンタル位置において同時にブラッシングするためのデンタルクリーニングデバイスを動作させる方法であって、クリーニングデバイスは、
−  圧力チャンバおよび凹部を有するマウスピースであって、凹部は、凹部壁によって境界を定められており、凹部壁は、湾曲した長さ方向および長さ方向に対して横断方向のＵ字形状の断面を有しており、凹部壁は、湾曲した長さ方向に見て、使用者の歯列弓の少なくとも一部を包含するように構成されており、圧力チャンバは、圧力下の流体を収容するように構成されている、マウスピースと；
−  任意選択で、複数のブリッスルであって、凹部壁に取り付けられている一方の端部をそれぞれ有しており、凹部壁から離れるように凹部の中へ延在している、複数のブリッスルと；
−  前記圧力チャンバに流体連通して配置されているポンプユニットであって、圧力チャンバの中へおよび圧力チャンバから外へそれぞれ所定の体積の流体をポンプ送りすることによって、増加した圧力状態と減少した圧力状態との間で、圧力チャンバの中の圧力を往復的に増加および減少させるように構成されており、それによって、凹部壁を変形させ、凹部壁を往復して移動させ、それぞれ凹部を増加および減少させる、ポンプユニットと、
を含み、
−  圧力チャンバの中の圧力が所定の上側閾値を超えるときに、ポンプユニットの送達量が低減され；かつ／または、
−  ポンプユニットは、０．５Ｈｚから２０Ｈｚの範囲にある動作周波数で動作される、方法。
６４］  −  圧力チャンバの中の圧力が所定の上側閾値を超えるときには、ポンプユニットが、動作周波数の変化が防止されるように動作され；かつ／または、
−  ポンプユニットは、固定された動作周波数で動作され；かつ／または、
−  ポンプユニットは、１Ｈｚから１５Ｈｚの範囲にある、たとえば、３Ｈｚから１０Ｈｚなどの範囲にある動作周波数で動作され；かつ／または、
−  上側閾値は、周囲圧力に対して、最大でも２ｂａｒ、たとえば、最大でも１ｂａｒなどであり；かつ／または、
−  上側閾値は、周囲圧力に対して、最大でも０．３ｂａｒ、たとえば、最大でも０．２ｂａｒなどであり；かつ／または、
−  ポンプユニットの送達量は、圧力チャンバの中の圧力が所定の下側閾値を下回って降下するときに増加され：
〇  下側閾値は、上側閾値の下方に、最大で１ｂａｒまでの範囲にあり、たとえば、最大で０．４ｂａｒなどまでの範囲にあり；かつ／または、
〇  下側閾値は、周囲圧力に対して、−０．５ｂａｒから＋０．２ｂａｒの範囲にあり、たとえば、−０．５ｂａｒから０ｂａｒなどの範囲にあり；かつ／または、
−  ポンプユニットは、ポンプユニットをスイッチオンしてから測定される時間の所定の関数にしたがって変化する動作周波数で動作される、条項６３に記載の方法。
【０２３２】
上記から分かるように、この第２章の全体を通して使用されているような「圧力チャンバ」という用語は、減少した圧力状態と増加した圧力状態との間で圧力が変化されるチャンバである。減少した圧力状態および増加した圧力状態は、両方とも、周囲圧力を下回る圧力であることが可能であり、すなわち、０ｂａｒから１ｂａｒの間の圧力として定義される真空であることが可能である。代替的に、減少した圧力状態および増加した圧力状態は、両方とも、周囲圧力を上回る圧力であることが可能であり、または、これらの圧力状態のうちの一方がほぼ周囲圧力であることが可能であり、一方では、他方が周囲圧力を下回るかもしくは上回っている。
【０２３３】
この第２章において、「圧力チャンバの中の圧力」という専門用語または同様の専門用語が使用される場合、それは、「圧力チャンバの中の流体の圧力」である。それは、凹部壁に作用してブラッシング作用を引き起こす流体の圧力である。流体の圧力は、たとえば、追加的な流体を圧力チャンバの中へ供給することによって増加され得、または、流体が圧力チャンバを離れることを可能にすることによって減少され得る。
【０２３４】
さまざまなデンタル位置／自然の歯の形状を考慮に入れると、Ｕ字形状の断面の形状は、凹部／凹部壁の長さ方向に沿って変化することが可能である。上側切歯および／または下側切歯の領域において、Ｕ字形状の断面は、たとえば、Ｖ字形状になっていることが可能である。
【０２３５】
第３章
［発明の名称］複数のデンタル位置においてブラッシングするためのマウスピース、そのようなマウスピースを含むブラッシングデバイス、および、そのようなマウスピースまたはブラッシングデバイスを動作させる方法
【０２３６】
第３章の本発明は、デンタルクリーニングデバイスの分野に関し、とりわけ、複数のデンタル位置において同時にブラッシングするためのマウスピースに関する。第３章の本発明は、第３章の本発明によるマウスピースを含むブラッシングデバイスにさらに関する。そのうえ、第３章の本発明は、そのようなマウスピースまたはブラッシングデバイスを動作させる方法に関する。マウスピースは、同時に少なくとも５つのデンタル位置においてブラッシングするように構成されている。
【０２３７】
［第３章の背景技術］
人間および動物の歯のクリーニングは、口腔衛生および内臓の健康のための必須条件である。たとえば、手動の歯ブラシおよび電動歯ブラシなど、さまざまなデンタルクリーニングデバイスが利用可能である。これらの典型的な歯ブラシでは、効果的にプラークを除去するために、１日に少なくとも２分にわたって所定の方法によって歯をブラッシングすることが勧められている。しかし、平均的な人は、自分の歯をクリーニングするのに所定の時間のすべてを費やすわけではなく、常に効果的な方法にしたがってプラッシングするとは限らない。追加的に、障害者もしくは高齢者または子供にとって、歯ブラシによって歯をプラッシングすることは困難である可能性がある。その理由は、典型的な歯ブラシが歯のさまざまな表面の上でのブラシのブリッスルの精密な位置決めを必要とするからである。追加的に、人は、歯をブラッシングする間にブラシのブリッスルに過度の圧力を働かせる可能性があり、それによって、ブリッスルが急速かつ過度に摩耗するだけでなく、ブラッシングプロセスは効果的でなくなり、歯が損傷を受ける可能性があり、歯茎が後退する可能性があり、それは、歯の健康に有害な影響を与える。
【０２３８】
高齢者には頻繁にあるように、いくつかのまたはすべてのデンタル位置において歯が失われている場合には、これらのデンタル位置における歯茎のクリーニングが、依然として、口腔衛生および内臓の健康のための必須条件である。
【０２３９】
これらのデンタル位置における歯および／または歯茎をクリーニングするために、それらのデンタル位置における歯および／または歯茎を自動的にブラッシングする必要性が存在しており、それによって、効果的なブラッシングのために必要とされる時間および労力が低減される。加えて、ブラシを慎重に操作することを回避する必要性も存在している。
【０２４０】
上顎歯列弓および下顎歯列弓の両方をカバーするマウスピースを含むデンタルクリーニングデバイスが知られている。そのようなマウスピースは、ブリッスルを備えたブラッシング表面を含み、それらは、歯の完全なセットをクリーニングするために、自動的に移動される。
【０２４１】
公知のデンタルクリーニングデバイスのマウスピースおよびブラッシング表面は、使用者の歯列弓の形状に密接にフィットするように調節を必要とする。マウスピースは、すべての歯面をクリーニングすることができるべきである。しかし、歯列弓は、歯列弓のさまざまなサイズ、不正咬合、および失われている歯などに起因して、異なる使用者の間で大いに変化している。したがって、調節可能なマウスピースを備えたデンタルクリーニングデバイスに対する必要性が存在している。
【０２４２】
参照文献の特許文献１は、マウスピースを備えた電動デンタルクリーニングデバイスを開示している。この公知のマウスピースは、上顎／上側歯列弓をクリーニングするための上側部品と、下顎／下側歯列弓をクリーニングするための下側部品と、を有している。この公知のマウスピースの上側部品および下側部品の両方は、ブラシパッドをそれぞれ有しており、このブラシパッドは、Ｕ字形状の断面およびＵ字形状の内側の上のブリッスルをそれぞれ有している。これらの２つのブラシパッドは、パッドのＵ字形状の底部が互いに向き合った状態で、および、上側ブラシパッドのＵ字形状の脚部が下側ブラシパッドのＵ字形状の脚部（それらは、下向き方向に指し示している）とは反対側の上向き方向に指し示した状態で位置決めされている。ブラシパッドは、Ｕ字形状の外側にあるリジッドのブラシプレートと、それぞれの脚部における脚部プレートと、それぞれのＵ字形状の底部において脚部プレートに対して横断方向の底部プレートと、を含む。これらのＵ字形状のブラシパッドは、Ｕ字形状の脚部の方向に、歯の自由端部／上部に対して上下に駆動される。いくつかの実施形態では、ブラダーが、マウスピースの上顎アーチと下顎アーチとの間に、すなわち、底部プレート間に位置決めされ得、交互になるかまたは振動する空気圧式の圧力および吸引力が、このブラダーに印加され、底部プレートを互いに対して移動させることが可能であり、それは、Ｕ字形状のブラシパッドの上下移動を引き起こし、それによって、歯をブラッシングする。
【０２４３】
参照文献の特許文献１によるマウスピースの１つの実施形態では、可撓性のフィンガーおよび／またはブラダーの使用によって、側部／脚部ブラシプレートが歯の舌側および顔側に対して位置決めされており、可撓性のフィンガーおよび／またはブラダーは、静的圧力を働かせ、所定の方向に歯の舌側および顔側に沿って、静的圧力の方向に対して横断方向に、上下に移動しながら、ブラシプレートのブリッスルの先端部を歯の舌側および顔側に係合させるように構成されているという点において、マウスピースは調節可能である。
【０２４４】
特許文献１において、ブラッシング移動は、単に１Ｄ移動（１次元の移動）に過ぎない。その理由は、Ｕ字形状のブラシパッドが互いに向けておよび互いに離れるように移動されるだけであるからである。
【０２４５】
特許文献１によるマウスピースは、制限されたブラッシング作用の欠点を有している。その理由は、ブラシパッドの上のブリッスルがリジッドのプレートの上に装着されているので、それらが歯のすべての表面に到達する能力を制限されているからである。
【０２４６】
参照文献の特許文献２（それは、対応する欧州出願公開第０１７３１１４号明細書を有する）は、歯をクリーニングするためのデバイスのいくつかの実施形態を開示しており、それは、いわば１度に１つの歯をクリーニングするために１度に１つの歯を包含するようにそれぞれ意図された２つのタイプのデバイスに分割され得る。第１のタイプのデバイスは、ブリッスルのブラッシング移動が手によって引き起こされている間に、歯に対するブリッスルの静的なブラッシング圧力を保証し、すなわち、ブラシヘッドがハンドグリップの上に装着されており、ハンドグリップは、通常の歯ブラシのように歯に沿ってブラシヘッドを移動させるように操作される。この第１のタイプにおいて、１つの単一の圧力チャンバまたは２つの対向する圧力バブルが、個々のブリッスルタフトと歯との間のクリーニング接触圧力が全体にわたって少なくともおおよそ等しいことを保証するために使用され得る。第１のタイプにおいて、タフトのブラッシング移動は、手によって引き起こされることになるが、第２のタイプによるデバイスのブラッシング移動は、ドライブによって自動化される。第２のタイプのデバイス（特許文献２の図１０〜図２１に示されている）は、タフトが歯面に対して２Ｄ移動（２次元の移動）を実施するように駆動されるように設計されている。それぞれのタフトは、歯列弓に対して垂直の（すなわち、クリーニングされる歯に対して垂直の）平面の中を移動するように駆動される。第１の段階において、タフトは、歯に押し付けるために歯に向けて移動され、その後に、タフトは、歯茎から歯の軸線方向に歯の上部／歯冠に向かう方向に、歯面に沿って移動され、それに続いて、歯から離れるようにタフトを移動させ、圧力を低下させ、また、次のサイクルを開始するために、歯の上部／歯冠から歯茎に向けてタフトを移動させて戻す。この第２のタイプにおいて、圧力バブルが、この２Ｄ移動を実施するようにタフトを駆動するために使用され得る。これらの実施形態において、タフトは、リジッドのクリーニングエレメントキャリアの上に装着されており、圧力バブルは、直接的にまたはロッカーアームを介して間接的に、リジッドのクリーニングエレメントキャリアに作用する。
【０２４７】
特許文献２による自動化されたマウスピースは、欠点として、制限されたブラッシング作用を有している。その理由は、タフトがリジッドのキャリアの上に装着されているので、タフトが歯のすべての表面に到達する能力を制限されているからである。このマウスピースのさらなる不利益は、１度に１つの歯だけが自動化された様式でクリーニングされるということ、および、すべての歯をクリーニングするために、特許文献２の自動化されたマウスピースがすべての歯に沿って手動で移動されなければならず、それは時間がかかるということである。
【０２４８】
したがって、複数の歯を同時にクリーニングする際に迅速かつ徹底的である自動的なデンタルクリーニングデバイスに対する必要性が残っている。また、使用者からの可能な限り少ない労力を必要とする自動的なデンタルクリーニングデバイスに対する必要性が残っている。また、実質的にすべての歯面に効果的に到達する自動的なデンタルクリーニングデバイスに対する必要性が残っている。
【０２４９】
出願人によって２０１８年４月２７日に出願された特許文献３がさらに参照される。この特許文献３は、本出願の優先日においてまだ公開されていない、すなわち、この特許文献３は未公開である。出願人のこの以前の出願によるマウスピースは、１回で上歯列弓および下歯列弓のすべての歯をブラッシングすることができ、ブリッスルを提供された可撓性の壁部品を含む少なくとも１つの圧力チャンバを有している。可撓性の壁部品は、圧力チャンバの中の流体の圧力を交互に増加および減少させることによって、変形可能であるように構成されている。
［先行技術文献］
［特許文献］
【０２５０】
［特許文献１］米国特許出願公開第２０１０／００６２３９７号明細書
［特許文献２］米国特許第４７９５３４７号明細書
［特許文献３］国際出願第ＰＣＴ／ＮＬ２０１８／０５０２７６号
【０２５１】
［第３章の発明の概要］
第３章の本発明の目的は、複数のデンタル位置においてブラッシングするための代替的なマウスピース、とりわけ、自動的なブラッシングデバイスを提供することである。第３章の本発明のさらなる目的は、複数のデンタル位置においてブラッシングするための改善されたマウスピースを提供すること、および、改善されたマウスピースを提供されたブラッシングデバイスを提供することである。別のさらなる目的は、複数のデンタル位置においてブラッシングするためのマウスピース、および、そのようなマウスピースを含むブラッシングデバイスを提供することであり、それらは、先行技術から知られるブラッシングマウスピースおよびブラッシングデバイスそれぞれの不利益のうちの１つまたは複数を克服する。より具体的には、第３章の本発明は、出願人からの未公開の特許文献３または特許文献１のうちの１つのような、改善されたブラッシング作用を備えたマウスピースを提供するという目的を有している。
【０２５２】
第３章の本発明の第１の態様によれば、上記の目的のうちの１つまたは複数は、未公開の特許文献３から知られるプリアンブルを有する、請求項６５に記載のマウスピースを提供することによって実現される。
【０２５３】
第３章の本発明によれば、マウスピースは、複数のデンタル位置において同時にブラッシングするために提供される。換言すれば、同時に複数のデンタル位置においてブラッシングするように構成されているマウスピースが提供される。自然のまたは人工の歯のエレメントが、マウスピースがブラッシングするデンタル位置に存在している場合には、この歯のエレメントがブラッシングされる。歯のエレメントが、マウスピースがブラッシングするデンタル位置に存在していない場合には、歯茎がブラッシングされ得る。
【０２５４】
第３章の本発明によるマウスピースは、少なくとも１つの凹部を提供された本体部を含み、少なくとも１つの凹部は、１つまたは２つの凹部であることが可能である。この少なくとも１つの凹部は、湾曲した長さ方向、および、長さ方向に対して横断方向のＵ字形状の断面を有しており、湾曲した長さ方向に見て、複数の少なくとも５つのデンタル位置を包含するように構成されている。本体部は、前記凹部ごとに、それぞれの凹部の境界を定める可撓性の凹部壁を含む。凹部壁は、シートであることが可能であり、シートは、たとえば、プラスチック、たとえば、ポリエチレン、ポリプロピレン、ポリエステル、もしくはナイロンなど、または、エラストマー、たとえば、熱可塑性のエラストマーもしくはシリコーンエラストマーなどから作製され得る。凹部壁は、複数のブリッスルによってライニングされ得、複数のブリッスルは、凹部壁に取り付けられている一方の端部をそれぞれ有しており、凹部壁から凹部の中へ延在している。換言すれば、本体部は、凹部を有しており、凹部の壁は、凹部の壁にわたって分配されているブリッスルによってカバーされ得る。少なくとも５つのデンタル位置（これらの位置の歯のエレメント、または、そのデンタル位置の場所において顎骨をカバーしている歯茎など）が、凹部の中に受け入れられ得、また、存在する場合には、凹部の中のブリッスルは、少なくとも５つのデンタル位置を同時にブラッシングすることができることになる。ブリッスルは、ナイロン、エラストマー、または、任意の他の適切な材料から作製され得る。歯のない歯列弓の場合において、歯茎の残りのアーチが、同様にトリートメントを必要とする場合がある。この場合には、歯茎は、ブリッスルのない凹部壁によってマッサージされ得る。改善された歯茎のクリーニングのために、クリーニング流体が、ブリッスルを備えないそのようなマウスピースにおいて使用され得る。
【０２５５】
第３章の本発明によれば、本体部は、圧力下において流体を収容するように構成されている少なくとも１つの圧力チャンバを提供されており、その圧力は、増加および減少され得る。本体部は、少なくとも１つの圧力チャンバの中の圧力を往復的に増加および減少させることによって、凹部壁を変形させるように構成されており、凹部壁および（その凹部壁の上に任意選択で提供されている）ブリッスルの持続的な繰り返しの往復を引き起こす。したがって、本体部は、特許文献３に説明されているように、流体を充填され得る１つの、２つの、３つの、４つの、５つの、６つの、または任意の他の数の圧力チャンバを含み、その文献は、同じ出願人の名の下にあり、本出願の優先日においてまだ公開されていない。往復的に、圧力チャンバのうちの少なくとも１つの圧力を減少した圧力状態から増加した圧力状態へ増加させ、この圧力チャンバの中の圧力を増加した圧力状態から減少した圧力状態へ減少させることによって、および、この往復運動を持続的に繰り返すことによって、（任意選択でブリッスルを担持する）凹部壁が運動され、凹部壁およびブリッスルそれぞれがデンタル位置において物体（これらのデンタル位置に存在している歯および／または歯茎）に作用して前記物体をクリーニングすることを結果として生じさせる。
【０２５６】
「増加した圧力状態」および「減少した圧力状態」という専門用語に関して、これらの状態は、互いに関連しており、すなわち、減少した圧力状態では、圧力が、増加した圧力状態のときよりも低くなっているということが留意される。両方の状態において、圧力は、たとえば、大気圧力よりも低くなっていることが可能である。
【０２５７】
大気圧力は、マウスピースを使用するときにマウスピースの使用者がいる部屋の中に行き渡っている圧力である。一般に、大気圧力は、約１ｂａｒの絶対圧力であると想定されるが、大気圧力の実際の値は、なかでも、海水面に対する高度および気象条件に依存することになる。
【０２５８】
第３章の本発明によれば、凹部壁は、局所的に変形可能であるように構成されており、または、換言すれば、そのような局所的な変形可能性を有するように構成されており、圧力チャンバまたは１つもしくは複数の前記少なくとも１つの圧力チャンバの中の（「圧力チャンバまたは１つもしくは複数の前記少なくとも１つの圧力チャンバの中の」は、「前記少なくとも１つの圧力チャンバの中の」とさらに名付けられることになる）圧力を往復的に増加および減少させるときに、凹部壁の形状が局所的に変化するようになっており、増加した圧力状態では、ブリッスル（または、ブリッスルが存在しないときには、凹部壁）が、デンタル位置に押し付けられ、凹部壁の形状は、凹部壁によって包含されるデンタル位置の局所的な形状に局所的に調節され、一方、減少した圧力状態では、凹部壁の形状は、増加した圧力状態のときよりも、凹部壁によって包含されるデンタル位置の局所的な形状に局所的に調節されない。したがって、凹部壁は、最初に、（ブリッスルのことは考えずに）滑らかな表面を有することが可能であり、それは、圧力を増加させるときに、局所的に変形可能な凹部壁がデンタル位置の不規則的な輪郭（それらの間にあるブリッスルのことは考えずに）にいわば押し付けられることに起因して、凸凹の表面へと変化する。したがって、凹部壁は、その場所においてデンタル位置の形状に局所的に調節される。増加した圧力状態におけるこの調節された形状は、嵌め合い調節であることが可能であるが（嵌め合い調節では、凹部壁の形状は、いわば、デンタル位置の輪郭と同一になっている）、これは、そのようになっている必要はなく、実際には、そのようになっていない可能性がある。圧力を減少させるときには、凹部壁は、その初期状態の方向に戻ることになり、（増加した圧力状態における調節された形状に対して）局所的に調節されていない形状をとる。この局所的に調節されていない形状は、歯の輪郭の局所的な形状にある程度調節されることになる可能性があるが、調節は、あまりはっきりしていないことになる。局所的に調節された形状と局所的に調節されていない形状との間での凹部壁の形状のこの変化は、ブリッスルが歯間スペースの中へより良好に到達することができるということを結果として生じさせ、また、少なくとも１つの圧力チャンバの中の圧力を増加および減少させることによってすでに引き起こされた移動に加えて、ブリッスルの追加的な移動を結果として生じさせる。この追加的な移動は、ブリッスルの追加的なスイーピング効果を結果として生じさせる。局所的に調節された形状と局所的に調節されていない形状との間での凹部壁の形状の変化を要約すると、改善されたブラッシング作用を結果として生じさせる。
【０２５９】
第３章の本発明の第１の態様のさらなる実施形態によれば、凹部壁によって包含されるデンタル位置の舌側および顔側に沿って長さ方向に見て、凹部壁は、減少した圧力状態において、増加した圧力状態のときよりも少ないレリーフを有することが可能である。
【０２６０】
第３章の本発明の第１の態様のさらなる実施形態によれば、凹部壁の局所的な変形可能性は、増加した圧力状態と減少した圧力状態との間での凹部壁の形状の局所的な変化が、２ｂａｒまでの範囲にある圧力差、たとえば、０．４ｂａｒなどまでの範囲にある圧力差において起こるように構成され得、圧力差は、増加した圧力状態における圧力チャンバの中の圧力から減少した圧力状態における圧力チャンバの中の圧力をマイナスしたものとして定義される。「ｘ  ｂａｒまでの範囲にある圧力差」という表現によって、ゼロ（ゼロを含まない）からｘ  ｂａｒ（ｘ  ｂａｒを含む）までのような圧力差が意味されている。増加した圧力状態と減少した圧力状態との間の圧力差を２ｂａｒ未満に維持することは、使用者が耐えられない圧力差を経験することを防止する。圧力差を０．４ｂａｒ未満に維持することは、増加した圧力状態と減少した圧力状態との間の圧力差が一般的に許容可能なものとして使用者によって経験されるということを結果として生じさせる。凹部壁の局所的な変形可能性は、増加した圧力状態と減少した圧力状態との間での凹部壁の形状の局所的な変化が０．２ｂａｒまでの範囲にある圧力差において（または、さらには、より低い圧力差において）起こるように構成され得る。
【０２６１】
第３章の本発明の第１の態様のさらなる実施形態によれば、前記少なくとも１つの圧力チャンバの中の圧力は、減少した圧力状態において、大気圧力よりも高くなっていることが可能である。
【０２６２】
大気圧力は、マウスピースを使用するときにマウスピースの使用者がいる部屋の中に行き渡っている圧力である。一般に、大気圧力は、約１ｂａｒの絶対圧力であると想定されるが、大気圧力の実際の値は、なかでも、海水面に対する高度および気象条件に依存することになる。
【０２６３】
第３章の本発明の第１の態様のさらなる実施形態によれば、前記少なくとも１つの圧力チャンバの中の圧力は、増加した圧力状態において、大気圧力に対して最大でも２ｂａｒであることが可能であり、たとえば、大気圧力に対して最大でも１ｂａｒなどであることが可能である。
【０２６４】
第３章の本発明の第１の態様のさらなる実施形態によれば、前記少なくとも１つの圧力チャンバの中の圧力は、増加した圧力状態において、大気圧力に対して最大でも０．３ｂａｒであることが可能であり、たとえば、大気圧力に対して最大でも０．２ｂａｒなどであることが可能である。最大でも０．３ｂａｒの圧力によって、ブラッシング作用は満足のいくものであるが、凹部が破裂する可能性のある場合における危害または傷害のリスクは最小である。最大でも０．２ｂａｒの圧力によって、ブラッシング作用は依然として満足のいくものである。
【０２６５】
第３章の本発明の第１の態様のさらなる実施形態によれば、前記少なくとも１つの圧力チャンバの中の圧力は、減少した圧力状態において、大気圧力よりも低い。
【０２６６】
第３章の本発明の第１の態様のさらなる実施形態によれば、前記少なくとも１つの圧力チャンバの中の圧力は、減少した圧力状態において、大気圧力に対して−０．５ｂａｒから＋０．２ｂａｒの範囲にあることが可能であり、たとえば、大気圧力に対して−０．５ｂａｒから０ｂａｒなどの範囲にあることが可能である。少なくとも−０．５ｂａｒの減少した圧力によって、凹部壁が損傷を受け得る可能性は低くなる。減少した圧力は、大気圧力に対して−０．４ｂａｒから−０．２５ｂａｒの範囲にあることが可能である。大気圧力に対して−０．４ｂａｒから−０．２５ｂａｒの範囲にある減少した圧力は、比較的に安価な手段によって現実化され得る。大気圧力に対してゼロを下回る値を伴う減少した圧力は、減少した圧力状態まで圧力を減少させるときに、真空が圧力チャンバの中に生成されるということを意味している。減少した圧力状態に関して大気圧力を下回る圧力を使用することは、使用者の歯茎に損傷を与える可能性が著しく低減されるということを意味している。
【０２６７】
第３章の本発明の第２の態様によれば（それは、第３章の本発明の１つまたは複数の他の態様とは別個になっているか、または、それらと組み合わせた状態になっていることが可能である）、第３章の本発明は、独立請求項７３に表現されているような、複数のデンタル位置において同時にブラッシングするためのマウスピースを提供する。この第２の態様を定義するために、ｘ軸、ｙ軸、およびｚ軸を含む、３つの相互に直交する軸線の系が定義され、ｚ軸は、歯列弓（たとえば、成人の歯列弓）の輪郭に追従する湾曲した軸線であり、ｘ軸およびｙ軸は、互いに垂直になっており、ｘｙ平面を画定しており、ｘｙ平面は、平坦になっており、湾曲したｚ軸に対して垂直になっている。この第２の態様のマウスピースは、少なくとも１つの凹部を提供されている本体部を含む。また、第３章の本発明の他の態様の場合と同様に、使用時において、このマウスピースは、使用者の口の中に挿入されることになる。したがって、マウスピースの寸法は、使用者の口の中への挿入を可能にするように構成され得る。少なくとも１つの凹部は、ｚ軸に対して平行に延在する湾曲した長さ方向、および、長さ方向に対して横断方向のＵ字形状の断面を有しており、湾曲した長さ方向に見て、複数の少なくとも５つのデンタル位置を包含するように構成されている。本体部は、前記凹部ごとに凹部壁を含み、凹部壁は、それぞれの凹部の境界を定めており、複数のブリッスルを提供されている。また、第３章の本発明の他の態様の場合と同様に、ブリッスルは、可撓性および／または変形可能であることが可能である。それぞれのブリッスルは、固定端部を有しており、固定端部は、凹部壁において、本体部に取り付けられている。ブリッスルの固定端部は、たとえば、凹部壁に取り付けられ得るが、本体部の別の部品にも取り付けられ得る。それぞれのブリッスルは、固定端部から、凹部の中へ、ブリッスルの自由端部に向けて延在しており、自由端部は、凹部の中に配置されている。この第２の態様によれば、本体部は、前記複数のデンタル位置が凹部の中に包含されているときに、第１の枢動軸線の周りでの第１の往復式の枢動移動、第２の枢動軸線の周りでの第２の往復式の枢動移動、および、並進軸線に沿った往復式の並進移動に、ブリッスルの複数の前記固定端部（たとえば、それぞれのブリッスルのそれぞれの自由端部）を往復的にさらすように構成されており、第１の枢動軸線、第２の枢動軸線、および並進軸線は、相互に垂直になっており、第１の枢動軸線は、ｚ軸に対して平行になっており、第２の枢動軸線および並進軸線は、ｘｙ平面の中に延在している。ブリッスルの固定端部をこれらの移動にさらすように本体部を構成することは、圧力チャンバおよび凹部壁（それは、局所的に変形可能であり、ブリッスルの固定端部を担持している）を含む前記本体部によって達成され得るが（次の段落も参照）、ブリッスルの固定端部の異なる装着、および／または、ブリッスルの固定端部をこれらの移動にさらすための異なるドライブによっても達成され得る。
【０２６８】
第３章の本発明の第１のおよび／または第２の態様のさらなる実施形態によれば、凹部壁の局所的な変形可能性は、前記少なくとも１つの圧力チャンバの中の圧力を往復的に増加および減少させるときに、および、凹部の中に前記複数のデンタル位置を包含するときに、凹部壁のそれぞれの場所が、第１の枢動軸線の周りでの第１の往復式の枢動移動、第２の枢動軸線の周りでの第２の往復式の枢動移動、および、並進軸線に沿った往復式の並進移動にさらされるようになっていることが可能である、第１の枢動軸線、第２の枢動軸線、および並進軸線相互に垂直になっている。
【０２６９】
第３章の本発明の第１のおよび／または第２の態様のさらなる実施形態によれば、それぞれのブリッスルは、凹部壁に取り付けられているそれぞれのブリッスルの根元部にあり、凹部壁の局所的な変形可能性は、前記少なくとも１つの圧力チャンバの中の圧力を往復的に増加および減少させるときに、および、凹部の中に前記複数のデンタル位置を包含するときに、それぞれのブリッスルの根元部が、第１の枢動軸線の周りでの第１の往復式の枢動移動、第２の枢動軸線の周りでの第２の往復式の枢動移動、および、並進軸線に沿った第３の往復式の並進移動にさらされるようになっていることが可能であり、第１の枢動軸線、第２の枢動軸線、および並進軸線は、相互に垂直になっている。
【０２７０】
第３章の本発明の第１のおよび／または第２の態様のさらなる実施形態によれば、それぞれのブリッスルは、取り付けポイントにおいて凹部壁に取り付けられ得；それぞれの取り付けポイントにおいて、３つの相互に直交する軸線の局所的なセットが定義され得、局所的なセットは、ｘ軸、ｙ軸、およびｚ軸を含み、ｚ軸は、凹部の湾曲した長さ方向によって定義される湾曲した軸線であり、ｘ軸およびｙ軸は、ｚ軸に対して垂直のｘｙ平面を定義しており；凹部壁の局所的な変形可能性は、前記少なくとも１つの圧力チャンバの中の圧力を往復的に増加および減少させるときに、および、凹部の中に前記複数のデンタル位置を包含するときに、取り付けポイントが、第１の枢動軸線の周りでの第１の往復して枢動する移動、第２の枢動軸線の周りでの第２の往復して枢動する移動、および、並進軸線に沿った往復して並進する移動からなる群からの１つまたは複数の移動にさらされるようになっていることが可能であり；第１の枢動軸線は、ｚ軸に対して平行になっており、第２の枢動軸線および並進軸線は、ｘｙ平面の中にあり、相互に垂直になっている。これらの第１の、第２の、および第３の往復式の移動に加えて、凹部壁は、ブラッシング作用にさらに貢献することができる第４の、第５の、および第６の往復式の移動を可能にすることも可能であり、ここでは、ブリッスルの根元部の場所において見て、第４の往復式の移動は、ｚ軸の方向への往復式の並進移動であり、第５の往復式の移動は、ｙ軸の方向への往復式の並進移動であり、第６の往復式の移動は、ｘ軸の周りでの往復式の回転移動であるということが留意される。
【０２７１】
第３章の本発明の第１のおよび／または第２の態様のさらなる実施形態によれば、本体部は、２つの前記凹部を提供され得、２つの凹部のＵ字形状の断面の開口部は、相互に反対側方向に向いている。これは、上側デンタル位置および下側デンタル位置が同時にブラッシングされることを可能にする。
【０２７２】
第３章の本発明の第１のおよび／または第２の態様のさらなる実施形態によれば、凹部壁は、長さ方向に対して横断方向に、凹部のＵ字形状の断面に一致したＵ字形状になっており；それぞれの凹部壁のＵ字形状は、凹部壁底部から延在する２つの凹部壁脚部を画定しており、それぞれの脚部は、自由端部を有しており；脚部の自由端部は、端部ブリッスルを提供されており；本体部は、
−  前記少なくとも１つの圧力チャンバの中の圧力を増加させるときに、脚部の上側端部を凹部の内側から凹部の外側へシフトさせるように構成されており、
−  前記少なくとも１つの圧力チャンバの中の圧力を減少させるときに、垂直方向の距離を減少させるように、および、脚部の上側端部を凹部の外側から凹部の内側へシフトさせるように構成されており、
前記少なくとも１つの圧力チャンバの中の圧力を往復的に増加および減少させるときに、端部ブリッスルが、長さ方向に対して平行の軸線の周りでの往復式のスイベル移動にさらされるようになっている。「ローラーベローズ機能性」が導入される。脚部の端部を凹部の内側から凹部の外側へ往復してシフトさせることは、端部ブリッスルに、湾曲した長さ方向に対して平行の軸線の周りでの往復式のスイベル移動をさせる。結果として、歯から歯茎への移行部は、これらの端部ブリッスルの特別なブラッシング作用を受ける。一般的に知られているように、これらの移行部は、慎重なクリーニングケアを必要とする。また、第３章の本発明の第３の態様によれば、この「ローラーベローズ機能性」は、独立請求項７９（それは、未公開の特許文献３に対して境界を定められている）にあるように、以下の通りに表現され得るように、第３章の本発明の第１のおよび／または第２の態様とは別個に適用され得る：「複数のデンタル位置において同時にブラッシングするためのマウスピースであって、少なくとも１つの凹部を提供されている本体部を含み；前記少なくとも１つの凹部は、湾曲した長さ方向、および、長さ方向に対して横断方向のＵ字形状の断面を有しており、湾曲した長さ方向に見て、複数の少なくとも５つのデンタル位置を包含するように構成されており；本体部は、凹部ごとに、それぞれの凹部の境界を定める可撓性の凹部壁を含み、凹部壁は、複数のブリッスルによってライニングされており、複数のブリッスルは、凹部壁に取り付けられている一方の端部をそれぞれ有しており、凹部壁から凹部の中へ延在しており；本体部は、圧力下において流体を収容するように構成されている少なくとも１つの圧力チャンバを提供されており；本体部は、減少した圧力状態と増加した圧力状態との間で、少なくとも１つの圧力チャンバの中の圧力を往復的に増加および減少させることによって、凹部壁を変形させるように構成されており、凹部壁は、長さ方向に対して横断方向に、凹部のＵ字形状の断面に一致したＵ字形状になっており；それぞれの凹部壁のＵ字形状は、凹部壁底部から延在する２つの凹部壁脚部を画定しており、それぞれの脚部は、自由端部を有しており、本体部は、
−  前記少なくとも１つの圧力チャンバの中の圧力を増加させるときに、脚部の上側端部を凹部の内側から凹部の外側へシフトさせるように構成されており、
−  前記少なくとも１つの圧力チャンバの中の圧力を減少させるときに、脚部の上側端部を凹部の外側から凹部の内側へシフトさせるように構成されており、
前記少なくとも１つの圧力チャンバの中の圧力を往復的に増加および減少させるときに、端部ブリッスルが、長さ方向に対して平行の軸線の周りでの往復式のスイベル移動にさらされるようになっている、マウスピース」。
【０２７３】
第３章の本発明の第１のおよび／または第２のおよび／または第３の態様のさらなる実施形態によれば、本体部は、前記少なくとも１つの圧力チャンバの中の圧力を往復的に増加および減少させるときに、凹部壁の脚部を垂直方向への往復移動にさらすように構成され得る。
【０２７４】
第３章の本発明の第１のおよび／または第２のおよび／または第３の態様のさらなる実施形態によれば、本体部は、少なくとも１つの圧力チャンバの中の圧力を増加させるときに脚部を長くし、少なくとも１つの圧力チャンバの中の圧力を減少させるときに脚部を短くするように構成され得る。脚部を長くすることおよび短くすることは、脚部の上のブリッスルをデンタル位置に対して脚部の長さ方向に移動させる。
【０２７５】
第３章の本発明の第１のおよび／または第２のおよび／または第３の態様のさらなる実施形態によれば、本体部は、湾曲した長さ方向に対して平行に参照平面を画定しており、脚部の自由端部は、参照平面から離れる方を指しており、底部の外側側部は、参照平面に面しており；垂直方向の距離は、参照平面に対して横断方向の方向に測定される、参照平面から脚部の自由端部への距離として定義され；本体部は、
−  前記少なくとも１つの圧力チャンバの中の圧力を増加させるときに垂直方向の距離を増加させるようにさらに構成されており、
−  前記少なくとも１つの圧力チャンバの中の圧力を減少させるときに垂直方向の距離を減少させるようにさらに構成されている。
垂直方向の距離を増加および減少させることは、脚部の上のブリッスルをデンタル位置に対して垂直方向の距離の方向に移動させる。
【０２７６】
第３章の本発明の第１のおよび／または第２のおよび／または第３の態様のさらなる実施形態によれば、マウスピースは、凹部壁に固定されたメッシュワークをさらに含むことが可能であり、メッシュワークは、ノードおよびメッシュ部材によって形成されており、それぞれの前記メッシュ部材は、１つの前記ノードから別の前記ノードへ延在しており、それぞれの前記ノードは、少なくとも３つの前記メッシュ部材を互いに接続しており、それぞれのノードは、前記ブリッスルまたは前記ブリッスルのタフトのうちの１つまたは複数を担持している。この「メッシュ機能性」は、第３章の本発明によるマウスピースの生産を簡単化する。ノードの上にブリッスルを備えたメッシュは、別個の成分として、マウスピースの製造とは別個に、および、マウスピースの製造に先行して生産され得る。マウスピースの製造の間または後に、ブリッスルを備えたメッシュが、凹部壁の上に横たわるように配置され得る。第３章の本発明の第４の態様によれば、この「メッシュ機能性」は、また、独立請求項８３（それは、未公開の特許文献３に対して境界を定められている）にあるように、以下の通りに表現され得るように、第３章の本発明の第１の態様および／または第２のおよび／または第３の態様とは別個に適用され得る：「複数のデンタル位置において同時にブラッシングするためのマウスピースであって、少なくとも１つの凹部を提供されている本体部を含み；少なくとも１つの凹部は、湾曲した長さ方向、および、長さ方向に対して横断方向のＵ字形状の断面を有しており、湾曲した長さ方向に見て、複数の少なくとも５つのデンタル位置を包含するように構成されており；本体部は、前記凹部ごとに、それぞれの凹部の境界を定める凹部壁を含み、凹部壁は、凹部壁から凹部の中へ延在している複数のブリッスルによってライニングされており；本体部は、任意選択で、圧力下において流体を収容するように構成されている少なくとも１つの圧力チャンバを提供され得、本体部は、任意選択で、往復的に、減少した圧力状態から増加した圧力状態へ少なくとも１つの圧力チャンバの中の圧力を増加させ、増加した圧力状態から減少した圧力状態へ少なくとも１つの圧力チャンバの中の圧力を減少させることによって凹部壁を変形させるように構成されており；マウスピースは、メッシュワークをさらに含み、メッシュワークは、凹部壁に接触して横たわっており、または、凹部壁に固定されており；メッシュワークは、ノードおよびメッシュ部材によって形成されており、それぞれの前記メッシュ部材は、１つの前記ノードから別の前記ノードへ延在しており、それぞれの前記ノードは、少なくとも３つの前記メッシュ部材を互いに接続しており、それぞれのノードは、前記ブリッスルまたは前記ブリッスルのタフトのうちの１つまたは複数を担持している、マウスピース。」
【０２７７】
第３章の本発明の第１のおよび／または第２のおよび／または第３のおよび／または第４の態様のさらなる実施形態によれば、メッシュワークは、凹部壁の切り欠きの中に横たわっていることが可能であるか、または、凹部壁の材料の中に埋め込まれ得るか、または、凹部壁に接着もしくは糊付けされ得るか、または、圧力チャンバの中に位置決めされ得、凹部壁の中の孔部と重なっており、ブリッスルのタフトが、孔部を通って凹部壁から外部に延在している。
【０２７８】
第３章の本発明の第１のおよび／または第２のおよび／または第３のおよび／または第４の態様のさらなる実施形態によれば、それぞれのメッシュ部材は、２つの前記ノードの間に延在する仮想の真っ直ぐなラインによって定義される長さ方向を有しており、ノード間に、それぞれのメッシュ部材が延在しており；メッシュ部材が、その長さ方向に伸縮自在になっていることが可能であり、または、メッシュ部材の少なくとも一部が、その長さ方向に伸縮自在になっている。メッシュ部材が伸縮自在であることは、伸縮のような、または、圧力を増加および減少させる間の凹部壁の形状の局所的な変化のような、凹部壁の変形にメッシュが追従することを可能にする。伸縮自在なメッシュ部材は、弾性的に伸縮自在になっていることが可能であり、かつ／または、それぞれのメッシュ部材の長さ方向に見て、前記伸縮性を提供するように構成されているジグザグ構造を有することが可能である。
【０２７９】
第３章の本発明の第１のおよび／または第２のおよび／または第３のおよび／または第４の態様のさらなる実施形態によれば、メッシュ部材またはメッシュ部材の少なくとも一部は、それぞれのメッシュ部材に作用する（伸縮力のような）所定の力が超えられるときに破断するように構成され得る。メッシュ部材が破断可能であるということは、伸縮のような、または、圧力を増加および減少させる間の凹部壁の形状の局所的な変化のような、凹部壁の変形にメッシュが追従することを可能にする。追加的に、メッシュ部材が破断可能であることは、マウスピースの製造の間に、および、（たとえば、マウスピースの生産の間または終わりに、圧力チャンバの中の圧力を過度に増加させることによって）その後にこれらのメッシュ部材を破断する間に、メッシュが依然として１つのユニットである状態で、メッシュのノードが凹部壁に取り付けられていることを可能にし、使用時に、圧力を増加および減少させることに起因する凹部壁の移動とともに、ノードが互いに独立して移動することを可能にするようになっている。
【０２８０】
第３章の本発明の第１のおよび／または第２のおよび／または第３のおよび／または第４の態様のさらなる実施形態によれば、少なくとも１つの凹部は、その湾曲した長さ方向に見て、
−  中切歯から第１大臼歯までの範囲にあるデンタル位置；および／または、
−  中切歯から第２大臼歯までの範囲にあるデンタル位置；および／または、
−  右側の第２小臼歯から左側の第２小臼歯までの範囲にあるデンタル位置；および／または、
−  右側の第１大臼歯から左側の第１大臼歯までの範囲にあるデンタル位置；および／または、
−  右側の第２大臼歯から左側の第２大臼歯までの範囲にあるデンタル位置
を包含するように構成され得る。
【０２８１】
凹部の湾曲した長さ方向は、湾曲した長さ軸線を定義しており、これは、凹部（または、凹部壁）の長さ軸線の長さが、
−  中切歯から第１大臼歯までの距離に少なくとも等しい距離；および／または、
−  中切歯から第２大臼歯までの距離に少なくとも等しい距離；および／または、
−  右側の第２小臼歯から左側の第２小臼歯までの距離に少なくとも等しい距離；および／または、
−  右側の第１大臼歯から左側の第１大臼歯までの距離に少なくとも等しい距離；および／または、
−  右側の第２大臼歯から左側の第２大臼歯までの距離に少なくとも等しい距離
に及ぶということを意味している。
【０２８２】
さらに加えて、湾曲した長さ軸線は、人間の歯列弓の形状と同様の形状、または、人間の歯列弓の形状の少なくとも一部と同様の形状を有することが可能である。
【０２８３】
第３章の本発明の第１のおよび／または第２のおよび／または第３のおよび／または第４の態様のさらなる実施形態によれば、ブリッスルは、凹部壁に取り付けられているその端部において、凹部壁に対して固定され得る。
【０２８４】
第３章の本発明の第１のおよび／または第２のおよび／または第３のおよび／または第４の態様のさらなる実施形態によれば、凹部壁は、１ｃｍ２当たり少なくとも５本のブリッスルによってライニングされ得る。たとえば、凹部壁は、たとえばエラストマーのブリッスルの場合において、１ｃｍ２当たり４０本から２００本のブリッスルによってライニングされ得、または、たとえばナイロンのブリッスルの場合において、１ｃｍ２当たり１０００本から６０００本のブリッスルによってライニングされ得る。
【０２８５】
第３章の本発明の第１のおよび／または第２のおよび／または第３のおよび／または第４の態様のさらなる実施形態によれば、凹部壁は、長さ方向に対して横断方向に、それぞれの凹部のＵ字形状の断面と一致したＵ字形状になっており、中心軸線が、Ｕ字形状のミラー軸線として定義され、凹部のＵ字形状は、中心軸線の方向に延在する２つの脚部を画定しており、脚部は、中心軸線に対して０度から９０度の範囲にある角度、たとえば、３０度から６０度などの範囲にある角度で延在するブリッスルを提供され得るかまたはそれによってライニングされ得る。ブリッスルがそのような角度で延在しているときには、それらは、いわば、自然の位置において、歯茎に向けて指し示している。圧力チャンバの中の圧力を増加させるときには、凹部壁は、デンタル位置に向けて押圧されることになり、ブリッスルの先端部が歯茎に向けて押されることを結果として生じさせ、それは、ブラッシング作用に貢献する。たとえば、脚部の自由端部は、中心軸線に対して４５度から９０度の範囲にある角度で、たとえば、中心軸線に対して４０度から７０度などの範囲にある角度で延在するブリッスルを提供され得る。
【０２８６】
第３章の本発明の第１のおよび／または第２のおよび／または第３のおよび／または第４の態様のさらなる実施形態によれば、凹部壁は、弾性的に変形可能であることが可能である。
【０２８７】
［第３章の図面の簡単な説明］
第３章の本発明は、図２７〜図４５を参照してさらに説明されることになる。
【０２８８】
［図２７］デンタル位置と、歯列弓を定義する３つの直交する軸線の系と、を伴う下歯列弓を示す図である。
［図２８］第３章の本発明の第１の態様の第１の実施形態によるマウスピースの斜視図である。
［図２９ａ］その異なるそれぞれの動作状態における、第３章の本発明の第１の態様によるマウスピースの第２の実施形態の一部の断面図を概略的に示す図であり、その断面図は、図２８の中の矢印ＸＸＶＩＩＩ−ＸＸＶＩＩＩによって示されているような断面に対応している、図である。
［図２９ｂ］その異なるそれぞれの動作状態における、第３章の本発明の第１の態様によるマウスピースの第２の実施形態の一部の断面図を概略的に示す図であり、その断面図は、図２８の中の矢印ＸＸＶＩＩＩ−ＸＸＶＩＩＩによって示されているような断面に対応している、図である。
［図２９ｃ］その異なるそれぞれの動作状態における、第３章の本発明の第１の態様によるマウスピースの第２の実施形態の一部の断面図を概略的に示す図であり、その断面図は、図２８の中の矢印ＸＸＶＩＩＩ−ＸＸＶＩＩＩによって示されているような断面に対応している、図である。
［図３０］第３章の本発明の第１の態様によるマウスピースの第３の実施形態の上面図を概略的に示す図である。
［図３１ａ］その異なるそれぞれの動作状態における、第３章の本発明の第１の態様によるマウスピースの第３の実施形態の一部の断面図を概略的に示す図であり、その断面図は、図３０の中の矢印ＸＸＸ−ＸＸＸによって示されているような断面に対応している、図である。
［図３１ｂ］その異なるそれぞれの動作状態における、第３章の本発明の第１の態様によるマウスピースの第３の実施形態の一部の断面図を概略的に示す図であり、その断面図は、図３０の中の矢印ＸＸＸ−ＸＸＸによって示されているような断面に対応している、図である。
［図３１ｃ］その異なるそれぞれの動作状態における、第３章の本発明の第１の態様によるマウスピースの第３の実施形態の一部の断面図を概略的に示す図であり、その断面図は、図３０の中の矢印ＸＸＸ−ＸＸＸによって示されているような断面に対応している、図である。
［図３２ａ］第３章の本発明の第２の態様の解説、および、第３章の本発明の第１の態様によるマウスピースの凹部壁の局所的な変形可能性の解説を与える図である。
［図３２ｂ］第３章の本発明の第２の態様の解説、および、第３章の本発明の第１の態様によるマウスピースの凹部壁の局所的な変形可能性の解説を与える図である。
［図３２ｃ］第３章の本発明の第２の態様の解説、および、第３章の本発明の第１の態様によるマウスピースの凹部壁の局所的な変形可能性の解説を与える図である。
［図３２ｄ］第３章の本発明の第２の態様の解説、および、第３章の本発明の第１の態様によるマウスピースの凹部壁の局所的な変形可能性の解説を与える図である。
［図３３ａ］局所的に変形可能でない凹部壁の解説を与える図である。
［図３３ｂ］局所的に変形可能でない凹部壁の解説を与える図である。
［図３４ａ］第３章の本発明の第１の態様によるマウスピースの凹部壁の局所的な変形可能性のさらなる解説を与える図である。
［図３４ｂ］第３章の本発明の第１の態様によるマウスピースの凹部壁の局所的な変形可能性のさらなる解説を与える図である。
［図３５］第３章の本発明の第１の態様によるマウスピースの凹部壁の局所的な変形可能性の別のさらなる解説を与える図である。
［図３６ａ］その異なるそれぞれの動作状態における、第３章の本発明の第３の態様によるマウスピースの第１の実施形態の一部の断面図を概略的に示す図である。
［図３６ｂ］その異なるそれぞれの動作状態における、第３章の本発明の第３の態様によるマウスピースの第１の実施形態の一部の断面図を概略的に示す図である。
［図３６ｃ］その異なるそれぞれの動作状態における、第３章の本発明の第３の態様によるマウスピースの第１の実施形態の一部の断面図を概略的に示す図である。
［図３７ａ］その異なるそれぞれの動作状態における、第３章の本発明の第３の態様によるマウスピースの第２の実施形態の一部の断面図を概略的に示す図である。
［図３７ｂ］その異なるそれぞれの動作状態における、第３章の本発明の第３の態様によるマウスピースの第２の実施形態の一部の断面図を概略的に示す図である。
［図３７ｃ］その異なるそれぞれの動作状態における、第３章の本発明の第３の態様によるマウスピースの第２の実施形態の一部の断面図を概略的に示す図である。
［図３８］第３章の本発明の第３の態様の第１の実施形態によるメッシュ構造を概略的に示す図である。
［図３９ａ］第３章の本発明の第４の態様の第２の実施形態によるメッシュ構造を概略的に示す図である。
［図３９ｂ］第３章の本発明の第４の態様の第２の実施形態によるメッシュ構造を概略的に示す図である。
［図４０ａ］第３章の本発明の第４の態様の第３の実施形態によるメッシュ構造を概略的に示す図である。
［図４０ｂ］第３章の本発明の第４の態様の第３の実施形態によるメッシュ構造を概略的に示す図である。
［図４１ａ］第３章の本発明の第４の態様の第４の実施形態によるメッシュ構造を概略的に示す図である。
［図４１ｂ］第３章の本発明の第４の態様の第４の実施形態によるメッシュ構造を概略的に示す図である。
［図４２ａ］第３章の本発明の第４の態様の第５の実施形態によるメッシュ構造を概略的に示す図である。
［図４２ｂ］第３章の本発明の第４の態様の第５の実施形態によるメッシュ構造を概略的に示す図である。
［図４３ａ］第３章の本発明の第４の態様の第６の実施形態によるメッシュ構造を概略的に示す図である。
［図４３ｂ］第３章の本発明の第４の態様の第６の実施形態によるメッシュ構造を概略的に示す図である。
［図４４］可撓性の凹部壁を伴う詳細を概略的に示す図である。
［図４５］第３章の本発明によるマウスピースを含む第３章の本発明によるデンタルクリーニングデバイスを概略的に示す図である。
【０２８９】
［第３章の図の詳細な説明］
図２７は、デンタル位置６０２〜６１４を伴う上歯列弓６０１の一部を非常に概略的に斜視図で示している。それぞれのデンタル位置は、垂直方向の破線によって示されている。それぞれのデンタル位置は、通常、それぞれの歯科医に知られている命名法にしたがって命名されている歯を含む。この命名法を使用して：
−  デンタル位置６０２は、図２７に表されている、左側の「第２大臼歯」の位置である；
−  デンタル位置６０３は、図２７では失われている、左側の「第１大臼歯」の位置である；
−  デンタル位置６０４は、図２７に表されている、左側の「第２小臼歯」の位置である；
−  デンタル位置６０５は、図２７に表されている、左側の「第１小臼歯」の位置である；
−  デンタル位置６０６は、図２７に表されている、左側の「犬歯」の位置である；
−  デンタル位置６０７は、図２７では失われている、左側の「側切歯」の位置である；
−  デンタル位置６０８は、図２７に表されている、左側の「中切歯」の位置である；
−  デンタル位置６０９は、図２７に表されている、右側の「中切歯」の位置である；
−  デンタル位置６１０は、図２７に表されている、右側の「側切歯」の位置である；
−  デンタル位置６１１は、図２７に表されている、右側の「犬歯」の位置である；
−  デンタル位置６１２は、図２７に表されている、右側の「第１小臼歯」の位置である；
−  デンタル位置６１３は、図２７に表されている、右側の「第２小臼歯」の位置である；
−  デンタル位置６１４は、図２７に表されている、右側の「第１大臼歯」の位置である；
図２７において、右側の「第２大臼歯」のデンタル位置は示されておらず、また、右側および左側の「第３大臼歯」（親知らずとも呼ばれる）のデンタル位置も示されていない。同様に、下顎は、同様の数のデンタル位置を有しており、それらは、前記命名法にしたがって同様に命名されている。
【０２９０】
参照数字６１５は、デンタル位置のアーチの舌側を示している。舌側６１５は、デンタル位置のアーチの内側であり、内側は、舌に面している。参照数字６１６は、デンタル位置のアーチの顔側を示している。顔側６１６は、デンタル位置のアーチの外側であり、外側は、頬および唇のような、顔に面している。
【０２９１】
第３章の本発明によるマウスピースは、複数のデンタル位置において同時にブラッシングするように構成されている。歯が存在している場合には、それぞれのデンタル位置の歯がブラッシングされることになる。第３章の本発明による凹部壁の局所的な変形可能性に起因して、デンタル位置における残部（歯茎など）は、歯が失われている可能性がある場合においてブラッシングされることになり、失われている歯の場所に隣接する歯が、失われている歯の場所のために意図されているブリッスルによって追加的にブラッシングされることになる。
【０２９２】
図２７は、ｘ軸ｘ、ｙ軸ｙ、およびｚ軸ｚを含む、３つの相互に直交する軸線の系をさらに示している。ｚ軸ｚは、歯列弓６０１の輪郭にしたがった湾曲した軸線である。ｘ軸ｘおよびｙ軸ｙは、互いに対して垂直になっており、また、ｘｙ平面を定義しており、ｘｙ平面は、本質的に平坦になっており、歯列弓６０１に対して垂直になっており、すなわち、ｚ軸の上の所定の場所に交差するそれぞれのｘｙ平面は、その場所において、湾曲したｚ軸ｚに対して垂直になっている。ｚ軸ｚは、湾曲した長さ方向を定義している。ｚ軸Ｚおよびｙ軸Ｙは、湾曲したｚｙ平面を定義しており、それは、ｚ軸に沿って見ると、デンタル位置のアーチの形状と同様のアーチ形状である。さらに、ｚ軸ＺおよびＸ軸Ｘは、ｚｘ平面を定義している。
【０２９３】
図２８は、第３章の本発明によるマウスピース６２０の斜視図を概略的に示している。マウスピース６２０は、第１の凹部６２２を提供された本体部６２１を含む。この第１の凹部６２２は、図２７のｚ軸に沿って見ると、湾曲した長さ方向を有しており、図２７のｘｙ平面の中で見ると、Ｕ字形状の断面を有している。第１の凹部６２２は、凹部壁６２３によって境界を定められており、凹部壁６２３は、ｘｙ平面においてＵ字形状になっている。凹部壁６２３は、複数のブリッスル６２４によってライニングされており、それぞれが、凹部壁６２３に取り付けられている（根元部６４９と呼ばれる）一方の端部を有しており、凹部壁６２３から第１の凹部６２２の中へ延在している。
【０２９４】
参照符号６２６は、ニップルを示しており、ニップルは、マウスピースをポンピングおよび／または吸引デバイスに接続するように構成されている。マウスピース６２０は、右半分６２７および左半分６２８をさらに有しており、これら半分は、いわばニップル６２６において一緒になる。
【０２９５】
参照符号６２５は、湾曲した分割ラインを示しており、湾曲した分割ラインは、図２７に定義されているようなｘｚ平面に対して平行なミラー平面を定義している。図２８に示されているようなマウスピースは、いわば、このミラー平面に対してミラー対称的になっており、それは、第１の凹部６２２の反対側に第２の凹部（図２８では見ることができない）が存在しているということを意味しており、この第２の凹部も同様にブリッスルによってライニングされている。しかし、この第２の凹部は、なかでも図２９において見ることができ、図２９では、それは同様に参照数字６２２によって示されている。デンタル位置の上側および下側のアーチ（の歯）が異なる形状を有しているので、第１の凹部は、第２の凹部の形状とは異なる形状を有することが可能であるということが留意される。
【０２９６】
凹部６２２は、右側の第３大臼歯または第２大臼歯のデンタル位置からそれぞれ左側の第３大臼歯または第２大臼歯のデンタル位置までの歯列弓全体を包含するように構成されている。また、凹部６２２は、デンタル位置のアーチの一部を包含するように構成され得、この部分は、たとえば、中切歯のデンタル位置から第２小臼歯のデンタル位置まで、または、第１大臼歯のデンタル位置もしくは第２大臼歯のデンタル位置まで、少なくとも５つのデンタル位置を含む。
【０２９７】
図２９は、異なる圧力状態における、第３章の本発明によるマウスピース７００の第２の実施形態の右側部品の図２８の中の矢印ＸＸＶＩＩＩによる断面を示している。図２９において、同じ参照数字は、同様の部品に関して、図２８と同様に使用されている。
【０２９８】
図２８のマウスピースおよび図２９のマウスピースは、本質的に同じであることが可能であり、図２８は、斜視図を示しており、図２９は、図２８のマウスピースの一部の断面ＸＸＶＩＩＩ−ＸＸＶＩＩＩを示している。次いで、主な相違は、ブリッスルの中にある。図２８において、ブリッスル６２４は、比較的に太くなっており、凹部壁６２３との１つの一体部品として作製され得、一方では、図２９において、ブリッスルは、比較的に細いブリッスル６２４のタフト６２９として提供されている。それぞれのタフト６２９は、ベース６３６を有することが可能であり、ベース６３６は、それらの根元部６４９においてブリッスル６２４を担持しており、凹部壁に取り付けられている。
【０２９９】
図２９に示されているように、マウスピース７００は、本体部６２１を有しており、本体部６２１は、その上側側部において第１の凹部６２２を有しており、その下側側部において第２の凹部６２２を有している。両方の凹部６２２は、可撓性の凹部壁６２３によって境界を定められている。図２７に定義されているようなｘｙ平面に対して平行の断面において、凹部壁６２３は、Ｕ字形状になっており、凹部壁底部６３４および２つの凹部壁脚部６３３を有しており、２つの凹部壁脚部６３３は、凹部底部壁から延在している。凹部壁６２３は、ブリッスルのタフト６２９によってカバーされている。
【０３００】
本体部の内側には、圧力チャンバ６３５が提供されており、圧力チャンバ６３５は、ニップル６２６（図２８）を介して、流体によって充填され得る。流体は、空気のようなガス、または、水のような液体であることが可能である。図２９に示されているような実施形態において、マウスピースは、１つの圧力チャンバを有している。しかし、マウスピースは、図３０および図３１に示されているような５つの圧力チャンバのような、複数の圧力チャンバを含むことが可能であり、または、任意の他の数の圧力チャンバを含むことが可能であるということが留意される。未公開の特許文献３は、図４、図５、図７、図９、および図１０に、他の数の圧力チャンバの例を示しており、それらは、すべて第３章の本発明の範囲内にある。複数の圧力チャンバの場合において、すべての圧力チャンバまたは圧力チャンバのグループは、第３章の本発明によれば、未公開の特許文献３の中に説明されているものと同様に、互いに流体連通していることが可能である。
【０３０１】
図２９に示されているように、マウスピースは、凹部壁６２３の材料に対してリジッドの材料の内部支持構造体を含むことが可能である。この支持構造体は、舌側プレート６３０および顔側プレート６３２を含むことが可能であり、その両方が、図２７において定義された湾曲したｚｙ平面に沿って（たとえば、それに対して平行に）延在しており、結果的に、ｚ軸に沿って見て、Ｕ字形状を有している。舌側プレート６３０および顔側プレート６３２を互いに所定の距離に維持するために、支持構造体は、１つまたは複数のスペーサー６３１を含むことが可能である。これらの１つまたは複数のスペーサー６３１は、たとえば、複数のバーもしくはワイヤーまたは単一のプレートであることが可能であり、それは、図２７に定義されているようなｚｘ平面に対して本質的に平行に延在することが可能である。スペーサーとしての単一のプレートの場合において、このプレートは、圧力チャンバ６３５を２つの圧力チャンバ（上側のチャンバおよび下側のチャンバ）に分割することが可能である。これらの２つの圧力チャンバは、プレートを通る１つまたは複数の貫通孔を介して、互いに流体連通していることが可能である。大きい貫通孔および／または多数の貫通孔の場合において、２つの圧力チャンバは、効果的に、１つの単一の圧力チャンバであることが可能である。
【０３０２】
図２９ａ、図２９ｂ、および図２９ｃは、その異なるそれぞれの動作状態におけるマウスピース７００の断面図を概略的に示している。この断面図は、図２７に定義されているような歯列弓の長さ軸線Ｚ全体にわたってほぼ同じになっていることが可能である。
【０３０３】
単一の圧力チャンバ６３５は、第１の凹部６２２（図２９の中の上側のもの）の境界を定める第１の可撓性の凹部壁６２３と、第２の凹部６２２（図２９の下側のもの）の境界を定める第２の可撓性の凹部壁６２３と、を含む。第１および第２の凹部壁は、とりわけ、圧力チャンバ６３５の中の圧力を増加または減少させることによって変形可能である。可撓性の凹部壁６２３は、ゴムのような材料などのような、弾性的な材料から作製され得る。また、可撓性の凹部壁６２３は、非弾性的な材料から作製され得る。可撓性の凹部壁６２３の内側側部と外側側部とを横切る圧力差が実質的に存在していないかまたは低い圧力差が存在しているときに、可撓性の凹部壁６２３の材料は、所定の形状を維持することが可能である。
【０３０４】
マウスピース７００は、ブリッスル６２４のタフト６２９が歯列弓の歯の歯面に係合するように構成されており、または、歯が失われている可能性のある１つまたは複数のデンタル位置の場合には、少なくとも圧力チャンバ６３５の中の圧力が増加されるときに、ブリッスル６２４のタフト６２９がそれぞれのデンタル位置における歯茎に係合するように構成されている。所定のデンタル位置において歯が失われている可能性のある場合には、特に、凹部壁脚部６３３の自由端部におけるブリッスルのタフト６２９は、空のデンタル位置における歯茎に係合することになる。
【０３０５】
（図２７において定義されているような）歯列弓の長さ方向Ｚにおいて見ると、ブリッスル６２４のタフト６２９は、図２９ａ、図２９ｂ、図２９ｃに示されている断面において見たときにほぼ同じ密度で配置され得る。
【０３０６】
図２９ａは、マウスピース７００の第１の動作状態（中間状態とも呼ばれる）を図示している。圧力チャンバ６３５の中の圧力は、中間状態において、大気圧力に等しいか、大気圧力よりも低くなっているか、または、大気圧力よりも高くなっていることが可能である。
【０３０７】
図２９ｂは、たとえば、流体を圧力チャンバ６３５に給送することによって、または、圧力チャンバ６３５の中の流体の量を増加させることによって、圧力チャンバ６３５が増加した圧力状態になっているときのマウスピース７００の第２の動作状態を図示している。図２９ｂにおいて見ることができるように、圧力を増加させる結果として、凹部壁６２３は、いわばコンパクト化され、（図２９ａに対して）凹部６２２を狭くし、それによって、ブリッスル６２４（とりわけ、その自由端部）は、しっかりと歯面に係合することが可能であり、かつ／または、歯面に接触して変形され得る。
【０３０８】
図２９ｃは、たとえば、圧力チャンバ６３５から流体を吐出することによって、または、圧力チャンバ６３５の中の流体の量を減少させることによって、圧力チャンバ６３５の中の圧力が減少されているときのマウスピース７００の第３の動作状態を図示している。図２９ｃにおいて見ることができるように、圧力を減少させる結果として、可撓性の凹部壁６２３は、図２９ａと比較して、いわば、凹部６２２を拡大させるように拡張され、それによって、ブリッスル６２４（とりわけ、その自由端部）は、歯面にしっかりと係合しなくなり（もしくは、歯面と全く係合しない）、かつ／または、歯面に接触して変形されるようにならなくなる。
【０３０９】
第１の動作状態から第２の動作状態へ、次いで、第２の動作状態から第１の動作状態へ、次いで、第１の動作状態から第３の動作状態へ行くように、圧力チャンバ６３５の圧力を増加および減少させる適切なサイクルによって、第１の動作状態へ戻ることがそれに続き、その後に、そのようなサイクルを繰り返すことによって、マウスピースの最も効果的なブラッシング作用が得られ得る。凹部壁底部６３４に取り付けられているブリッスル６２４は、一般的に、そのようなサイクルの間に上向きおよび下向きの運動を実施し、凹部壁脚部６３３におけるブリッスル６２４は、一般的に、そのようなサイクルの間に、図２７において定義されているようなｘ軸の方向に行ったり来たり横方向の運動を実施する。圧力を往復的に増加および減少させるときに凹部６２２が交互に狭くなりおよび広くなることに起因して、凹部壁脚部におけるブリッスル６２４は、また、図２７において定義されているようなｚ軸の周りに前後に枢動することにさらされることになり、図２７において定義されているようなｙ軸の方向へのブリッスルのスイーピング移動を結果として生じさせる。
【０３１０】
図２９ｃの動作状態（減少した圧力状態）において、圧力チャンバ６３５の中の圧力は、真空、すなわち、大気圧力よりも低い圧力であることが可能であるということが留意される。図２９ｃの動作状態（増加した圧力状態）にあるときには、真空チャンバの中の圧力は、真空（たとえば、０．７ｂａｒ）であり、圧力チャンバ６３５の中の圧力は、図２９ｂの動作状態では、真空、大気圧力、または、大気圧力よりも高い圧力のいずれかであることが可能である。追加的に、図２９ｂおよび図２９ｃの動作状態において、圧力チャンバの中の圧力は、両方とも大気圧力よりも高いということが可能であるということも可能であり、または、図２９ｂの動作状態では、圧力チャンバの中の圧力がほぼ大気圧力であり、一方では、図２９ｃの動作状態では、圧力チャンバの中の圧力が大気圧力よりも高いことも可能であるということが留意される。
【０３１１】
寸法の何らかのインディケーションを与えるための単なる例として、および、図２７を参照すると、成人に関して、Ｘ方向への歯エレメントの幅は、デンタル位置に応じて、約２ｍｍから１２ｍｍの間で変化する。マウスピースを可能な限り小さく維持することが望まれるということを考慮に入れると、Ｘ方向への凹部壁のＵ字形状の内部幅は、可能な限り小さく維持されるべきであり、それぞれの歯の幅よりも約０ｍｍから４ｍｍ広くなっていることが可能である。寸法の何らかのインディケーションを与えるための例として、凹部壁のＵ字形状の内部幅は、図２７のＸ方向に見て、０ｍｍから２０ｍｍの範囲にあることが可能であり、たとえば、２ｍｍ〜１２ｍｍなどの範囲にあることが可能である。ブリッスルは、最大で６ｍｍの長さになっていることが可能である。例の場合において、ブリッスルは、３ｍｍから４ｍｍの長さになっており、これは、対向する凹部壁脚部６３３から延在するブリッスル間に、隙間が残っていないということ、または、約２ｍｍ〜４ｍｍの限られた量の隙間が残っているということを意味している。図２９において、これらの隙間は誇張されて示されている。さらに、寸法の何らかのインディケーションを与えるための例として、凹部壁のＵ字形状は、図２７のＹ方向に見て、３ｍｍから２０ｍｍの範囲にある、たとえば、５ｍｍから１０ｍｍなどの範囲にある内部高さを有することが可能である。これらの内部幅および内部高さの測定値は、成人に関して示すものである。子供に関して、または、動物に関して、これらの測定値は異なる可能性がある。
【０３１２】
図３０は、第３章の本発明によるマウスピースの第３の実施形態７１０の上面図を概略的に示している。図３１ａ、図３１ｂ、および図３１ｃは、図３０の中の矢印ＸＸＸ−ＸＸＸによる、その異なるそれぞれの動作状態におけるマウスピース７１０の断面図を概略的に示している。この断面図は、図２７に定義されているような歯列弓の長さ軸線Ｚ全体にわたってほぼ同じになっていることが可能である。
【０３１３】
図３０〜図３１のマウスピース７１０は、図２９のマウスピース７００と非常に類似しているということを考慮に入れると、図２８〜図２９に関連して使用されてきたものと同じ参照数字が、マウスピース７１０の同じまたは同様の部品に関して使用されている。
【０３１４】
図２９のマウスピース７００と図３０〜図３１のマウスピース７１０との間に、本質的に２つの相違が存在している。これらの相違のそれぞれのものは、他方の相違を適用することなく、図２８および／または図２９のマウスピースに別個に適用され得る。
【０３１５】
第１の相違は、図３０〜図３１のマウスピースが、５つの圧力チャンバ６３５ａ、６３５ｂ、６３５ｃ、６３５ｄ、および６３５ｅを有しているということである。図３０において、圧力チャンバ６３５ａ、６３５ｃ、および６３５ｅは、影付きの灰色のエリアによって見ることができるようにされている。図３０にも見ることができるように、ニップル６２６は、外部圧力供給源との流体連通を提供するためのチャネル６３７ａを有している。このチャネル６３７ａは、圧力チャンバ６３５ｃおよび６３５ａの中に流れ込んでいる（図３０には示されていない）。チャネル６３７ｂは、圧力チャンバ６３５ｃおよび６３５ａを圧力チャンバ６３５ｅと接続しており、これらのチャンバの間に流体連通を提供している。チャネル６３７ｃは、圧力チャンバ６３５ｅを圧力チャンバ６３５ａおよび６３５ｂと接続しており、これらのチャンバの間に流体連通を提供している。全体として、すべての圧力チャンバ６３５ａ、６３５ｂ、６３５ｃ、６３５ｄ、および６３５ｅは、互いに流体連通しており、それらが、マウスピース７００の圧力チャンバ６３５のように、１つの単一の圧力チャンバとして作用することができるようになっている。図２９ａ、図２９ｂ、および図２９ｃに関連して説明されているものと同様に、また、マウスピース７１０は、３つの動作状態、または、１つが省かれ得る場合には、２つの動作状態を有することが可能である。図３１ａ、図３１ｂ、および図３１ｃに示されている動作状態の説明に関して、図２９ａ、図２９ｂ、および図２９ｃの説明が参照される。
【０３１６】
第２の相違は、図３０〜図３１のマウスピースが、わずかに異なる支持構造体を有しているということである。マウスピース７１０の舌側プレート６３０および顔側プレート６３２は、マウスピース７００の場合のように本体部の内側に埋め込まれている代わりに、本体部６２１の外側に配置されている。また、マウスピース７１０の舌側プレート６３０および顔側プレート６３２は、両方とも、図２７に定義される湾曲したｚｙ平面に沿って延在しており、結果的に、ｚ軸に沿って見て、Ｕ字形状を有している。図３０および図３１の実施形態において、舌側プレート６３０および顔側プレート６３２は、追加的なスペーサー（示されていない）によって、互いに所定の距離に維持され得るが、凹部壁底部６３４が、そのようなスペーサーとしての役割を果たすことも可能である。
【０３１７】
図３２〜図３５を参照すると、第３章の本発明の第１の態様による凹部壁の局所的な変形可能性が、ここで説明されることになり、また、第３章の本発明の第２の態様も説明されることになる。
【０３１８】
ここまで、図２７〜図３１を参照して、凹部壁６２３の全体的な変形可能性が説明されてきており、その全体的な変形可能性は、ブリッスル６２４またはブリッスル６２４を備えたタフト６２９が凹部壁６２３の上に取り付けられている状態の少なくとも１つの圧力チャンバ６３５の作動のときに起こる。しかし、第３章の本発明の第１の態様によれば、凹部壁６２３は、局所的な変形可能性を有するようにさらに構成されている。凹部壁６２３のこの局所的な変形可能性が、ここで、図３２ａ、図３２ｂ、図３２ｃ、および図３２ｄを参照して解説されることになる。
【０３１９】
図３２ａおよび図３２ｂは、基本的に同一である。その相違は、図３２ｂでは、１つのタフト６２９だけが例示目的のために示されているが、図３２ａでは、複数のタフト６２９が示されているということである。
【０３２０】
図３２ａおよび図３２ｂは、歯列弓６０１と、歯列弓６０１の顔側にある可撓性の凹部壁６２３の可撓性の凹部壁脚部６３３と、を概略的に示している。この可撓性の凹部壁脚部６３３は、局所的に変形可能である。
【０３２１】
これらの図３２ａおよび図３２ｂは解説の目的のためのものであるので、歯列弓６０１の顔側に沿って延在する凹部壁脚部６３３の残り、歯列弓６０１の舌側に沿って延在する凹部壁脚部６３３、ならびに、咬合面および任意選択で切縁に沿って延在する凹部壁底部６３４は示されていない。また、凹部壁６２３のこれらの不図示の部品も、すべて局所的な変形可能性を有するように構成され得る。
【０３２２】
図３２ａおよび図３２ｂは、圧力チャンバの中の圧力を増加および減少させることに起因する、可撓性の凹部壁６２３の局所的な変形可能性、特に、凹部壁脚部６３３の局所的な変形可能性を示している。見ることができるように、凹部壁脚部６３３は、ｚ軸に沿って見て、不規則的な形状を有しており、それは、歯列弓６０１のデンタル位置の不規則性に追従している。例示目的のために、凹部壁脚部６３３の不規則的な形状は、凹部壁脚部６３３に隣接する歯列弓６０１の不規則的な形状にほとんど精密に一致している。明らかになるように、凹部壁脚部６３３の不規則的な形状は、歯列弓６０１の不規則的な形状よりもあまりはっきりしていない可能性がある。
【０３２３】
図３２ａおよび図３２ｂは、増加した圧力状態における凹部壁脚部６３３を示している。図３２ａおよび図３２ｂに示されているように、凹部壁脚部６３３にかかる圧力の主方向は、ｘ軸の方向にある。圧力を減少させるときには、凹部壁脚部６３３は、歯列弓６０１から離れるように移動し、タフト６２９によって歯６４０に働かされる圧力を減少させる。凹部壁脚部６３３に対する圧力を再び増加させるときには、凹部壁脚部６３３が、歯列弓６０１に向けて移動する。ｘ軸の方向へのこの交互の移動は、第３章の本発明によるマウスピースによって現実化されるブラッシング移動の第１の次元である。
【０３２４】
可撓性の凹部壁脚部６３３にかかる圧力を減少させるときには、可撓性の凹部壁脚部６３３は、歯列弓６０１から離れるように移動することになるだけでなく、局所的な変形可能性に起因して、可撓性の凹部壁脚部６３３は、減少した圧力状態において、あまりはっきりしていない不規則的な形状に戻る傾向があることにもなる。このあまりはっきりしていない不規則的な形状は、可撓性の壁部品が歯列弓から十分に離れるように移動する場合には、ｚ軸に平行な連続的に湾曲した形状であることが可能であり、または、依然としてレリーフを伴う形状であることが可能であるが、しかし、増加した圧力状態のときよりもレリーフの少ない形状であることが可能である。凹部壁６２３／凹部壁脚部６３３の形状のこの局所的な変化は、その場所においてまたはその場所の近くに取り付けられているタフト６２９をｙ軸の周りで回転させ、歯の顔側表面に沿ったｚ方向へのスイーピングを結果として生じさせる。可撓性の凹部壁脚部６３３にかかる圧力を増加させるときには、タフト６２９は、図３２ａおよび図３２ｂに示されているような位置に戻る傾向があることになり、歯の顔側表面に沿った反対側のｚ方向へのスイーピングを結果として生じさせる。ｚ軸の方向へのこの交互のスイーピング移動（このスイープは、図３２ａおよび図３２ｂの中の両方向の矢印６４１によって示されている）は、可撓性の壁部品の局所的な変形可能性に起因しており、第３章の本発明によるマウスピースによって現実化されるブラッシング移動の第２の次元である。
【０３２５】
ｙ軸の周りでのｚ軸の方向へのスイーピング移動６４１は、ｚ軸の方向への歯列弓６０１の局所的な不規則性、および、圧力を増加および減少させるときの（局所的な不規則性の場所における）可撓性の壁部品の局所的な変形によって引き起こされる。
【０３２６】
図３２ｃに概略的に示されているように、ｙ軸ｙの方向への歯列弓６０１の不規則性、および、可撓性の凹部壁６２３の可撓性の凹部壁脚部６３３の局所的な変形可能性は、同様に、圧力チャンバ６３５の中の圧力を増加および減少させるときに、タフト６２９をｚ軸の周りでｙ方向にスイープさせることになる。ｙ軸の方向へのおよびｚ軸の周りでのこの交互のスイーピング移動は（このスイープは、図３２ｃの中の両方向の矢印６４２によって示されている）、可撓性の壁部品の局所的な変形可能性に起因しており、第３章の本発明によるマウスピースによって現実化されるブラッシング移動の第３の次元である。
【０３２７】
図３２ｄを参照すると、凹部壁の局所的な変形可能性は、すべてが一緒になって、少なくとも、円錐６４３によって図３２ｄに示されているような追加的な２次元のブラッシング作用を結果として生じさせる。この追加的な２次元のブラッシング作用は、脈動圧力によってすでに引き起こされているブラッシング作用に加わるものである。脈動圧力によって引き起こされる主なブラッシング作用は、両方向の矢印６４４によって図３２ｄに示されており、図２８〜図３１に関連して上記に説明されてきた。矢印６４４は、第３の次元を表しているので、図３２ｄの場所Ｌにおける全体的なブラッシング作用は、したがって、３次元のブラッシング作用である：ｙ軸の周りでブリッスルが往復して枢動する、ｚ軸の周りでブリッスルが往復して枢動する、および、ｘ軸に沿ってブリッスルが往復して並進する。明らかになるように、舌側における凹部壁脚部６３３の局所的な変形可能性、および、凹部壁底部６３４の局所的な変形可能性は、同様の様式で、追加的な２次元のブラッシング作用を結果として生じさせることになる。
【０３２８】
より一般的に、および、ランダムなブリッスルの根元部６４９の場所で見て、追加的な２次元のブラッシング作用は、ブリッスルの第１の往復して枢動する移動、および、ブリッスルの第２の往復して枢動する移動を含み、その２つの往復して枢動する移動は、圧力チャンバの中の圧力の脈動によって引き起こされる第３の往復式の並進移動に加わるものである。図２７に示されているような直交する軸線の系を参照すると、および、ブリッスルの根元部の場所で見て、それぞれのランダムなブリッスルの根元部は、湾曲したｚ軸に対して垂直のｘｙ平面の中に横たわっていることになる。ブリッスルの根元部の場所におけるｘｙ平面を局所的ｘｙ平面と名付けると、このブリッスルの根元部の場所における往復式の並進移動は、この局所的ｘｙ平面の中にあり、したがって、ｚ軸に対して垂直になっている。凹部壁が、この局所的ｘｙ平面において、凹部のＵ字形状の断面に対応して、本質的にＵ字形状を有しているということを考慮に入れると、この往復式の並進移動は、また、この局所的ｘｙ平面において、凹部壁のＵ字形状に対しておおよそ垂直になっている。第１の往復して枢動する移動は、それぞれのブリッスルの根元部の場所Ｌにおいてｚ軸の周りのものであり、すなわち、局所的ｘｙ平面に対して垂直の第１の枢動軸線の周りのものである。第２の往復して枢動する移動は、第２の枢動軸線の周りのものであり、第２の枢動軸線は、第１の枢動軸線（またはｚ軸）に対して垂直になっており、また、第３の往復式の並進移動に対して垂直になっている。ブリッスルを省くことによってさらに一般化すると、凹部壁の局所的な変形可能性は、前記少なくとも１つの圧力チャンバの中の圧力を往復的に増加および減少させるときに、ならびに、凹部の中の前記複数のデンタル位置を包含するときに、凹部壁のそれぞれの場所が、第１の枢動軸線の周りでの第１の往復式の枢動移動、第２の枢動軸線の周りでの第２の往復式の枢動移動、および、並進軸線に沿った往復式の並進移動にさらされるようになっており、第１の枢動軸線、第２の枢動軸線、および並進軸線は、相互に垂直になっている。
【０３２９】
上記に議論されている第１の、第２の、および第３の往復式の移動に加えて、凹部壁は、また、ブラッシング作用にさらに貢献することができる第４の、第５の、および第６の往復式の移動を可能にすることができるということが留意される。第４の往復式の移動は、ブリッスルの根元部の場所におけるｚ軸の方向への往復式の並進移動であり、それは、たとえば、ｚ軸の方向への凹部壁の弾性から結果として生じることが可能であり、ブリッスルのブラッシング移動に第４の次元を追加する。第５の往復式の移動は、ブリッスルの根元部の場所におけるｙ軸の方向への往復式の並進移動であり、それは、たとえば、ｙ軸の方向への凹部壁の弾性、または、ｙ方向への凹部壁の並進（たとえば図３６ｂおよび図３７ｂを参照）から結果として生じることが可能であり、ブリッスルのブラッシング移動に第５の次元を追加する。第６の往復式の移動は、ブリッスルの根元部の場所におけるｘ軸の周りでの往復式の回転移動であり、それは、たとえば、ｘ軸の周りでの凹部壁の局所的な回転から結果として生じることが可能であり、ブリッスルのブラッシング移動に第６の次元を追加する。
【０３３０】
図３３および図３４を参照すると、凹部壁の局所的な変形可能性が、また、改善された歯間ブラッシング、および、デンタル位置に働かされるより規則的なブラッシング圧力を結果として生じさせるということが明らかになることになる。図３３および図３４の両方は、例示目的のために、３つの歯６４０（歯間スペース６３８がそれらの間に存在している）の側部に作用する凹部壁脚部６３３の一部を示している。図３３は、局所的な変形可能性を備えずに構成されている凹部壁脚部６３３による状況を示しており、図３３ａは、減少した圧力状態を示しており、図３３ｂは、増加した圧力状態を示しており、一方では、図３４は、第３章の本発明の第１の態様によれば、局所的な変形可能性を有するように構成されている凹部壁脚部６３３による状況を示しており、図３４ａは、減少した圧力状態を示しており、図３４ｂは、増加した圧力状態を示している。
【０３３１】
図３３ａの減少した圧力状態と図３３ｂの増加した圧力状態を比較すると、歯間スペース６３８がブリッスル６２４によって到達される程度は、ブリッスルの長さ、および、凹部壁脚部６３３から歯６４０の側部への距離ｄによって決定されるということが理解され得る。距離ｄに関する最小値は、図３３ｂに示されているよりも小さくなっている可能性がある。しかし、図３３の凹部壁脚部６３３が局所的に変形可能でないということに起因して、凹部壁脚部６３３は、図３３ｂに示されているように平坦になるように維持することになり、歯間凹部の最深ポイントへの凹部壁脚部６３３の距離ｅが図３４ａおよび図３４ｂの状況と比較して大きいということを結果として生じさせる。エリア６４５ａ、６４５ｂ、６４５ｃの中の曲げられたまたは真っ直ぐなブリッスル６２４（それらは、歯６４０の反対側にあり、歯間スペース６３８の反対側にはない）が、歯６４０の方向に凹部壁脚部６３３がさらに移動することを防止するときに、距離ｄおよび距離ｅに関する最小値が到達されることになる。ここで、図３４を参照すると、凹部壁脚部６３３が歯間スペース６３８の反対側の場所６３９において局所的に変形することに起因して、凹部壁脚部の場所６３９にまたはその近くに取り付けられているブリッスルは、歯間スペースの中へはるかに深く到達することになり、歯間スペース６３８のより良好なクリーニングを結果として生じさせるということが理解されることになる。
【０３３２】
さらに、図３３ｂの増加した圧力状態を参照すると、ｘ軸方向にブリッスル６２４によって働かされる圧力は、ｚ軸に沿ってかなり変化するということが明らかになることになる。歯間位置の周りのエリアにおいて、この圧力は低くなっており、おおよそゼロである可能性がある。図３４ｂの増加した圧力状態を参照すると、ｘ軸方向にブリッスル６２４によって働かされる圧力は、ｚ軸に沿ってはるかにより一定になっているということが明らかになることになる。図３４ａおよび図３４ｂによれば、歯間スペース６３８のエリアの中のブリッスルによって働かされるより高い圧力は、これらの歯間スペース６３８の改善されたクリーニングを結果として生じさせる。さらに、ブリッスルによって働かされる圧力がｚ軸に沿ってはるかにより一定になっているということは、そこでは、圧力チャンバの内側の圧力が歯列弓に沿ってブリッスルによって働かされる圧力をはるかによく表しているということを意味している。したがって、特に脆弱な歯茎に対してブリッスルによって働かされる最大許容可能なブリッスル圧力を超えることは、はるかにより信頼性高く防止され得る。
【０３３３】
図３５を参照すると、凹部壁脚部６３３の局所的な変形を伴うさらなる場所６４６の例が、増加した圧力状態に示されている。場所６４６におけるそのような局所的な変形は、凹部壁脚部６３３の局所的な変形可能性に起因して凹部壁脚部６３３に向けて（いわば）平坦に押されるブリッスル６２４によって引き起こされ得る。圧力を減少させるときには、この局所的な変形６４６は、消失するかまたはあまりはっきりしなくなることが可能であり、ブリッスルが（いわば）再び上昇することを可能にする。これは、さらなる追加的なブラッシング作用を結果として生じさせる。
【０３３４】
第３章の本発明の第２の態様は、上記に解説されているように、第３章の本発明の第１の態様による局所的に変形可能な凹部壁によって実現され得るが、第３章の本発明の第２の態様は、たとえば、個別にまたはタフトにグループ化して、ブリッスルまたはブリッスルのタフトごとの個々のドライブの上にブリッスルの固定端部を装着することによって、異なる様式でも現実化され得、個々のドライブは、往復式の並進移動を提供し、装着することは、第１および第２の往復式の枢動移動を可能にするということが明らかになることになる。
【０３３５】
図３６および図３７は、第３章の本発明の第３の態様の２つの実施形態、「ローラーベローズ機能性」を示している。図３６は、マウスピース７２０を示しており、図３７は、マウスピース７３０を示している。図３６および図３７は、図３６ｂおよび図３７ｂを除いて相互に同一になっており、図３６ｂおよび図３７ｂでは、マウスピース７２０とマウスピース７３０との間の相違を見ることができる。さらに、一方では図３６および図３７に示されているマウスピース、および、他方では図２９に示されているマウスピースは、図２９のマウスピース７１０には存在していない「ローラーベローズ機能性」を除いて、および、図３６および図３７の中のスペーサー６３１が図２９の単一の圧力チャンバ６３５を図３６および図３７の中の２つの圧力チャンバ６３５ａおよび６３５ｂへと分割するプレートであるということを除いて、同一になっている。圧力チャンバ６３５ａおよび６３５ｂは、たとえば、プレート６３１を通る１つまたは複数の通路によって、互いに流体連通しており、圧力チャンバ６３５ａおよび６３５ｂの両方の中の流体が同じ圧力を有することになるようになっている。スペーサー６３１がマウスピース７２０および７３０ではプレートであるということは、「ローラーベローズ機能性」と何の関係もない。図２９ａと同様に、図３６ａおよび図３７ａは、第１の動作状態を示している。図２９ｂと同様に、図３６ｂおよび図３７ｂは、第２の動作状態（増加した圧力状態）を示している。そして、図２９ｃと同様に、図３６ｃおよび図３７ｃは、第３の動作状態（減少した圧力状態）を示している。一方の図２９と他方の図３７および図３８との間の類似性を考慮に入れて、図３７および図３８は、同様の部品に関して同じ参照数字を使用しており、図３７および図３８のより詳細に関して、図２９の説明が参照される。一方の図２９と他方の図３６および図３７との間のすべてのこれらの類似性にもかかわらず、第３の態様による「ローラーベローズ機能性」は、第３章の本発明の第１の態様による「凹部壁の局所的な変形可能性機能性」なしで（または、それと組み合わせて）適用され得るということが留意される。
【０３３６】
第３章の本発明の第３の態様によれば、本体部は、圧力チャンバ６３５ａおよび６３５ｂの中の圧力を増加させるときに、凹部壁脚部６３３の上側端部６４７を凹部６２２の内側から凹部６２２の外側へシフトさせるように構成されている。外向きにシフトするときに、凹部壁脚部６３３の上側端部６４７におけるブリッスル６４８（そのブリッスルは、端部ブリッスル６４８と呼ばれる）は、回転移動にさらされ、その回転移動は、より直立した位置に向けて端部ブリッスルを倒れさせる。これは、図３６ｂおよび図３７ｂの増加した圧力状態に示されている。さらに、第３章の本発明の第３の態様によれば、本体部は、圧力チャンバ６３５ａおよび６３５ｂの中の圧力を減少させるときに、凹部壁脚部６３３の上側端部６４７を凹部６２２の外側から凹部６２２の内側へ（戻すように）シフトさせるように構成されている。内向きに端部ブリッスル６４８をシフトさせるときには、端部ブリッスル６４８は、回転移動にさらされ、その回転移動は、より直立していない位置に向けて端部ブリッスル６４８を倒れさせて戻す。これは、図３６ｃおよび図３７ｃの減少した圧力状態に示されており、また、図３６ａおよび図３７ａに示されている無圧力状態に示されている。少なくとも１つの圧力チャンバ６３５ａ、６３５ｂの中の圧力を往復的に増加および減少させることによって、端部ブリッスル６４８は、図２７に定義されているようなｚ軸に対して平行の軸線の周りでの往復式のスイベル移動にさらされる。
【０３３７】
図３６のマウスピース７２０と図３７のマウスピース７３０との間の相違は、図３７の実施形態では、本体部が、少なくとも１つの圧力チャンバ６３５ａ、６３５ｂの中の圧力を増加させるときには、凹部壁脚部６３３を長くするようにさらに構成されており、少なくとも１つの圧力チャンバ６３５ａ、６３５ｂの中の圧力を減少させるときには、凹部壁脚部６３３を短くするようにさらに構成されているということである。これの効果は、図２７に定義されているようなｙ軸方向に見て、凹部６２２の深さが、圧力を増加させるときには増加し、圧力を減少させるときには減少するということである。これは、特に、歯の根元部の周りの歯茎において、追加的なブラッシング作用を結果として生じさせる。凹部壁の脚部を長くすることおよび短くすることは、たとえば、例示目的のために、図３７ｂおよび図３７ｃのみにおいて見ることができるように、スペーサー６３１に関して凹部壁底部６３４の中心を締結することによって現実化され得る。
【０３３８】
図３８は、ネット形状の構成（メッシュワークとも呼ばれる）を有するブリッスルサポート６５０の実施形態の上面図を概略的に示している。メッシュワークは、ノード６５１を有しており、ノード６５１は、その中に植え込まれたブリッスル６２４をそれぞれ有している。メッシュワークは、メッシュ部材６５２、６５３をさらに有している。それぞれのメッシュ部材６５２、６５３は、１つのノード６５１から別のノード６５１へ延在している。この実施形態では、それぞれの前記ノード６５１は、６つのメッシュ部材６５２、６５３を接続しているが、それぞれのノードは、別の数のメッシュ部材、たとえば、３つの、４つの、または５つのメッシュ部材などを接続することも可能であるということが留意される。ノードおよびメッシュ部材は、メッシュ開口部６５５を画定している。メッシュワークの側部縁部に提供されるノードを除いて、それぞれのノードは、少なくとも３つのメッシュ部材を接続することになる。ブリッスルサポート６５０は、可撓性の凹部壁６２３に接触して横たわることが可能であるか、または、可撓性の凹部壁６２３に接着され得るか、または、可撓性の凹部壁６２３に固定され得る。
【０３３９】
メッシュワークが可撓性の凹部壁６２３の変形（それは、図４４に示されているように２次元の変形である可能性がある）に追従することを可能にするために、メッシュ部材のすべてまたは一部は、
−  その長さに関して弾性的にまたは非弾性的に伸縮自在であり得；かつ／または、
−  それぞれのメッシュ部材に作用する所定の伸縮力が超えられるときには、破断するように構成され得る。
【０３４０】
後者の場合には、ノードは、可撓性の壁部品に取り付けられ得るが、一方では、メッシュ部材は、可撓性の壁部品から自由になっている。
【０３４１】
図３８のメッシュワークにおいて、すべてのメッシュ部材は、その長さに関して弾性的にまたは非弾性的に伸縮自在であり得、メッシュワークが取り付けられることになる可撓性の凹部壁の変形にメッシュワークが追従することを可能にするようになっている（図示せず）。
【０３４２】
図３９は、ブリッスル（図示せず）を提供されたノード６５１とメッシュ部材６６１、６６２とを備えたメッシュワーク６６０を概略的に示している。メッシュ部材６６２は、ジグザグ構成を有しており、図３９ａに示されているような状態から図３９ｂに示されているような状態へ（および、その逆もまた同様）、一方の方向へのメッシュワーク６６０の膨張および収縮を可能にするが、メッシュ部材６６１が不変の長さを有しているときには、他方の方向への寸法は変化しない。たとえばメッシュ部材６６１が弾性的に伸縮自在である場合には、図３９ｂの矢印に対して垂直の方向へのメッシュワーク６６０の膨張および収縮も可能であることになる。２つの垂直の方向へのメッシュワーク６６０の膨張および収縮を可能にする別の方式は、メッシュ部材６６１にも同様にジグザグ構造を提供することであり、それは、収縮状態において図４０ａに示されているような、および、膨張状態において図４０ｂに示されているような、メッシュワーク６７０を結果として生じさせる。このメッシュワーク６７０は、ブリッスル（図示せず）を提供されたノードと、ジグザグメッシュ部材６７１および６７２と、を有している。
【０３４３】
図４１は、オーセチック構造を有するメッシュワーク６８０を示している。このオーセチックメッシュワークは、ブリッスル（図示せず）を提供されたノード６５１と、メッシュ部材６８１、６８２と、を有しており、図４１ａに示されている状態から図４１ｂに示されている状態へ（および、その逆もまた同様）、２つの垂直の方向への変形に追従することが可能である。
【０３４４】
図４２は、ブリッスル（図示せず）を備えたノード６５１と、破断可能なメッシュ部材６９１および６９２と、を有するメッシュワーク６９０を示している。このメッシュワークのノードは、図４２ａに示されているように、まだ破断されていないメッシュ部材６９１および６９２によって凹部壁６２３に取り付けられることになる。次いで、凹部壁６２３が変形されることになり、メッシュ部材６９１および６９２が破断することになり、図４２ｂに示されているような状態を結果として生じさせる。ノードが凹部壁６２３に取り付けられているので、ノードは、メッシュ部材６９１および６９２が一旦破断されると、凹部壁のすべての後続の変形に追従することになる。図４３は、図４２のメッシュワーク６９０の変形例６９５を示している。示されているように、メッシュ部材６９１および６９２は、斜めの方向に沿って引っ張り力を働かせることによって破断され得る。
【０３４５】
図４５は、ハンドル部材８０２と、それに連結されているマウスピース８０４と、を含むデンタルクリーニングデバイス８００を部分的に切り欠かれた斜視図で概略的に示している。マウスピース８０４は、本出願で説明されている任意のマウスピースであることが可能である。ハンドル部材８０２は、ハンドルインターフェースを提供されており、マウスピース８０４は、マウスピースインターフェースを提供されており、マウスピースインターフェースは、ハンドルインターフェースに取り外し可能に連結されるように構成されている。ハンドル部材８０２は、電気エネルギーを貯蔵するためのバッテリー８１０を含み、電気エネルギーは、バッテリー充電インターフェース８１２を通してバッテリー８１０に給送され得る。バッテリー８１０は、プリント回路基板（ＰＣＢ）８１４に、モーター８１６と、トランスミッション８１８と、クランクピストン８２０と、ピストンポンプ８２２と、を含むメインポンピングユニットに、および、任意選択で、マウスウォッシュポンプ８２４に、エネルギーを提供する。マウスウォッシュ液体を収容するマウスウォッシュカプセル８３０は、ハンドル部材８０２の中に除去可能に収容され得る。ピストンポンプ８２２は、空気圧式のポンプであることが可能である。マウスウォッシュポンプ８２４は、液圧ポンプであることが可能である。
【０３４６】
ブラッシングバルブユニット８４０が、ピストンポンプ８２２からマウスピース８０４へつながる１つまたは複数のダクト８４２の中に含まれており、また、可能な他のダクトの中に含まれている。クリーニングバルブユニット８５０が、マウスウォッシュポンプ８２４からマウスピース８０４へつながるダクト８５２の中に含まれている。ブラッシングバルブユニット８４０およびクリーニングバルブユニット８５０は、電子バルブを含み、電子バルブは、また、バッテリー８１０からエネルギーを受け取る。マウスウォッシュポンプ８２４は、ダクト８５４を通してマウスウォッシュカプセル８３０に流体連通している。
【０３４７】
デンタルクリーニングデバイス８００の動作は、ＰＣＢ８１４によって制御される。ＰＣＢ８１４は、モーター８１６の動作、マウスウォッシュポンプ８２４の動作、ブラッシングバルブユニット８４０の中に含まれるバルブの動作、および、クリーニングバルブユニット８５０の中に含まれるバルブの動作を制御することが可能である。とりわけ、デンタルクリーニングデバイスがデンタル位置におけるブラッシングのために使用されるときには（ここでは、複数の少なくとも５つのデンタル位置において、歯列弓の歯がマウスピース８０４によって包含されている）、ＰＣＢ８１４は、デンタルクリーニングデバイス８００を制御し、マウスピース８０４の本体部の中に提供されている少なくとも１つの圧力チャンバの中の圧力を往復的に増加および減少させることが可能である。
【０３４８】
次の以下の条項６５〜１０２は、上記に説明された第３章の発明の例、および、これらの第３章の発明のさらなる態様および実施形態を与えている：
６５］  複数のデンタル位置において同時にブラッシングするためのマウスピースであって、
少なくとも１つの凹部を提供されている本体部を含み；
少なくとも１つの凹部は、湾曲した長さ方向、および、長さ方向に対して横断方向のＵ字形状の断面を有しており、湾曲した長さ方向に見て、複数の少なくとも５つのデンタル位置を包含するように構成されており；
本体部は、前記凹部ごとに、それぞれの凹部の境界を定める可撓性の凹部壁を含み、
凹部壁は、任意選択で、複数のブリッスルによってライニングされており、複数のブリッスルは、凹部壁に取り付けられている一方の端部をそれぞれ有しており、凹部壁から凹部の中へ延在しており；
本体部は、圧力下において流体を収容するように構成されている少なくとも１つの圧力チャンバを提供されており；
本体部は、減少した圧力状態と増加した圧力状態との間で、少なくとも１つの圧力チャンバの中の圧力を往復的に増加および減少させることによって、凹部壁を変形させるように構成されている、マウスピースにおいて、
凹部壁は、局所的な変形可能性を有するように構成されており、前記少なくとも１つの圧力チャンバの中の圧力を往復的に増加および減少させるときに、凹部壁の形状が局所的に変化するようになっており、増加した圧力状態では、凹部壁の形状は、凹部壁によって包含されるデンタル位置の局所的な形状に局所的に調節され、一方、減少した圧力状態では、凹部壁の形状は、増加した圧力状態のときよりも、凹部壁によって包含されるデンタル位置の局所的な形状に局所的に調節されないことを特徴とする、マウスピース。
６６］  凹部壁によって包含されるデンタル位置の舌側および顔側に沿って長さ方向に見て、凹部壁は、減少した圧力状態において、増加した圧力状態のときよりも少ないレリーフを有している、条項６５に記載のマウスピース。
６７］  凹部壁の局所的な変形可能性は、増加した圧力状態と減少した圧力状態との間での凹部壁の形状の局所的な変化が、２ｂａｒまでの範囲にある圧力差、たとえば、０．４ｂａｒなどまでの範囲にある圧力差において起こるように構成されており、圧力差は、増加した圧力状態における圧力チャンバの中の圧力から減少した圧力状態における圧力チャンバの中の圧力をマイナスしたものとして定義される、条項６５または６６に記載のマウスピース。
６８］  減少した圧力状態において、前記少なくとも１つの圧力チャンバの中の圧力は、大気圧力よりも高くなっている、条項６５から６７のいずれか一項に記載のマウスピース。
６９］  増加した圧力状態において、前記少なくとも１つの圧力チャンバの中の圧力は、大気圧力に対して最大でも２ｂａｒであり、たとえば、大気圧力に対して最大でも１ｂａｒなどである、条項６５から６８のいずれか一項に記載のマウスピース。
７０］  増加した圧力状態において、前記少なくとも１つの圧力チャンバの中の圧力は、大気圧力に対して最大でも０．３ｂａｒであり、たとえば、大気圧力に対して最大でも０．２ｂａｒなどである、条項６５から６９のいずれか一項に記載のマウスピース。
７１］  減少した圧力状態において、前記少なくとも１つの圧力チャンバの中の圧力は、大気圧力よりも低い、条項６５から７０のいずれか一項に記載のマウスピース。
７２］  減少した圧力状態において、前記少なくとも１つの圧力チャンバの中の圧力は、大気圧力に対して−０．５ｂａｒから＋０．２ｂａｒの範囲にあり、たとえば、大気圧力に対して−０．５ｂａｒから０ｂａｒなどの範囲にある、条項６５から７１のいずれか一項に記載のマウスピース。
７３］  複数のデンタル位置において同時にブラッシングするためのマウスピースであって、
ｘ軸、ｙ軸、およびｚ軸を含む、３つの相互に直交する軸線の系が定義され、ｚ軸は、歯列弓の輪郭に追従する湾曲した軸線であり、ｘ軸およびｙ軸は、互いに垂直になっており、ｘｙ平面を画定しており、ｘｙ平面は、平坦になっており、湾曲したｚ軸に対して垂直になっており；
マウスピースは、少なくとも１つの凹部を提供されている本体部を含み；
少なくとも１つの凹部は、ｚ軸に対して平行に延在する湾曲した長さ方向、および、長さ方向に対して横断方向のＵ字形状の断面を有しており、湾曲した長さ方向に見て、複数の少なくとも５つのデンタル位置を包含するように構成されており；
本体部は、前記凹部ごとに凹部壁を含み、凹部壁は、それぞれの凹部の境界を定めており、複数のブリッスルを提供されており；
それぞれのブリッスルは、固定端部を有しており、固定端部は、凹部壁において、本体部に取り付けられており；
それぞれのブリッスルは、固定端部から、凹部の中へ、その自由端部に向けて延在しており、自由端部は、凹部の中に配置されており；
本体部は、前記複数のデンタル位置が凹部の中に包含されているときに、第１の枢動軸線の周りでの第１の往復式の枢動移動、第２の枢動軸線の周りでの第２の往復式の枢動移動、および、並進軸線に沿った往復式の並進移動に、前記ブリッスルの複数の前記固定端部を往復的にさらすように構成されており、第１の枢動軸線、第２の枢動軸線、および並進軸線は、相互に垂直になっており、第１の枢動軸線は、ｚ軸に対して平行になっており、第２の枢動軸線および並進軸線は、ｘｙ平面の中に延在している、マウスピース。
７４］  凹部壁の局所的な変形可能性は、前記少なくとも１つの圧力チャンバの中の圧力を往復的に増加および減少させるときに、および、凹部の中に前記複数のデンタル位置を包含するときに、凹部壁のそれぞれの場所が、第１の枢動軸線の周りでの第１の往復式の枢動移動、第２の枢動軸線の周りでの第２の往復式の枢動移動、および、並進軸線に沿った往復式の並進移動にさらされるようになっており、第１の枢動軸線、第２の枢動軸線、および並進軸線は、相互に垂直になっている、条項６５から７３のいずれか一項に記載のマウスピース。
７５］  それぞれのブリッスルは、凹部壁に取り付けられているそれぞれのブリッスルの根元部にあり、凹部壁の局所的な変形可能性は、前記少なくとも１つの圧力チャンバの中の圧力を往復的に増加および減少させるときに、および、凹部の中に前記複数のデンタル位置を包含するときに、それぞれのブリッスルの根元部が、第１の枢動軸線の周りでの第１の往復式の枢動移動、第２の枢動軸線の周りでの第２の往復式の枢動移動、および、並進軸線に沿った往復式の並進移動にさらされるようになっており、第１の枢動軸線、第２の枢動軸線、および並進軸線は、相互に垂直になっている、条項６５から７４のいずれか一項に記載のマウスピース。
７６］  それぞれのブリッスルは、取り付けポイントにおいて凹部壁に取り付けられており；
それぞれの取り付けポイントにおいて、３つの相互に直交する軸線の局所的なセットが定義され、局所的なセットは、ｘ軸、ｙ軸、およびｚ軸を含み、ｚ軸は、凹部の湾曲した長さ方向によって定義される湾曲した軸線であり、ｘ軸およびｙ軸は、ｚ軸に対して垂直のｘｙ平面を定義しており；
凹部壁の局所的な変形可能性は、前記少なくとも１つの圧力チャンバの中の圧力を往復的に増加および減少させるときに、および、凹部の中に前記複数のデンタル位置を包含するときに、取り付けポイントが、第１の枢動軸線の周りでの第１の往復して枢動する移動、第２の枢動軸線の周りでの第２の往復して枢動する移動、および、並進軸線に沿った往復して並進する移動からなる群からの１つまたは複数の移動にさらされるようになっており；
第１の枢動軸線は、ｚ軸に対して平行になっており、第２の枢動軸線および並進軸線は、ｘｙ平面の中にあり、相互に垂直になっている、条項６５から７５のいずれか一項に記載のマウスピース。
７７］  本体部は、２つの前記凹部を提供されており、２つの凹部のＵ字形状の断面の開口部は、相互に反対側方向に向いている、条項６５から７６のいずれか一項に記載のマウスピース。
７８］  凹部壁は、長さ方向に対して横断方向に、凹部のＵ字形状の断面に一致したＵ字形状になっており；
それぞれの凹部壁のＵ字形状は、凹部壁底部から延在する２つの凹部壁脚部を画定しており、それぞれの脚部は、自由端部を有しており；
２つの凹部壁脚部の自由端部は、端部ブリッスルを提供されており；
本体部は、
−  前記少なくとも１つの圧力チャンバの中の圧力を増加させるときに、２つの凹部壁脚部の自由端部を凹部の内側から凹部の外側へシフトさせるように構成されており、
−  前記少なくとも１つの圧力チャンバの中の圧力を減少させるときに、２つの凹部壁脚部の上側端部を凹部の外側から凹部の内側へシフトさせるように構成されており、
前記少なくとも１つの圧力チャンバの中の圧力を往復的に増加および減少させるときに、端部ブリッスルが、長さ方向に対して平行の軸線の周りでの往復式のスイベル移動にさらされるようになっている、条項６５から７７のいずれか一項に記載のマウスピース。
７９］  複数のデンタル位置において同時にブラッシングするためのマウスピースであって、
少なくとも１つの凹部を提供されている本体部を含み；
前記少なくとも１つの凹部は、湾曲した長さ方向、および、長さ方向に対して横断方向のＵ字形状の断面を有しており、湾曲した長さ方向に見て、複数の少なくとも５つのデンタル位置を包含するように構成されており；
本体部は、凹部ごとに、それぞれの凹部の境界を定める可撓性の凹部壁を含み、
凹部壁は、複数のブリッスルによってライニングされており、複数のブリッスルは、凹部壁に取り付けられている一方の端部をそれぞれ有しており、凹部壁から凹部の中へ延在しており；
本体部は、圧力下において流体を収容するように構成されている少なくとも１つの圧力チャンバを提供されており；
本体部は、減少した圧力状態と増加した圧力状態との間で、少なくとも１つの圧力チャンバの中の圧力を往復的に増加および減少させることによって、凹部壁を変形させるように構成されており、
凹部壁は、長さ方向に対して横断方向に、凹部のＵ字形状の断面に一致したＵ字形状になっており；
それぞれの凹部壁のＵ字形状は、凹部壁底部から延在する２つの凹部壁脚部を画定しており、それぞれの脚部は、自由端部を有している、マウスピースにおいて、
２つの凹部壁脚部の自由端部は、端部ブリッスルを提供されており；
本体部は、
−  前記少なくとも１つの圧力チャンバの中の圧力を増加させるときに、２つの凹部壁脚部の上側端部を凹部の内側から凹部の外側へシフトさせるように構成されており、
−  前記少なくとも１つの圧力チャンバの中の圧力を減少させるときに、２つの凹部壁脚部の上側端部を凹部の外側から凹部の内側へシフトさせるように構成されており、
前記少なくとも１つの圧力チャンバの中の圧力を往復的に増加および減少させるときに、端部ブリッスルが、長さ方向に対して平行の軸線の周りでの往復式のスイベル移動にさらされるようになっていることを特徴とする、マウスピース。
８０］  本体部は、前記少なくとも１つの圧力チャンバの中の圧力を増加させるときに２つの凹部壁脚部を長くし、前記少なくとも１つの圧力チャンバの中の圧力を減少させるときに２つの凹部壁脚部を短くするように構成されている、条項７８もしくは７９または条項６５から７７のいずれか一項に記載のマウスピース。
８１］  本体部は、湾曲した長さ方向に対して平行に参照平面を画定しており、２つの凹部壁脚部の自由端部は、参照平面から離れる方を指しており、底部の外側側部は、参照平面に面しており；
垂直方向の距離は、参照平面に対して横断方向の方向に測定される、参照平面から２つの凹部壁脚部の自由端部への距離として定義され；
本体部は、
−  前記少なくとも１つの圧力チャンバの中の圧力を増加させるときに垂直方向の距離を増加させるようにさらに構成されており、
−  前記少なくとも１つの圧力チャンバの中の圧力を減少させるときに垂直方向の距離を減少させるようにさらに構成されている、条項７８から８０のいずれか一項に記載のマウスピース。
８２］  マウスピースは、凹部壁に固定されたメッシュワークをさらに含み；
メッシュワークは、ノードおよびメッシュ部材によって形成されており、それぞれの前記メッシュ部材は、１つの前記ノードから別の前記ノードへ延在しており、それぞれの前記ノードは、少なくとも３つの前記メッシュ部材を互いに接続しており、それぞれのノードは、前記ブリッスルまたは前記ブリッスルのタフトのうちの１つまたは複数を担持している、条項６５から８１のいずれか一項に記載のマウスピース。
８３］  複数のデンタル位置において同時にブラッシングするためのマウスピースであって、
少なくとも１つの凹部を提供されている本体部を含み；
少なくとも１つの凹部は、湾曲した長さ方向、および、長さ方向に対して横断方向のＵ字形状の断面を有しており、湾曲した長さ方向に見て、複数の少なくとも５つのデンタル位置を包含するように構成されており；
本体部は、前記凹部ごとに、それぞれの凹部の境界を定める凹部壁を含み、
凹部壁は、凹部壁から凹部の中へ延在している複数のブリッスルによってライニングされている、マウスピースにおいて、
マウスピースは、メッシュワークをさらに含み、メッシュワークは、凹部壁に接触して横たわっており、または、凹部壁に固定されており；
メッシュワークは、ノードおよびメッシュ部材によって形成されており、それぞれの前記メッシュ部材は、１つの前記ノードから別の前記ノードへ延在しており、それぞれの前記ノードは、少なくとも３つの前記メッシュ部材を互いに接続しており、それぞれのノードは、前記ブリッスルまたは前記ブリッスルのタフトのうちの１つまたは複数を担持していることを特徴とする、マウスピース。
８４］  メッシュワークは、凹部壁の切り欠きの中に横たわっているか、または、凹部壁の材料の中に埋め込まれているか、または、凹部壁に接着もしくは糊付けされているか、または、圧力チャンバの中に位置決めされており、凹部壁の中の孔部と重なっており、ブリッスルのタフトが、孔部を通って凹部壁から外部に延在している、条項８２または８３に記載のマウスピース。
８５］  それぞれのメッシュ部材は、２つの前記ノードの間に延在する仮想の真っ直ぐなラインによって定義される長さ方向を有しており、２つのノード間に、それぞれのメッシュ部材が延在しており；メッシュ部材が、その長さ方向に伸縮自在になっており、または、メッシュ部材の少なくとも一部が、その長さ方向に伸縮自在になっている、条項８２から８４のいずれか一項に記載のマウスピース。
８６］  伸縮自在なメッシュ部材は、弾性的に伸縮自在になっている、条項８５に記載のマウスピース。
８７］  伸縮自在なメッシュ部材は、それぞれのメッシュ部材の長さ方向に見て、前記伸縮性を提供するように構成されているジグザグ構造を有している、条項８５または８６に記載のマウスピース。
８８］  メッシュ部材またはメッシュ部材の少なくとも一部は、それぞれのメッシュ部材に作用する所定の力が超えられるときに破断するように構成されている、条項８２から８７のいずれか一項に記載のマウスピース。
８９］  少なくとも１つの凹部は、その湾曲した長さ方向に見て、中切歯から第１大臼歯までの範囲にあるデンタル位置を包含するように構成されている、条項６５から８８のいずれか一項に記載のマウスピース。
９０］  少なくとも１つの凹部は、その湾曲した長さ方向に見て、中切歯から第２大臼歯までの範囲にあるデンタル位置を包含するように構成されている、条項６５から８９のいずれか一項に記載のマウスピース。
９１］  少なくとも１つの凹部は、その湾曲した長さ方向に見て、右側の第２小臼歯から左側の第２小臼歯までの範囲にあるデンタル位置を包含するように構成されている、条項６５から９０のいずれか一項に記載のマウスピース。
９２］  少なくとも１つの凹部は、その湾曲した長さ方向に見て、右側の第１大臼歯から左側の第１大臼歯までの範囲にあるデンタル位置を包含するように構成されている、条項６５から９１のいずれか一項に記載のマウスピース。
９３］  少なくとも１つの凹部は、その湾曲した長さ方向に見て、右側の第２大臼歯から左側の第２大臼歯までの範囲にあるデンタル位置を包含するように構成されている、条項６５から９２のいずれか一項に記載のマウスピース。
９４］  ブリッスルは、凹部壁に取り付けられているその端部において、凹部壁に対して固定されている、条項６５から９３のいずれか一項に記載のマウスピース。
９５］  凹部壁は、１ｃｍ２当たり少なくとも５本のブリッスル、たとえば、１ｃｍ２当たり少なくとも１０本のブリッスルなどによってライニングされている、条項６５から９４のいずれか一項に記載のマウスピース。
９６］  凹部壁は、長さ方向に対して横断方向に、それぞれの凹部のＵ字形状の断面と一致したＵ字形状になっており；
中心軸線が、Ｕ字形状のミラー軸線として定義され、凹部のＵ字形状は、中心軸線の方向に延在する２つの脚部を画定しており；
２つの脚部は、中心軸線に対して０°から９０°の範囲にある角度で延在するブリッスルを提供されている、条項６５から９５のいずれか一項に記載のマウスピース。
９７］  ２つの脚部の自由端部は、中心軸線に対して３０°から９０°の範囲にある角度で延在するブリッスルを提供されている、条項９６に記載のマウスピース。
９８］  凹部壁は、弾性的に変形可能である、条項６５から９７のいずれか一項に記載のマウスピース。
９９］  凹部壁は、少なくとも１Ｈｚの周波数によって、たとえば、１Ｈｚ〜２０Ｈｚなどの範囲にある周波数、または、２０Ｈｚ〜５０Ｈｚ以上などの範囲にある周波数によって、変形可能であるように構成されている、条項６５から９８のいずれか一項に記載のマウスピース。
１００］  条項６５から９９のいずれか一項に記載のマウスピースと、圧力および／または吸引デバイスであって、少なくとも１つの圧力チャンバに流体連通しているように構成されており、圧力チャンバの中の圧力を往復的に増加および減少させるように構成されている、圧力および／または吸引デバイスと、を含むデンタルクリーニングデバイス。
１０１］  圧力および／または吸引デバイスは、そのうえ、
●  ２ｂａｒまでの範囲にある圧力差、たとえば、０．４ｂａｒなどまでの範囲にある圧力差によって、前記少なくとも１つの圧力チャンバの中の圧力を往復的に増加および減少させるように構成されており、圧力差は、増加した圧力状態における圧力チャンバの中の圧力から減少した圧力状態における圧力チャンバの中の圧力をマイナスしたものとして定義され；かつ／または、
●  大気圧力よりも高い圧力を伴う減少した圧力状態まで、前記少なくとも１つの圧力チャンバの中の圧力を減少させるように構成されており；かつ／または、
●  大気圧力に対して最大でも２ｂａｒ、たとえば、大気圧力に対して最大でも１ｂａｒなどの増加した圧力状態まで、前記少なくとも１つの圧力チャンバの中の圧力を増加させるように構成されており；かつ／または、
●  大気圧力に対して最大でも０．３ｂａｒ、たとえば、大気圧力に対して最大でも０．２ｂａｒなどの増加した圧力状態まで、前記少なくとも１つの圧力チャンバの中の圧力を増加させるように構成されており；かつ／または、
●  大気圧力よりも低い圧力を伴う減少した圧力状態まで、前記少なくとも１つの圧力チャンバの中の圧力を減少させるように構成されており；かつ／または、
●  大気圧力に対して−０．５ｂａｒから＋０．２ｂａｒの範囲にある、たとえば、大気圧力に対して−０．５ｂａｒから０ｂａｒなどの範囲にある減少した圧力状態まで、前記少なくとも１つの圧力チャンバの中の圧力を減少させるように構成されている、条項１００に記載のデンタルクリーニングデバイス。
１０２］  条項６５から９９のいずれか一項に記載のマウスピースを動作させる方法であって、
●  前記少なくとも１つの圧力チャンバの中の圧力は、２ｂａｒまでの範囲にある圧力差、たとえば、０．４ｂａｒなどまでの圧力差によって、往復的に増加および減少され、圧力差は、増加した圧力状態における圧力チャンバの中の圧力から減少した圧力状態における圧力チャンバの中の圧力をマイナスしたものとして定義され；かつ／または、
●  前記少なくとも１つの圧力チャンバの中の圧力は、往復的に、大気圧力よりも高い圧力を伴う減少した圧力状態まで減少され、減少した圧力状態における圧力よりも高い圧力まで増加され；かつ／または、
●  前記少なくとも１つの圧力チャンバの中の圧力は、往復的に、大気圧力に対して最大でも２ｂａｒ、たとえば、大気圧力に対して最大でも１ｂａｒの増加した圧力状態まで増加され、増加した圧力状態における圧力よりも低い圧力まで減少され；かつ／または、
●  前記少なくとも１つの圧力チャンバの中の圧力は、往復的に、大気圧力に対して最大でも０．３ｂａｒ、たとえば、大気圧力に対して最大でも０．２ｂａｒなどの増加した圧力状態まで増加され、増加した圧力状態における圧力よりも低い圧力まで減少され；かつ／または、
●  前記少なくとも１つの圧力チャンバの中の圧力は、往復的に、大気圧力よりも低い圧力を伴う減少した圧力状態まで減少され、減少した圧力状態における圧力よりも高い圧力まで増加され；かつ／または、
●  前記少なくとも１つの圧力チャンバの中の圧力は、往復的に、大気圧力に対して−０．５ｂａｒから＋０．２ｂａｒの範囲にある、たとえば、大気圧力に対して−０．５ｂａｒから０ｂａｒなどの範囲にある減少した圧力状態まで減少され、減少した圧力状態における圧力よりも高い圧力まで増加される、方法。
【０３４９】
上記から分かるように、この第３章の全体を通して使用されているような「圧力チャンバ」という用語は、減少した圧力状態と増加した圧力状態との間で圧力が変化されるチャンバである。減少した圧力状態および増加した圧力状態は、両方とも、大気圧力を下回る圧力であることが可能であり、すなわち、０ｂａｒから１ｂａｒの間の圧力として定義される真空であることが可能である。代替的に、減少した圧力状態および増加した圧力状態は、両方とも、大気圧力を上回る圧力であることが可能であり、または、これらの圧力状態のうちの一方がほぼ大気圧力であることが可能であり、一方では、他方が大気圧力を下回るかもしくは上回っている。
【０３５０】
この第３章において、「圧力チャンバの中の圧力」という専門用語または同様の専門用語が使用される場合、それは、「圧力チャンバの中の流体の圧力」である。それは、凹部壁に作用して局所的な変形を引き起こす流体の圧力である。流体の圧力は、たとえば、追加的な流体を圧力チャンバの中へ供給することによって増加され得、または、流体が圧力チャンバを離れることを可能にすることによって減少され得る。
【０３５１】
さまざまなデンタル位置／自然の歯の形状を考慮に入れると、Ｕ字形状の断面の形状は、凹部／凹部壁の長さ方向に沿って変化することが可能である。上側切歯および／または下側切歯の領域において、Ｕ字形状の断面は、たとえば、Ｖ字形状になっていることが可能である。
【０３５２】
この第３章において、「前記少なくとも１つの圧力チャンバの中に」という語句が使用されている場合、これは、「その圧力チャンバの中に、または、前記少なくとも１つの圧力チャンバのうちの１つもしくは複数の中に」を意味している。
【符号の説明】
【０３５３】
１  歯列弓
２  デンタル位置
３  デンタル位置
４  デンタル位置
５  デンタル位置
６  デンタル位置
７  デンタル位置
８  デンタル位置
９  デンタル位置
１０  デンタル位置
１１  デンタル位置
１２  デンタル位置
１３  デンタル位置
１４  デンタル位置
１５  舌側
１６  顔側
１９  根元部
２０  マウスピース
２１  本体部
２２  凹部
２３  凹部壁
２４  ブリッスル
２５  湾曲した分割ライン
２６  ニップル
２７  右半分
２８  左半分
２９  タフト
３０  舌側プレート
３１  スペーサー
３２  顔側プレート
３３  脚部部品
３４  底部部品
３５  圧力チャンバ
３６  ベース
１００  シート
１０１  ブリッスル付きシート部品
１０１ａ  第１の層
１０１ｂ  第２の層
１０２  第１の側部
１０３  第２の側部
１０４  ブリッスル
１０５  内側円弧
１０６  外側円弧
１１０  モールド
１１１  キャビティ
１１２  Ｕ字形状
１１３  吸引開口部
１１５  内側縁部
１１６  外側縁部
１１８  上側表面
１１９  垂直方向の軸線
１２０  凹部壁
１２１  舌側フレーム部材
１２２  顔側フレーム部材
１２３  下側縁部
１２４  下側縁部
１２５  上側縁部
１２６  上側縁部
１２７  クロージャー
１５０  単一部品
１５１  移行エリア
１６０  垂直方向の軸線
２０１  ブリッスル付きシート部品アッセンブリ
２３１  内側取り付け部材、第１のフラップ部品、内側フラップ部品
２３２  外側取り付け部材、第１のフラップ部品、内側フラップ部品
２３３  第２のフラップ部品、外側フラップ部品
２３４  第２のフラップ部品、外側フラップ部品
２３５  ギャップ
２３６  ギャップ
２３７、２３８  メス型部品
２３９、２４０  オス型部品
２５０  インターフェース
２５１、２５２  ジョイント
２６０  Ｈ字形状のフレーム部材
３０１  歯列弓
３０２  デンタル位置
３０３  デンタル位置
３０４  デンタル位置
３０５  デンタル位置
３０６  デンタル位置
３０７  デンタル位置
３０８  デンタル位置
３０９  デンタル位置
３１０  デンタル位置
３１１  デンタル位置
３１２  デンタル位置
３１３  デンタル位置
３１４  デンタル位置
３１９  根元部
３２０  マウスピース
３２２  凹部
３２３  凹部壁
３２４  ブリッスル
３２５  湾曲した分割ライン
３２６  ニップル
３２７  右半分
３２８  左半分
３２９  タフト
３３０  舌側プレート
３３１  スペーサー
３３２  顔側プレート
３３３  凹部壁脚部
３３４  凹部壁底部
３３５  圧力チャンバ
３３６  ベース
４００  マウスピース
５００  デンタルクリーニングデバイス
５０２  ハンドル部材
５０４  メインポンプユニット
５１０  バッテリー
５１２  バッテリー充電インターフェース
５１４  プリント回路基板（ＰＣＢ）
５１６  モーター
５１８  トランスミッション
５２０  クランクピストン
５２２  ピストンポンプ
５２４  コントローラ、マウスウォッシュポンプ
５３０  マウスウォッシュカプセル
５４０  圧力センサ
５４２  ダクト
６０１  歯列弓
６０２  デンタル位置
６０３  デンタル位置
６０４  デンタル位置
６０５  デンタル位置
６０６  デンタル位置
６０７  デンタル位置
６０８  デンタル位置
６０９  デンタル位置
６１０  デンタル位置
６１１  デンタル位置
６１２  デンタル位置
６１３  デンタル位置
６１４  デンタル位置
６１５  舌側
６１６  顔側
６２０  マウスピース
６２１  本体部
６２２  凹部
６２３  凹部壁
６２４  ブリッスル
６２５  湾曲した分割ライン
６２６  ニップル
６２７  右半分
６２８  左半分
６２９  タフト
６３０  舌側プレート
６３１  スペーサー
６３２  顔側プレート
６３３  凹部壁脚部
６３４  凹部壁底部
６３５  圧力チャンバ
６３５ａ、６３５ｂ、６３５ｃ、６３５ｄ、６３５ｅ  圧力チャンバ
６３６  ベース
６３７ａ、６３７ｂ、６３７ｃ  チャネル
６３８  歯間スペース
６３９  歯間スペース６３８の反対側の場所
６４０  歯
６４１  スイーピング移動
６４２  スイーピング移動
６４３  円錐
６４４  ブラッシング作用
６４５ａ、６４５ｂ、６４５ｃ  エリア
６４７  上側端部
６４８  端部ブリッスル
６４９  根元部
６５０  ブリッスルサポート
６５１  ノード
６５２  メッシュ部材
６５３  メッシュ部材
６５５  メッシュ開口部
６６０  メッシュワーク
６６１  メッシュ部材
６６２  メッシュ部材
６７０  メッシュワーク
６７１  メッシュ部材
６７２  メッシュ部材
６８０  メッシュワーク
６８１  メッシュ部材
６８２  メッシュ部材
６９０  メッシュワーク
６９１  メッシュ部材
６９２  メッシュ部材
６９５  変形例
７００  マウスピース
７１０  マウスピース
７２０  マウスピース
７３０  マウスピース
８００  デンタルクリーニングデバイス
８０２  ハンドル部材
８０４  マウスピース
８１０  バッテリー
８１２  バッテリー充電インターフェース
８１４  プリント回路基板（ＰＣＢ）
８１６  モーター
８１８  トランスミッション
８２０  クランクピストン
８２２  ピストンポンプ
８２４  マウスウォッシュポンプ
８３０  マウスウォッシュカプセル
８４０  ブラッシングバルブユニット
８４２  ダクト
８５０  クリーニングバルブユニット
８５２  ダクト
８５４  ダクト
Ｄ１、Ｄ２、Ｄ３  送達量
ｄ  距離
ｄ１  距離
ｄ２  距離
ｅ  距離
ｆ  周波数
ｇ  厚さ
Ｌ１  長さ軸線
Ｌ２  長さ軸線
ｍ  位置
ｎ  位置
ｏ  位置
Ｓａ１  隙間
Ｓａ２  隙間
Ｓｂ１  隙間
Ｓｂ２  隙間
Ｓｃ１  隙間
Ｓｃ２  隙間
ＴＬ  下側閾値
ＴＵ  上側閾値
ｔ０、ｔ１、ｔ２  タイムスタンプ
ｘ  角度
α  角度
【図１】
2021531104.tif 000003
【図２ａ】
2021531104.tif 000004
【図２ｂ】
2021531104.tif 000005
【図３ａ】
2021531104.tif 000006
【図３ｂ】
2021531104.tif 000007
【図３ｃ−３ｄ】
2021531104.tif 000008
【図３ｅ】
2021531104.tif 000009
【図４−５】
2021531104.tif 000010
【図６】
2021531104.tif 000011
【図７ａ】
2021531104.tif 000012
【図７ｂ】
2021531104.tif 000013
【図８ａ】
2021531104.tif 000014
【図８ｂ】
2021531104.tif 000015
【図９ａ】
2021531104.tif 000016
【図９ｂ】
2021531104.tif 000017
【図１０ａ】
2021531104.tif 000018
【図１０ｂ】
2021531104.tif 000019
【図１１ａ−１１ｅ】
2021531104.tif 000020
【図１２ａ−１２ｂ】
2021531104.tif 000021
【図１２ｃ】
2021531104.tif 000022
【図１２ｄ】
2021531104.tif 000023
【図１３ａ】
2021531104.tif 000024
【図１３ｂ−１３ｃ】
2021531104.tif 000025
【図１４ａ−１４ｂ】
2021531104.tif 000026
【図１５ａ−１５ｂ】
2021531104.tif 000027
【図１５ｃ】
2021531104.tif 000028
【図１６ａ−１６ｂ】
2021531104.tif 000029
【図１７ａ】
2021531104.tif 000030
【図１７ｂ】
2021531104.tif 000031
【図１８ａ】
2021531104.tif 000032
【図１８ｂ】
2021531104.tif 000033
【図１９ａ−１９ｂ】
2021531104.tif 000034
【図２０ａ−２０ｂ】
2021531104.tif 000035
【図２１】
2021531104.tif 000036
【図２２】
2021531104.tif 000037
【図２３ａ】
2021531104.tif 000038
【図２３ｂ】
2021531104.tif 000039
【図２４】
2021531104.tif 000040
【図２５】
2021531104.tif 000041
【図２６】
2021531104.tif 000042
【図２７】
2021531104.tif 000043
【図２８】
2021531104.tif 000044
【図２９ａ】
2021531104.tif 000045
【図２９ｂ】
2021531104.tif 000046
【図２９ｃ】
2021531104.tif 000047
【図３０】
2021531104.tif 000048
【図３１ａ】
2021531104.tif 000049
【図３１ｂ】
2021531104.tif 000050
【図３１ｃ】
2021531104.tif 000051
【図３２ａ】
2021531104.tif 000052
【図３２ｂ】
2021531104.tif 000053
【図３２ｃ】
2021531104.tif 000054
【図３２ｄ】
2021531104.tif 000055
【図３３ａ−３３ｂ】
2021531104.tif 000056
【図３４ａ−３４ｂ】
2021531104.tif 000057
【図３５】
2021531104.tif 000058
【図３６ａ−３６ｃ】
2021531104.tif 000059
【図３７ａ−３７ｃ】
2021531104.tif 000060
【図３８】
2021531104.tif 000061
【図３９ａ】
2021531104.tif 000062
【図３９ｂ】
2021531104.tif 000063
【図４０ａ】
2021531104.tif 000064
【図４０ｂ】
2021531104.tif 000065
【図４１ａ】
2021531104.tif 000066
【図４１ｂ】
2021531104.tif 000067
【図４２ａ】
2021531104.tif 000068
【図４２ｂ】
2021531104.tif 000069
【図４３ａ】
2021531104.tif 000070
【図４３ｂ】
2021531104.tif 000071
【図４４】
2021531104.tif 000072
【図４５】
2021531104.tif 000073
【国際調査報告】
2021531104.tif 000074
2021531104.tif 000075
2021531104.tif 000076
2021531104.tif 000077
2021531104.tif 000078